(57)【要約】【課題】光透過率の均一化を図り得る液晶表示装置を提供する。【解決手段】液晶表示装置は、第１基板２０及び第２基板５０、第２基板５０と対向する第１基板２０の対向面に形成された第１電極１４０、第１基板２０と対向する第２基板５０の対向面に形成された第２電極１６０、並びに、第１電極１４０及び第２電極１６０の間に設けられ、液晶分子７１を含む液晶層７０を有する画素が、複数、配列されて成る液晶表示装置であって、液晶分子７１にはプレチルトが付与され、第１電極１４０には複数の凹凸部１４１が形成されており、第１電極１４０の少なくも凹部１４５と凹部１４５の間は平坦化層４１で埋め込まれている。【選択図】  図１
2015011157.tif 000002
【特許請求の範囲】
【請求項１】
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極には複数の凹凸部が形成されており、
第１電極の少なくも凹部と凹部の間は、平坦化層で埋め込まれている液晶表示装置。
【請求項２】
凹部底面を基準として、平坦化層の頂面の最高高さをＨH、平坦化層の頂面の最低高さをＨLとしたとき、
０．５≦ＨL／ＨH≦１
を満足する請求項１に記載の液晶表示装置。
【請求項３】
凹部底面を基準とした凸部の高さをＨCとしたとき、
０．５≦ＨH／ＨC≦５
を満足する請求項２に記載の液晶表示装置。
【請求項４】
平坦化層は第１電極を被覆しており、
第１電極を覆う第１配向膜及び第２電極を覆う第２配向膜を更に備えており、
液晶分子には、少なくとも第１配向膜によってプレチルトが付与されており、
第１配向膜は平坦化層に相当する請求項１に記載の液晶表示装置。
【請求項５】
平坦化層は第１電極を被覆しており、
平坦化層を覆う第１配向膜及び第２電極を覆う第２配向膜を更に備えており、
液晶分子には、少なくとも第１配向膜によってプレチルトが付与されている請求項１に記載の液晶表示装置。
【請求項６】
平坦化層は、第１電極の凹部と凹部の間を埋めており、
第１電極及び平坦化層を覆う第１配向膜並びに第２電極を覆う第２配向膜を更に備えており、
液晶分子には、少なくとも第１配向膜によってプレチルトが付与されている請求項１に記載の液晶表示装置。
【請求項７】
液晶層に対して所定の電場を印加しつつ、少なくとも第１配向膜を構成する高分子化合物を反応させることにより液晶分子にプレチルトが付与される請求項４乃至請求項６のいずれか１項に記載の液晶表示装置。
【請求項８】
第１配向膜の平均膜厚をＴ1、第２配向膜の平均膜厚をＴ2としたとき、
０．５≦Ｔ2／Ｔ1≦１．５
を満足する請求項１に記載の液晶表示装置。
【請求項９】
第１電極に設けられた凸部には複数の段差部が形成されている請求項１に記載の液晶表示装置。
【請求項１０】
画素と画素との間に位置する第１基板の部分から、画素周辺部に対応する第１基板の部分に亙り、凸構造が形成されており、
凹凸部の周辺部は凸構造上に形成されている請求項１に記載の液晶表示装置。
【請求項１１】
凹凸部は、画素中心部を通り、十文字に延びる幹凸部、及び、幹凸部から画素周辺部に向かって延びる複数の枝凸部から構成されており、
幹凸部と対応する第２電極の部分には、配向規制部が形成されている請求項１に記載の液晶表示装置。
【請求項１２】
凹凸部は、画素周辺部に額縁状に形成された幹凸部、及び、幹凸部から画素内部に向かって延びる複数の枝凸部から構成されており、
第１電極には、画素中心部を通り、画素周辺部に平行なスリット部あるいは突起部が形成されている請求項１に記載の液晶表示装置。
【請求項１３】
第１電極に設けられた凸部の一部の幅は、先端部に向かって狭くなっている請求項１に記載の液晶表示装置。
【請求項１４】
凹凸部は、画素中心部を通り、十文字に延びる幹凸部、及び、幹凸部から画素周辺部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている請求項１３に記載の液晶表示装置。
【請求項１５】
凹凸部は、画素周辺部に額縁状に形成された幹凸部、及び、幹凸部から画素内部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている請求項１３に記載の液晶表示装置。
【請求項１６】
画素の中心を通るＸ軸及びＹ軸を想定したとき、
第１象限を占める複数の凸部は、Ｘ座標の値が増加したときＹ座標の値が増加する方向に平行に延び、
第２象限を占める複数の凸部は、Ｘ座標の値が減少したときＹ座標の値が増加する方向に平行に延び、
第３象限を占める複数の凸部は、Ｘ座標の値が減少したときＹ座標の値が減少する方向に平行に延び、
第４象限を占める複数の凸部は、Ｘ座標の値が増加したときＹ座標の値が減少する方向に平行に延びる請求項１に記載の液晶表示装置。
【請求項１７】
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
枝凸部と接合していない幹凸部の側辺部分の延びる方向は、Ｘ軸とは平行でなく、且つ、Ｙ軸とは平行でない請求項１に記載の液晶表示装置。
【請求項１８】
第１電極には、更に、スリット部が形成されている請求項１に記載の液晶表示装置。
【請求項１９】
画素の中心領域における第１電極には窪みが設けられている請求項１に記載の液晶表示装置。
【請求項２０】
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている請求項１に記載の液晶表示装置。
【発明の詳細な説明】
【技術分野】
【０００１】
本開示は、一対の基板の間に液晶層が封止された液晶表示素子を備えた液晶表示装置に関する。
【背景技術】
【０００２】
近年、液晶テレビジョン受像機やノート型パーソナルコンピュータ、カーナビゲーション装置等の表示モニタとして、液晶表示装置（ＬＣＤ；Liquid Crystal Display）が多く用いられている。この液晶表示装置は、基板間に挟持された液晶層中に含まれる液晶分子の分子配列（配向）によって様々な表示モード（方式）に分類される。表示モードとして、例えば、電圧をかけない状態で液晶分子が捩れて配向しているＴＮ（Twisted Nematic；捩れネマティック）モードがよく知られている。ＴＮモードでは、液晶分子は、正の誘電率異方性、即ち、液晶分子の長軸方向の誘電率が短軸方向に比べて大きい性質を有している。そのため、液晶分子は、基板面に対して平行な面内において、液晶分子の配向方位を順次回転させつつ、基板面に垂直な方向に整列させた構造となっている。
【０００３】
この一方で、電圧をかけない状態で液晶分子が基板面に対して垂直に配向しているＶＡ（Vertical Alignment）モードに対する注目が高まっている。ＶＡモードでは、液晶分子は、負の誘電率異方性、即ち、液晶分子の長軸方向の誘電率が短軸方向に比べて小さい性質を有しており、ＴＮモードに比べて広視野角を実現できる。
【０００４】
このようなＶＡモードの液晶表示装置では、電圧が印加されると、基板に対して垂直方向に配向していた液晶分子が、負の誘電率異方性により、基板に対して平行方向に倒れるように応答することによって、光を透過させる構成となっている。ところが、基板に対して垂直方向に配向した液晶分子の倒れる方向は任意であるため、電圧印加により液晶分子の配向が乱れ、よって、電圧に対する応答特性を悪化させる要因となっていた。
【０００５】
そこで、電圧印加時における液晶分子の配向を規制する手法として、これまでにも様々な提案がなされている。例えば、ＭＶＡ（Multi-domain Vertical Alignment）方式やＰＶＡ（Patterned Vertical Alignment）方式、あるいは、光配向膜を使用する手法（例えば、特開平５−２３２４７３号参照）が提案されている。ＭＶＡ方式では、スリットやリブ（突起）を用いることにより、配向制御を行いつつ、高視野角を実現する。最近では、この他にも、一方の基板に形成された電極（具体的には、画素電極）に複数の微細なスリットを設け、他方の基板に形成された電極（具体的には、対向電極）をスリットの無い、所謂ベタ電極とした構造（ファインスリット構造とも呼ばれる）が提案されている（例えば、特開２００２−３５７８３０号参照）。しかしながら、ファインスリット構造にあっては、微小なライン・アンド・スペースから成るスリットにおいて電界の加わらない部分が存在し、更に、ラインのエッジ近傍において、電圧印加時、液晶分子の配向状態がツイスト構造を取るために、光透過率が低下するといった問題がある。
【０００６】
このような問題を解決するための技術が、即ち、画素電極に、複数の微細なスリットを設ける代わりに凹凸部を形成する技術が、特開２０１１−２３２７３６号に開示されている。ここで、１つの画素において、複数の凹凸部は、Ｘ軸上及びＹ軸上を延びる幹凸部、及び、幹凸部の側辺から画素の周辺部に向かって延びる複数の枝凸部から構成されており、枝凸部と接合していない幹凸部の側辺部分の延びる方向は、Ｘ軸と平行であり、あるいは又、Ｙ軸と平行である。そして、凹凸部の上には、凹凸部に倣って配向膜が形成されている。
【先行技術文献】
【特許文献】
【０００７】
【特許文献１】特開平５−２３２４７３号
【特許文献２】特開２００２−３５７８３０号
【特許文献３】特開２０１１−２３２７３６号
【発明の概要】
【発明が解決しようとする課題】
【０００８】
特開２０１１−２３２７３６号に開示された技術は、ファインスリット構造における上述した問題の発生を効果的に抑制することができる。しかしながら、画素電極に設けられた凹凸部に対して液晶分子を配列させるとき、凹凸部の凸部頂面や凹部における液晶分子の配列状態と、凹凸部の側面における液晶分子の配列状態とが異なる結果、液晶表示装置の光透過率に差異が生じる虞がある。
【０００９】
従って、本開示の目的は、光透過率の均一化を図り得る液晶表示装置を提供することにある。
【課題を解決するための手段】
【００１０】
上記の目的を達成するための本開示の液晶表示装置は、
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極には複数の凹凸部が形成されており、
第１電極の少なくも凹部と凹部の間は、平坦化層で埋め込まれている。
【発明の効果】
【００１１】
本開示の液晶表示装置にあっては、平坦化層が、第１電極の少なくも凹部と凹部の間を埋めている。即ち、液晶分子が第１電極側において接する部分は平坦、あるいは、概ね平坦である。それ故、液晶分子の配列状態の均一化を図ることができる結果、液晶表示装置の光透過率の均一化を図ることができる。尚、本明細書に記載された効果はあくまで例示であって限定されるものでは無く、また、付加的な効果があってもよい。
【図面の簡単な説明】
【００１２】
【図１】図１は、実施例１の液晶表示装置の模式的な一部端面図である。
【図２】図２は、実施例２の液晶表示装置の模式的な一部端面図である。
【図３】図３は、実施例３の液晶表示装置の模式的な一部端面図である。
【図４】図４は、実施例１〜実施例３の液晶表示装置を構成する１画素分の第１電極の模式的な平面図である。
【図５】図５Ａ及び図５Ｂは、実施例１の液晶表示装置における図４の矢印Ａ−Ａ及び矢印Ｂ−Ｂに沿った第１電極等の模式的な一部断面図であり、図５Ｃ及び図５Ｄは、実施例２の液晶表示装置における図４の矢印Ａ−Ａ及び矢印Ｂ−Ｂに沿った第１電極等の模式的な一部断面図である。
【図６】図６Ａ及び図６Ｂは、実施例３の液晶表示装置における図４の矢印Ａ−Ａ及び矢印Ｂ−Ｂに沿った第１電極等の模式的な一部断面図である。
【図７】図７は、実施例４の液晶表示装置の模式的な一部端面図である。
【図８】図８Ａ及び図８Ｂは、実施例４の液晶表示装置における図４の矢印Ａ−Ａ及び矢印Ｂ−Ｂに沿った第１電極等の模式的な一部断面図である。
【図９】図９は、実施例４の液晶表示装置の変形例の模式的な一部端面図である。
【図１０】図１０は、実施例５の液晶表示装置を構成する１画素分の第１電極の模式的な平面図である。
【図１１】図１１Ａ、図１１Ｂ及び図１１Ｃは、実施例５の液晶表示装置における図１０の矢印Ａ−Ａ、矢印Ｂ−Ｂ、矢印Ｃ−Ｃに沿った第１電極等の模式的な一部断面図であり、図１１Ｄは、図１１Ｃの一部を拡大した模式的な一部断面図である。
【図１２】図１２Ａ及び図１２Ｂは、それぞれ、従来の液晶表示装置、及び、実施例５の液晶表示装置における液晶分子の挙動を示す概念図である。
【図１３】図１３は、実施例６の液晶表示装置を構成する１画素分の第１電極の模式的な平面図である。
【図１４】図１４は、実施例７の液晶表示装置を構成する１画素分の第１電極の模式的な平面図である。
【図１５】図１５Ａ及び図１５Ｂは、実施例６の液晶表示装置における図１３の矢印Ａ−Ａ及び矢印Ｂ−Ｂに沿った第１電極等の模式的な一部断面図であり、図１５Ｃは、実施例７の液晶表示装置における図１４の矢印Ｃ−Ｃに沿った第１電極等の模式的な一部端面図であり、図１５Ｄは、図１５Ｃの一部を拡大した模式的な一部端面図である。
【図１６】図１６は、実施例７の液晶表示装置を構成する１画素分の第１電極の変形例の模式的な平面図である。
【図１７】図１７は、実施例７の液晶表示装置を構成する１画素分の第１電極の別の変形例の模式的な斜視図である。
【図１８】図１８は、実施例８の液晶表示装置を構成する１画素分の第１電極の模式的な平面図である。
【図１９】図１９は、図１８に示した実施例８の液晶表示装置を構成する１画素分の第１電極の模式的な斜視図である。
【図２０】図２０は、実施例９の液晶表示装置を構成する１画素分の第１電極の模式的な平面図である。
【図２１】図２１Ａ及び図２１Ｂは、実施例８の液晶表示装置における図１８の矢印Ａ−Ａ及び矢印Ｂ−Ｂに沿った第１電極等の模式的な一部端面図であり、図２１Ｃは、図２１Ｂの一部を拡大した模式的な一部端面図であり、図２１Ｄは、実施例９の液晶表示装置における図２０の矢印Ｄ−Ｄに沿った第１電極の一部を拡大した模式的な一部端面図である。
【図２２】図２２は、実施例１０の液晶表示装置を構成する１画素分の第１電極の模式的な平面図である。
【図２３】図２３は、実施例１０の液晶表示装置を構成する１画素分の第１電極の変形例の模式的な斜視図である。
【図２４】図２４は、実施例１１の液晶表示装置を構成する１画素分の第１電極の模式的な平面図である。
【図２５】図２５は、実施例１１の液晶表示装置を構成する１画素分の第１電極の変形例の模式的な平面図である。
【図２６】図２６は、実施例１１の液晶表示装置における図２４の矢印Ａ−Ａに沿った第１電極等の模式的な一部断面図である。
【図２７】図２７は、実施例１２の液晶表示装置の模式的な一部端面図である。
【図２８】図２８は、実施例１２の液晶表示装置の変形例の模式的な一部端面図である。
【図２９】図２９は、実施例１３の液晶表示装置を構成する１画素分の第１電極の模式的な平面図である。
【図３０】図３０は、実施例１３の液晶表示装置を構成する１画素分の第１電極の変形例の模式的な平面図である。
【図３１】図３１は、実施例１３の液晶表示装置を構成する１画素分の第１電極の別の変形例の模式的な平面図である。
【図３２】図３２は、実施例１３の液晶表示装置を構成する１画素分の第１電極の更に別の変形例の模式的な平面図である。
【図３３】図３３Ａ及び図３３Ｂは、実施例１３の液晶表示装置における図２９の矢印Ａ−Ａ及び矢印Ｂ−Ｂに沿った第１電極等の模式的な一部端面図であり、図３３Ｃ及び図３３Ｄは、実施例１３の液晶表示装置における図３１の矢印Ｃ−Ｃ及び矢印Ｄ−Ｄに沿った第１電極等の模式的な一部端面図である。
【図３４】図３４は、実施例１４の液晶表示装置を構成する１画素分の第１電極の模式的な平面図である。
【図３５】図３５は、実施例１４の液晶表示装置を構成する１画素分の第１電極の一部分を拡大した模式的な平面図である。
【図３６】図３６Ａ及び図３６Ｂは、実施例１４の液晶表示装置における図３４の矢印Ａ−Ａ及び矢印Ｂ−Ｂに沿った第１電極等の模式的な一部断面図であり、図３６Ｃは、図３６Ｂの一部を拡大した模式的な一部断面図である。
【図３７】図３７Ａ及び図３７Ｂは、それぞれ、実施例１４、及び、枝凸部にテーパーが付されていない液晶表示装置の枝凸部における液晶分子の挙動を説明するための模式図である。
【図３８】図３８は、実施例１５の液晶表示装置の変形例の模式的な一部端面図である。
【図３９】図３９Ａ及び図３９Ｂは、実施例１５の液晶表示装置における図３８の矢印Ａ−Ａ及び矢印Ｂ−Ｂに沿った第１電極等の模式的な一部端面図であり、図３９Ｃは、図３９Ｂの一部を拡大した模式的な一部端面図である。
【図４０】図４０は、実施例１６の液晶表示装置を構成する１画素分の第１電極の模式的な平面図である。
【図４１】図４１は、実施例１７の液晶表示装置を構成する１画素分の第１電極の模式的な平面図である。
【図４２】図４２は、実施例１８の液晶表示装置を構成する１画素分の第１電極の模式的な平面図である。
【図４３】図４３は、実施例１８の液晶表示装置を構成する１画素分の第１電極の変形例の模式的な平面図である。
【図４４】図４４は、実施例１９の液晶表示装置を構成する１画素分の第１電極の模式的な平面図である。
【図４５】図４５は、実施例２０の液晶表示装置を構成する１画素分の第１電極の模式的な平面図である。
【図４６】図４６は、実施例２１の液晶表示装置を構成する１画素分の第１電極の模式的な平面図である。
【図４７】図４７は、実施例２２の液晶表示装置を構成する１画素分の第１電極の模式的な平面図である。
【図４８】図４８Ａは、実施例２２の液晶表示装置における図４７の矢印Ａ−Ａに沿った第１電極等の模式的な一部断面図であり、図４８Ｂは、図４８Ｂの一部を拡大した模式的な一部断面図である。
【図４９】図４９Ａ及び図４９Ｂは、それぞれ、実施例２３の液晶表示装置を構成する１画素分の第１電極の一部分の模式的な平面図である。
【図５０】図５０Ａ及び図５０Ｂは、それぞれ、実施例２３の液晶表示装置を構成する１画素分の第１電極の一部分の模式的な平面図である。
【図５１】図５１は、実施例２４の液晶表示装置を構成する１画素分の第１電極の模式的な平面図である。
【図５２】図５２は、実施例２５の液晶表示装置を構成する１画素分の第１電極の模式的な平面図である。
【図５３】図５３Ａ、図５３Ｂ及び図５３Ｃは、それぞれ、実施例２６の液晶表示装置を構成する画素において、凸部、凹部、中心領域等の配置状態を模式的に示す図、第１電極に設けられたスリット部の配置状態を模式的に示す図、及び、凹凸部とスリット部とを重ね合わせた図である。
【図５４】図５４Ａ、図５４Ｂ及び図５４Ｃは、それぞれ、実施例２６の液晶表示装置を構成する画素の変形例において、凸部、凹部、中心領域等の配置状態を模式的に示す図、第１電極に設けられたスリット部の配置状態を模式的に示す図、及び、凹凸部とスリット部とを重ね合わせた図である。
【図５５】図５５Ａ、図５５Ｂ及び図５５Ｃは、それぞれ、実施例２６の液晶表示装置を構成する画素の別の変形例において、凸部、凹部、中心領域等の配置状態を模式的に示す図、第１電極に設けられたスリット部の配置状態を模式的に示す図、及び、凹凸部とスリット部とを重ね合わせた図である。
【図５６】図５６Ａ、図５６Ｂ及び図５６Ｃは、それぞれ、実施例２６の液晶表示装置を構成する画素の更に別の変形例において、凸部、凹部、中心領域等の配置状態を模式的に示す図、第１電極に設けられたスリット部の配置状態を模式的に示す図、及び、凹凸部とスリット部とを重ね合わせた図である。
【図５７】図５７Ａは、図５３Ｃの矢印Ａ−Ａに沿った模式的な端面図であり、図５７Ｂは、図５４Ｃの矢印Ｂ−Ｂに沿った模式的な端面図であり、図５７Ｃは、図５５Ｃの矢印Ｃ−Ｃに沿った模式的な端面図であり、図５７Ｄは、図５６Ｃの矢印Ｄ−Ｄに沿った模式的な端面図である。
【図５８】図５８Ａ及び図５８Ｂは、それぞれ、実施例２６の液晶表示装置を構成する画素の更に別の変形例において、凸部、凹部、スリット部等の配置状態を模式的に示す図、及び、図５８Ａの矢印Ｂ−Ｂに沿った第１電極等の模式的な断面図である。
【図５９】図５９Ａ及び図５９Ｂは、それぞれ、実施例２６の液晶表示装置を構成する画素の更に別の変形例において、凸部、凹部、スリット部等の配置状態を模式的に示す図、及び、図５９Ａの矢印Ｂ−Ｂに沿った第１電極等の模式的な断面図である。
【図６０】図６０は、実施例２７の液晶表示装置を構成する１画素分の第１電極の模式的な平面図である。
【図６１】図６１Ａは、実施例２７の液晶表示装置を構成する１画素の中心領域における第１電極の一部分の模式的な平面図であり、図６１Ｂ及び図６１Ｃは、実施例２７の液晶表示装置を構成する１画素の中心領域における第１電極の一部分の模式的な一部断面図である。
【図６２】図６２Ａ及び図６２Ｂは、それぞれ、実施例２７の液晶表示装置を構成する１画素の中心領域における第１電極の一部分の模式的な平面図である。
【図６３】図６３は、実施例２８の液晶表示装置を構成する１画素分の第１電極の模式的な平面図である。
【図６４】図６４は、実施例２９の液晶表示装置を構成する１画素分の第１電極の模式的な平面図である。
【図６５】図６５Ａ及び図６５Ｂは、それぞれ、図６４の第１電極の模式的な平面図において円形の領域で囲んだ第１電極の一部分を拡大した模式的な平面図である。
【図６６】図６６は、図６４の第１電極の模式的な平面図において円形の領域で囲んだ第１電極の一部分を拡大した模式的な平面図である。
【図６７】図６７は、実施例２９の液晶表示装置の変形例（実施例２５参照）を構成する１画素分の第１電極の模式的な平面図である。
【図６８】図６８は、実施例２９の液晶表示装置の変形例（実施例２６参照）を構成する１画素分の第１電極の模式的な平面図である。
【図６９】図６９は、実施例２９の液晶表示装置の変形例（実施例２６参照）を構成する１画素分の第１電極の模式的な平面図である。
【図７０】図７０は、実施例２９の液晶表示装置の変形例（実施例２６参照）を構成する１画素分の第１電極の模式的な平面図である。
【図７１】図７１は、実施例２９の液晶表示装置の別の変形例（実施例２７参照）を構成する１画素分の第１電極の模式的な平面図である。
【図７２】図７２は、実施例２９の液晶表示装置の更に別の変形例（実施例２８参照）を構成する１画素分の第１電極の模式的な平面図である。
【図７３】図７３は、実施例３０の液晶表示装置を構成する１画素分の第１電極の模式的な平面図である。
【図７４】図７４Ａ、図７４Ｂ及び図７４Ｃは、実施例３０の液晶表示装置における図７３の矢印Ａ−Ａ、矢印Ｂ−Ｂ、矢印Ｃ−Ｃに沿った第１電極等の模式的な一部断面図であり、図７４Ｄは、図７３Ｃの一部を拡大した模式的な一部断面図である。
【図７５】図７５は、実施例３１の液晶表示装置を構成する１画素分の第１電極の模式的な平面図である。
【図７６】図７６は、実施例３２の液晶表示装置を構成する１画素分の第１電極の模式的な平面図である。
【図７７】図７７Ａ及び図７７Ｂは、実施例３１の液晶表示装置における図７５の矢印Ａ−Ａ及び矢印Ｂ−Ｂに沿った第１電極等の模式的な一部断面図であり、図７７Ｃは、実施例３２の液晶表示装置における図７６の矢印Ｃ−Ｃに沿った第１電極等の模式的な一部端面図であり、図７７Ｄは、図７７Ｃの一部を拡大した模式的な一部端面図である。
【図７８】図７８は、実施例３２の液晶表示装置を構成する１画素分の第１電極の変形例の模式的な平面図である。
【図７９】図７９は、実施例３３の液晶表示装置を構成する１画素分の第１電極の模式的な平面図である。
【図８０】図８０Ａ及び図８０Ｂは、それぞれ、実施例１の液晶表示装置及び比較例１の液晶表示装置における液晶分子の配向状態を模式的に示す図である。
【図８１】図８１Ａは、液晶分子のプレチルトを説明するための模式図であり、図８１Ｂ及び図８１Ｃは、実施例１２の液晶表示装置における液晶分子の挙動を示す概念図である。
【図８２】図８２は、図１に示した液晶表示装置の回路構成図である。
【図８３】図８３Ａ及び図８３Ｂは、ＴＦＴ等が形成され、第１電極に凹凸部が形成される前の第１基板の模式的な一部端面図である。
【図８４】図８４は、凸部の形成ピッチ、凸部の幅、凸部の先端部の幅等を説明するための、凸部の一部の模式的な平面図である。
【図８５】図８５は、凸部の形成ピッチ、凸部の幅、凸部の先端部の幅等を説明するための、凸部の一部の模式的な平面図である。
【発明を実施するための形態】
【００１３】
以下、図面を参照して、実施例に基づき本開示を説明するが、本開示は実施例に限定されるものではなく、実施例における種々の数値や材料は例示である。尚、説明は、以下の順序で行う。
１．本開示の液晶表示装置、全般に関する説明
２．実施例１（本開示の液晶表示装置。本開示の第１−１の態様に係る液晶表示装置、第１の形式の液晶表示装置）
３．実施例２（実施例１の変形。第２の形式の液晶表示装置）
４．実施例３（実施例１の別の変形。第３の形式の液晶表示装置）
５．実施例４（実施例１〜実施例３の変形。本開示の第１−２の態様に係る液晶表示装置及び本開示の第１−３の態様に係る液晶表示装置）
６．実施例５（第２Ａ−１の態様に係る液晶表示装置）
７．実施例６（実施例５の変形）
８．実施例７（実施例５の別の変形）
９．実施例８（第２Ａ−２の態様に係る液晶表示装置）
１０．実施例９（実施例８の変形）
１１．実施例１０（実施例８の別の変形）
１２．実施例１１（実施例５〜実施例１０を含む本開示の第２Ｂの態様に係る液晶表示装置）
１３．実施例１２（第２Ａ−１の態様、第２−Ａの態様に係る液晶表示装置を含む本開示の第２Ｃの態様に係る液晶表示装置）
１４．実施例１３（第２Ａ−２の態様、第２−Ｂの態様に係る液晶表示装置を含む本開示の第２Ｄの態様に係る液晶表示装置）
１５．実施例１４（本開示の第３の態様に係る液晶表示装置、本開示の第３Ａの態様に係る液晶表示装置）
１６．実施例１５（実施例１４の別の変形、本開示の第３Ｂの態様に係る液晶表示装置）
１７．実施例１６（実施例１４の別の変形、本開示の第３Ｃ−１の態様に係る液晶表示装置）
１８．実施例１７（実施例１６の変形）
１９．実施例１８（実施例１６の別の変形）
２０．実施例１９（実施例１６の別の変形、本開示の第３Ｃ−２の態様に係る液晶表示装置）
２１．実施例２０（実施例１９の変形）
２２．実施例２１（実施例２０の変形）
２３．実施例２２（本開示の第４Ａの態様に係る液晶表示装置）
２４．実施例２３（実施例２２の変形）
２５．実施例２４（実施例２２の別の変形）
２６．実施例２５（実施例２２の更に別の変形）
２７．実施例２６（実施例２２の更に別の変形、本開示の第４Ａ−１の態様に係る液晶表示装置、及び、本開示の第４Ｃの態様に係る液晶表示装置）
２８．実施例２７（実施例２２の更に別の変形、本開示の第４Ａ−２の態様に係る液晶表示装置、本開示の第４Ｃ−２の態様に係る液晶表示装置、及び、本開示の第４Ｄの態様に係る液晶表示装置）
２９．実施例２８（実施例２２の更に別の変形、本開示の第４Ａ−３の態様に係る液晶表示装置、本開示の第４Ｃ−３の態様に係る液晶表示装置、本開示の第４Ｄ−３の態様に係る液晶表示装置、及び、本開示の第４Ｅの態様に係る液晶表示装置）
３０．実施例２９（本開示の第４Ｂの態様に係る液晶表示装置、本開示の第４Ｂ−１の態様に係る液晶表示装置、本開示の第４Ｂ−２の態様に係る液晶表示装置、本開示の第４Ｂ−３の態様に係る液晶表示装置、本開示の第４Ｃの態様に係る液晶表示装置、本開示の第４Ｃ−２の態様に係る液晶表示装置、本開示の第４Ｃ−３の態様に係る液晶表示装置、本開示の第４Ｄの態様に係る液晶表示装置、本開示の第４Ｄ−３の態様に係る液晶表示装置、及び、本開示の第４Ｅの態様に係る液晶表示装置）
３１．実施例３０（実施例２９の別の変形）
３２．実施例３１（実施例３０の変形）
３３．実施例３２（実施例３０の別の変形）
３４．実施例３３（本開示の第４Ｅの態様に係る液晶表示装置）、その他
【００１４】
［本開示の液晶表示装置、全般に関する説明］
本開示の液晶表示装置にあっては、凹部底面を基準として、平坦化層の頂面の最高高さをＨH、平坦化層の頂面の最低高さをＨLとしたとき、
０．５≦ＨL／ＨH≦１
望ましくは、
０．８≦ＨL／ＨH≦１
を満足することが好ましい。
【００１５】
上記の好ましい形態を含む本開示の液晶表示装置にあっては、凹部底面を基準とした凸部の高さをＨCとしたとき、
０．５≦ＨH／ＨC≦５
望ましくは、
０．７５≦ＨH／ＨC≦１．５
を満足することが好ましい。
【００１６】
以上に説明した好ましい形態を含む本開示の液晶表示装置にあっては、
平坦化層は第１電極を被覆しており、
平坦化層を覆う第１配向膜及び第２電極を覆う第２配向膜を更に備えており、
液晶分子には、少なくとも第１配向膜によってプレチルトが付与されている形態とすることができる。尚、このような形態の液晶表示装置を、便宜上、『第１の形式の液晶表示装置』と呼ぶ。あるいは又、
平坦化層は第１電極を被覆しており、
第１電極を覆う第１配向膜及び第２電極を覆う第２配向膜を更に備えており、
液晶分子には、少なくとも第１配向膜によってプレチルトが付与されており、
第１配向膜は平坦化層に相当する形態とすることができる。尚、このような形態の液晶表示装置を、便宜上、『第２の形式の液晶表示装置』と呼ぶ。あるいは又、
平坦化層は、第１電極の凹部と凹部の間を埋めており、
第１電極及び平坦化層を覆う第１配向膜並びに第２電極を覆う第２配向膜を更に備えており、
液晶分子には、少なくとも第１配向膜によってプレチルトが付与されている形態とすることができる。尚、このような形態の液晶表示装置を、便宜上、『第３の形式の液晶表示装置』と呼ぶ。
【００１７】
ここで、第１の形式の液晶表示装置あるいは第３の形式の液晶表示装置における平坦化層を構成する材料として、レジスト材料、感光性のポリイミド樹脂やアクリル系樹脂等の高分子化合物材料を挙げることができるし、ＳｉＯ2やＳｉＮ、ＳｉＯＮ等の無機系材料を挙げることができる。また、第２の形式の液晶表示装置における平坦化層を構成する材料として、ポリイミド樹脂等を挙げることができる。平坦化層は、使用する材料に依存するが、各種塗布法に基づき形成することができるし、あるいは又、各種真空蒸着法やスパッタリング法等の物理的気相成長法（ＰＶＤ法）に基づき形成することができるし、あるいは又、各種の化学的気相成長法（ＣＶＤ法）に基づき形成することができる。平坦化層によって、第１電極の凹部と凹部の間が埋め込まれるか、第１電極が被覆されるかは、平坦化層を構成する材料、平坦化層を構成する材料を含む組成物の組成や特性（例えば、固形分濃度や粘度、使用する溶剤）、平坦化層の形成方法や形成条件等に依存する。配向膜も、例えば、各種塗布法に基づき形成することができる。
【００１８】
ここで、塗布法として、スクリーン印刷法やインクジェット印刷法、オフセット印刷法、反転オフセット印刷法、グラビア印刷法、グラビアオフセット印刷法、凸版印刷、フレキソ印刷、マイクロコンタクト法といった各種印刷法；スピンコート法；エアドクタコーター法、ブレードコーター法、ロッドコーター法、ナイフコーター法、スクイズコーター法、リバースロールコーター法、トランスファーロールコーター法、グラビアコーター法、キスコーター法、キャストコーター法、スプレーコーター法、スリットコーター法、スリットオリフィスコーター法、キャップコート法、カレンダーコーター法、キャスティング法、キャピラリーコーター法、バーコーター法、浸漬法といった各種コーティング法；スプレー法；ディスペンサーを用いる方法：スタンプ法といった、液状材料を塗布する方法を挙げることができる。
【００１９】
ここで、第１の形式の液晶表示装置〜第３の形式の液晶表示装置にあっては、液晶層に対して所定の電場を印加しつつ、少なくとも第１配向膜を構成する高分子化合物を反応させることにより液晶分子にプレチルトが付与される形態とすることができる。更には、このような形態を含む第１の形式の液晶表示装置〜第３の形式の液晶表示装置にあっては、第１配向膜の平均膜厚をＴ1、第２配向膜の平均膜厚をＴ2としたとき、
０．５≦Ｔ2／Ｔ1≦１．５
望ましくは、
０．８≦Ｔ2／Ｔ1≦１．２
を満足することが好ましい。ここで、配向膜の平均膜厚とは、１画素（あるいは、１副画素）を占める配向膜の体積を、１画素（あるいは、１副画素）の面積で除した値である。このように、Ｔ2／Ｔ1の値を規定することで、即ち、第１配向膜の平均膜厚と第２配向膜の平均膜厚とを、等しく、あるいは又、概ね等しくすることで、焼付き等の発生を確実に防止することができる。
【００２０】
以上に説明した各種の好ましい形態を含む本開示の液晶表示装置を、以下の説明において、便宜上、『本開示の第１の態様に係る液晶表示装置』と呼ぶ場合がある。
【００２１】
本開示の第１の態様に係る液晶表示装置において、第１電極に設けられた凸部には複数の段差部が形成されている構成とすることができる。尚、このような構成の液晶表示装置を、便宜上、『本開示の第２Ａの態様に係る液晶表示装置』と呼ぶ。
【００２２】
本開示の第２Ａの態様に係る液晶表示装置においては、凸部に複数の段差部（高低差）が形成されているので、凸部において電場の強弱が生じ、あるいは又、横電界が生じる。その結果、凸部における液晶分子に対する配向規制力を強くすることができ、凸部における液晶分子のチルト状態を確実に規定することができる。それ故、画像表示時、凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【００２３】
本開示の第１の態様に係る液晶表示装置あるいは本開示の第２Ａの態様に係る液晶表示装置において、凹凸部は、画素中心部を通り、十文字に延びる幹凸部、及び、幹凸部から画素周辺部に向かって延びる複数の枝凸部から構成されている形態とすることができる。尚、このような形態を、便宜上、『本開示の第１−１の態様に係る液晶表示装置』、『本開示の第２Ａ−１の態様に係る液晶表示装置』と呼ぶ。ここで、本開示の第１−１の態様に係る液晶表示装置、本開示の第２Ａ−１の態様に係る液晶表示装置にあっては、十文字に延びる幹凸部のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態を採用することができる。このような、枝凸部の配置状態はマルチドメイン電極構造と呼ばれており、１つの画素内に枝凸部の延びる方向の異なる領域が形成されるため、視野角特性の向上を図ることができる。
【００２４】
尚、第１象限を占める複数の枝凸部は、その軸線がＸ軸と４５度を成して延び、第２象限を占める複数の枝凸部は、その軸線がＸ軸と１３５度を成して延び、第３象限を占める複数の枝凸部は、その軸線がＸ軸と２２５度を成して延び、第４象限を占める複数の枝凸部は、その軸線がＸ軸と３１５度を成して延びる形態とすることが好ましいが、これらの値（角度）に限定するものではない。以下においても同様である。
【００２５】
そして、上記の好ましい形態を含む本開示の第２Ａ−１の態様に係る液晶表示装置において、幹凸部の延びる方向と直交する仮想垂直平面で幹凸部を切断したときの幹凸部の断面形状は、幹凸部の断面形状の中心から幹凸部の断面形状の縁に向かって段差部が下降していく断面形状を有する形態とすることができる。そして、以上に説明した各種の好ましい形態を含む本開示の第２Ａ−１の態様に係る液晶表示装置において、幹凸部の延びる方向に平行な仮想垂直平面で幹凸部を切断したときの幹凸部の断面形状は、幹凸部の断面形状の中央部から幹凸部の断面形状の端部に向かって段差部が下降していく断面形状を有する形態とすることができる。
【００２６】
更には、以上に説明した各種の好ましい形態を含む本開示の第２Ａ−１の態様に係る液晶表示装置において、枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する形態とすることができる。そして、以上に説明した各種の好ましい形態を含む本開示の第２Ａ−１の態様に係る液晶表示装置において、枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する形態とすることができる。
【００２７】
更には、本開示の第１−１の態様に係る液晶表示装置において、あるいは又、以上に説明した各種の好ましい形態を含む本開示の第２Ａ−１の態様に係る液晶表示装置において、幹凸部と対応する第２電極の部分には配向規制部が形成されている形態とすることができる。ここで、配向規制部は、第２電極に設けられたスリット部から成る形態とすることができるし、あるいは又、第２電極に設けられた突起部から成る形態とすることができるし、あるいは又、突起状になった第２電極の部分から構成することもできる。突起部は、例えば、レジスト材料から成り、その上には第２電極は形成されていない。突起状になった第２電極の部分を設けるためには第２電極の下側に凸部を形成すればよいし、あるいは又、第１電極における凹凸部の凸部形成方法と同様の方法で突起状になった第２電極の部分を設けることも可能である。スリット部あるいは突起部、突起状になった第２電極の部分の幅は幹凸部の幅よりも狭いことが望ましい。後述する本開示の第２Ｂ−１の態様に係る液晶表示装置、本開示の第２Ｃの態様に係る液晶表示装置においても同様とすることができる。
【００２８】
あるいは又、本開示の第１の態様に係る液晶表示装置、本開示の第２Ａの態様に係る液晶表示装置において、凹凸部は、画素周辺部に額縁状に形成された幹凸部、及び、幹凸部から画素内部に向かって延びる複数の枝凸部から構成されている形態とすることができる。尚、このような形態を、便宜上、『本開示の第１−２の態様に係る液晶表示装置』、『本開示の第２Ａ−２の態様に係る液晶表示装置』と呼ぶ。ここで、本開示の第１−２の態様に係る液晶表示装置、本開示の第２Ａ−２の態様に係る液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態を採用することができる。
【００２９】
そして、上記の好ましい形態を含む本開示の第２Ａ−２の態様に係る液晶表示装置において、幹凸部の延びる方向と直交する仮想垂直平面で幹凸部を切断したときの幹凸部の断面形状は、幹凸部の断面形状の外側の縁から幹凸部の断面形状の内側の縁に向かって段差部が下降していく断面形状を有する形態とすることができる。
【００３０】
更には、以上に説明した各種の好ましい形態を含む本開示の第２Ａ−２の態様に係る液晶表示装置において、枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する形態とすることができる。そして、以上に説明した各種の好ましい形態を含む本開示の第２Ａ−２の態様に係る液晶表示装置において、枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する形態とすることができる。
【００３１】
更には、本開示の第１−２の態様に係る液晶表示装置、以上に説明した各種の好ましい形態を含む本開示の第２Ａ−２の態様に係る液晶表示装置において、第１電極には、画素中心部を通り、画素周辺部に平行なスリット部あるいは突起部が形成されている形態とすることができる。突起部は、例えば、レジスト材料から成り、その上には第１電極は形成されていない。あるいは又、第１電極には、画素中心部を通る十文字状の凸部が凹部に囲まれて形成されている形態とすることができる。このような十文字状の凸部は、第１電極の下側に十文字状の凸部を形成することで設けることができるし、あるいは又、第１電極における凹凸部の形成方法と同様の方法で設けることも可能である。あるいは又、スリット部若しくは突起部（リブ）を設ける代わりに、画素中心部を通る十文字状の凹部を設けてもよい。後述する本開示の第２Ｂ−２の態様に係る液晶表示装置、本開示の第２Ｄの態様に係る液晶表示装置においても同様とすることができる。
【００３２】
更には、本開示の第１−１の態様あるいは本開示の第１−２の態様に係る液晶表示装置、以上に説明した各種の好ましい形態を含む本開示の第２Ａ−１の態様あるいは本開示の第２Ａ−２の態様に係る液晶表示装置において、
画素と画素との間に位置する第１基板の部分から、画素周辺部に対応する第１基板の部分に亙り、凸構造が形成されており、
凹凸部の周辺部は凸構造上に形成されている形態とすることができる。尚、凸構造は、周知の材料から構成されたブラックマトリクスに基づき形成されている形態とすることができる。
【００３３】
本開示の第１−１の態様と本開示の第１−２の態様とを組み合わせてもよい。即ち、凹凸部は、画素中心部を通り、十文字に延びる幹凸部、幹凸部から画素周辺部に向かって延びる複数の枝凸部、及び、複数の枝凸部と接合し、画素周辺部に額縁状に形成された幹凸部から構成されている形態とすることもできる。尚、このような形態を、便宜上、『本開示の第１−３の態様に係る液晶表示装置』と呼ぶ。ここで、本開示の第１−３の態様に係る液晶表示装置にあっても、十文字に延びる幹凸部のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態を採用することができる。
【００３４】
あるいは又、本開示の第１の態様に係る液晶表示装置において、
画素と画素との間に位置する第１基板の部分から、画素周辺部に対応する第１基板の部分に亙り、凸構造が形成されており、
凹凸部の周辺部は凸構造上に形成されている構成とすることができる。尚、このような構成の液晶表示装置を、便宜上、『本開示の第２Ｂの態様に係る液晶表示装置』と呼ぶ。
【００３５】
本開示の第２Ｂの態様に係る液晶表示装置において、凹凸部の周辺部は凸構造上に形成されているので、凹凸部の周辺部が平坦な場合と比べて、より一層強い電場が凹凸部の周辺部に生じる。その結果、凹凸部の周辺部における液晶分子に対する配向規制力を強くすることができ、凹凸部の周辺部における液晶分子のチルト状態を確実に規定することができる。それ故、良好な電圧応答特性を保持することができる。尚、本開示の第２Ｂの態様に係る液晶表示装置の構成、構造を、本開示の第１−１の態様、本開示の第１−２の態様、本開示の第１−３の態様を含む本開示の第１の態様に係る液晶表示装置に適用することもできる。
【００３６】
また、本開示の第２Ｂの態様に係る液晶表示装置において、凹凸部は、画素中心部を通り、十文字に延びる幹凸部、及び、幹凸部から画素周辺部に向かって延びる複数の枝凸部から構成されている形態とすることができる。尚、このような形態を、便宜上、『本開示の第２Ｂ−１の態様に係る液晶表示装置』と呼ぶ。ここで、本開示の第２Ｂ−１の態様に係る液晶表示装置にあっては、十文字に延びる幹凸部のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態を採用することができる。
【００３７】
そして、上記の好ましい形態を含む本開示の第２Ｂ−１の態様に係る液晶表示装置において、幹凸部と対応する第２電極の部分には配向規制部が形成されている形態とすることができる。ここで、配向規制部は、第２電極に設けられたスリット部から成る形態とすることができるし、あるいは又、第２電極に設けられた突起部から成る形態とすることができる。
【００３８】
あるいは又、本開示の第２Ｂの態様に係る液晶表示装置において、凹凸部は、画素周辺部に額縁状に形成された幹凸部、及び、幹凸部から画素内部に向かって延びる複数の枝凸部から構成されている形態とすることができる。尚、このような形態を、便宜上、『本開示の第２Ｂ−２の態様に係る液晶表示装置』と呼ぶ。ここで、本開示の第２Ｂ−２の態様に係る液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態を採用することができる。
【００３９】
そして、上記の好ましい形態を含む本開示の第２Ｂ−２の態様に係る液晶表示装置において、第１電極には、画素中心部を通り、画素周辺部に平行なスリット部あるいは突起部が形成されている形態とすることができる。
【００４０】
更には、以上に説明した各種の好ましい形態を含む本開示の第２Ｂの態様に係る液晶表示装置において、凸構造は、周知の材料から構成されたブラックマトリクスに基づき形成されている形態とすることができる。
【００４１】
あるいは又、本開示の第１の態様に係る液晶表示装置において、
凹凸部は、画素中心部を通り、十文字に延びる幹凸部、及び、幹凸部から画素周辺部に向かって延びる複数の枝凸部から構成されており、
幹凸部と対応する第２電極の部分には、配向規制部が形成されている構成とすることができる。尚、このような構成の液晶表示装置を、便宜上、『本開示の第２Ｃの態様に係る液晶表示装置』と呼ぶ。
【００４２】
本開示の第２Ｃの態様に係る液晶表示装置にあっては、幹凸部と対応する第２電極の部分には配向規制部が形成されているので、第２電極によって生成された電場が配向規制部近傍において歪み、あるいは又、配向規制部近傍における液晶分子の倒れる方向が規定される。その結果、配向規制部近傍における液晶分子に対する配向規制力を強くすることができ、配向規制部近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【００４３】
また、本開示の第２Ｃの態様に係る液晶表示装置において、配向規制部は、第２電極に設けられたスリット部から成る形態とすることができるし、あるいは又、第２電極に設けられた突起部から成る形態とすることができる。
【００４４】
あるいは又、本開示の第１の態様に係る液晶表示装置において、
凹凸部は、画素周辺部に額縁状に形成された幹凸部、及び、幹凸部から画素内部に向かって延びる複数の枝凸部から構成されており、
第１電極には、画素中心部を通り、画素周辺部に平行なスリット部あるいは突起部が形成されている構成とすることができる。尚、このような構成の液晶表示装置を、便宜上、『本開示の第２Ｄの態様に係る液晶表示装置』と呼ぶ。
【００４５】
本開示の第２Ｄの態様に係る液晶表示装置にあっては、第１電極には、画素中心部を通り、画素周辺部に平行なスリット部あるいは突起部が形成されているので、スリット部あるいは突起部が存在しない平坦な凹部が第１電極に形成されている場合と比較して、第１電極によって生成された電場がスリット部近傍において歪み、あるいは又、突起部近傍配向規制部近傍における液晶分子の倒れる方向が規定される。その結果、スリット部あるいは突起部近傍における液晶分子に対する配向規制力を強くすることができ、スリット部あるいは突起部近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【００４６】
また、本開示の第２Ｄの態様に係る液晶表示装置において、画素と画素との間に位置する第１基板の部分の射影像とブラックマトリクスの射影像が重なるようにブラックマトリクスを形成する形態とすることができるし、画素と画素との間に位置する第１基板の部分から凹凸部の端部に亙る領域の射影像とブラックマトリクスの射影像が重なるようにブラックマトリクスを形成する形態とすることができる。
【００４７】
枝凸部及び凹部の幅として、１μｍ乃至２０μｍ、好ましくは２μｍ乃至１０μｍを例示することができる。枝凸部及び凹部の幅が１μｍ未満では、枝凸部及び凹部の形成が困難となり、十分なる製造歩留りの確保できなくなる虞がある。一方、枝凸部及び凹部の幅が２０μｍを越えると、駆動電圧を第１電極及び第２電極に印加したとき、第１電極と第２電極との間に良好なる斜め電界が生じ難くなる虞がある。幹凸部の幅として、２×１０-6ｍ乃至２×１０-5ｍ、好ましくは４×１０-6ｍ乃至１．５×１０-5ｍを例示することができる。凹部から、凹部に最も近い凸部までの高さとして、５×１０-8ｍ乃至１×１０-6ｍ、好ましくは１×１０-7ｍ乃至５×１０-7ｍを例示することができるし、凸部における各段差部の高さ（段差部を構成する凸部の隣接する頂面間の高低差）として、５×１０-8ｍ乃至１×１０-6ｍ、好ましくは１×１０-7ｍ乃至５×１０-7ｍを例示することができる。そして、これによって、良好な配向制御が可能となり、十分な製造歩留りを確保できると共に、光透過率の低下、プロセス時間の延長を防ぐことができる。
【００４８】
あるいは又、本開示の第１の態様に係る液晶表示装置において、第１電極に設けられた凸部の一部の幅は、先端部に向かって狭くなっている構成とすることができる。尚、このような構成の液晶表示装置を、便宜上、『本開示の第３の態様に係る液晶表示装置』と呼ぶ。
【００４９】
本開示の第３の態様に係る液晶表示装置にあっては、第１電極には複数の凹凸部が形成されており、この第１電極に設けられた凸部の一部の幅は、先端部に向かって狭くなっている。それ故、暗線の発生を一層少なくすることができる。即ち、一層均一な高い光透過率を実現することができ、暗線の発生を抑制することができる。
【００５０】
本開示の第３の態様に係る液晶表示装置において、
凹凸部は、画素中心部を通り、十文字に延びる幹凸部、及び、幹凸部から画素周辺部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている形態とすることができる。このような形態を、便宜上、『本開示の第３Ａの態様に係る液晶表示装置』と呼ぶ。また、幹凸部と接合する部分から先端部までの枝凸部の対向する２つの辺を、便宜上、『側辺』と呼ぶ。
【００５１】
本開示の第３Ａの態様に係る液晶表示装置にあっては、十文字に延びる幹凸部のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態を採用することができる。後述する本開示の第３Ｃ−１の態様に係る液晶表示装置、本開示の第３Ｄ−１の態様に係る液晶表示装置においても同様とすることができる。
【００５２】
あるいは又、本開示の第３の態様に係る液晶表示装置において、
凹凸部は、画素周辺部に額縁状に形成された幹凸部、及び、幹凸部から画素内部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている形態とすることができる。このような形態を、便宜上、『本開示の第３Ｂの態様に係る液晶表示装置』と呼ぶ。
【００５３】
本開示の第３Ｂの態様に係る液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態を採用することができる。後述する本開示の第３Ｃ−２の態様に係る液晶表示装置、本開示の第３Ｄ−２の態様に係る液晶表示装置においても同様とすることができる。
【００５４】
本開示の第３Ａの態様あるいは本開示の第３Ｂの態様に係る液晶表示装置において、枝凸部の幅は、幹凸部と接合する部分から先端部に向かって直線状に狭くなっている形態（枝凸部を構成する各側辺が１本の線分から構成され、幅の変化率が一定である形態）とすることができるが、これに限定するものではなく、曲線状に狭くなっている形態（枝凸部を構成する各側辺が１本の滑らかな曲線から構成され、幅の変化率が変化する形態）とすることもできるし、枝凸部を構成する各側辺が２本以上の線分あるいは曲線から構成されている形態とすることもできるし、階段状に狭くなっている形態（枝凸部を構成する各側辺が階段状である形態）とすることもできる。
【００５５】
以上に説明した好ましい形態を含む本開示の第３Ａの態様に係る液晶表示装置にあっては、幹凸部と対応する第２電極の部分には、配向規制部が形成されている形態とすることができる。このように、幹凸部と対応する第２電極の部分に配向規制部を形成すれば、第２電極によって生成された電場が配向規制部近傍において歪み、あるいは又、配向規制部近傍における液晶分子の倒れる方向が規定される。その結果、配向規制部近傍における液晶分子に対する配向規制力を強くすることができ、配向規制部近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高い光透過率を実現することができる液晶表示装置を提供することができるし、バックライトを構成する光源のコスト低減、低消費電力化を図ることができ、また、ＴＦＴの信頼性の向上を図ることもできる。
【００５６】
以上に説明した好ましい形態を含む本開示の第３Ｂの態様に係る液晶表示装置において、第１電極には、画素中心部を通り、画素周辺部に平行なスリット部あるいは突起部が形成されている形態とすることができる。尚、スリット部あるいは突起部には電極は形成されていない。そして、このように、第１電極に、画素中心部を通り、画素周辺部に平行なスリット部あるいは突起部を形成すれば、スリット部あるいは突起部が存在しない平坦な凹部が第１電極に形成されている場合と比較して、第１電極によって生成された電場がスリット部近傍において歪み、あるいは又、突起部近傍における液晶分子の倒れる方向が規定される。その結果、スリット部あるいは突起部近傍における液晶分子に対する配向規制力を強くすることができ、スリット部あるいは突起部近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高い光透過率を実現することができる液晶表示装置を提供することができるし、バックライトを構成する光源のコスト低減、低消費電力化を図ることができ、また、ＴＦＴの信頼性の向上を図ることもできる。
【００５７】
また、本開示の第３の態様に係る液晶表示装置において、第１電極に設けられた凸部には複数の段差部が形成されている形態とすることができる。尚、このような形態を、便宜上、『本開示の第３Ｃの態様に係る液晶表示装置』と呼ぶ。このように、凸部に複数の段差部（高低差）を形成すれば、凸部において電場の強弱が生じ、あるいは又、横電界が生じる。その結果、凸部における液晶分子に対する配向規制力を強くすることができ、凸部における液晶分子のチルト状態を確実に規定することができる。それ故、画像表示時、例えば、幹凸部に対応する画像の部分に暗線が発生するといった問題の発生を確実に抑制することができる。即ち、良好な電圧応答特性を保持しつつ、一層均一な高い光透過率を実現することができる液晶表示装置を提供することができるし、バックライトを構成する光源のコスト低減、低消費電力化を図ることができ、また、ＴＦＴの信頼性の向上を図ることもできる。
【００５８】
あるいは又、本開示の第３の態様に係る液晶表示装置において、
画素と画素との間に位置する第１基板の部分から、画素周辺部に対応する第１基板の部分に亙り、凸構造が形成されており、
凹凸部の周辺部は凸構造上に形成されている形態とすることができる。尚、このような形態を、便宜上、『本開示の第３Ｄの態様に係る液晶表示装置』と呼ぶ。そして、このように、凹凸部の周辺部を凸構造上に形成すれば、凹凸部の周辺部が平坦な場合と比べて、より一層強い電場が凹凸部の周辺部に生じる。その結果、凹凸部の周辺部における液晶分子に対する配向規制力を強くすることができ、凹凸部の周辺部における液晶分子のチルト状態を確実に規定することができる。それ故、良好な電圧応答特性を保持することができる。
【００５９】
本開示の第３Ｃの態様に係る液晶表示装置において、凹凸部は、画素中心部を通り、十文字に延びる幹凸部、及び、幹凸部から画素周辺部に向かって延びる複数の枝凸部から構成されている形態とすることができる。尚、このような形態を、便宜上、『本開示の第３Ｃ−１の態様に係る液晶表示装置』と呼ぶ。尚、本開示の第３Ｃ−１の態様に係る液晶表示装置は、実質的に、本開示の第３Ａの態様に係る液晶表示装置と本開示の第３Ｃの態様に係る液晶表示装置とを組み合わせたものである。
【００６０】
そして、上記の好ましい形態を含む本開示の第３Ｃ−１の態様に係る液晶表示装置において、幹凸部の延びる方向と直交する仮想垂直平面で幹凸部を切断したときの幹凸部の断面形状は、幹凸部の断面形状の中心から幹凸部の断面形状の縁に向かって段差部が下降していく断面形状を有する形態とすることができる。そして、以上に説明した各種の好ましい形態を含む本開示の第３Ｃ−１の態様に係る液晶表示装置において、幹凸部の延びる方向に平行な仮想垂直平面で幹凸部を切断したときの幹凸部の断面形状は、幹凸部の断面形状の中央部から幹凸部の断面形状の端部に向かって段差部が下降していく断面形状を有する形態とすることができる。
【００６１】
更には、以上に説明した各種の好ましい形態を含む本開示の第３Ｃ−１の態様に係る液晶表示装置において、枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する形態とすることができる。そして、以上に説明した各種の好ましい形態を含む本開示の第３Ｃ−１の態様に係る液晶表示装置において、枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する形態とすることができる。
【００６２】
更には、以上に説明した各種の好ましい形態を含む本開示の第３Ｃ−１の態様に係る液晶表示装置において、幹凸部と対応する第２電極の部分には配向規制部が形成されている形態とすることができる。本開示の第３Ａの態様あるいは本開示の第３Ｃ−１の態様に係る液晶表示装置において、配向規制部は、第２電極に設けられたスリット部から成る形態とすることができるし、あるいは又、第２電極に設けられた突起部から成る形態とすることができるし、あるいは又、突起状になった第２電極の部分から構成することもできる。突起部は、例えば、レジスト材料から成り、その上には第２電極は形成されていない。突起状になった第２電極の部分を設けるためには第２電極の下側に凸部を形成すればよいし、あるいは又、第１電極における凹凸部の凸部形成方法と同様の方法で突起状になった第２電極の部分を設けることも可能である。本開示の第３Ｃ−１の態様に係る液晶表示装置において、スリット部あるいは突起部、突起状になった第２電極の部分の幅は幹凸部の幅よりも狭いことが望ましい。後述する本開示の第３Ｄ−１の態様に係る液晶表示装置においても同様とすることができる。
【００６３】
あるいは又、本開示の第３Ｃの態様に係る液晶表示装置において、凹凸部は、画素周辺部に額縁状に形成された幹凸部、及び、幹凸部から画素内部に向かって延びる複数の枝凸部から構成されている形態とすることができる。尚、このような形態を、便宜上、『本開示の第３Ｃ−２の態様に係る液晶表示装置』と呼ぶ。尚、本開示の第３Ｃ−２の態様に係る液晶表示装置は、実質的に、本開示の第３Ｂの態様に係る液晶表示装置と本開示の第３Ｃの態様に係る液晶表示装置とを組み合わせたものである。
【００６４】
そして、上記の好ましい形態を含む本開示の第３Ｃ−２の態様に係る液晶表示装置において、幹凸部の延びる方向と直交する仮想垂直平面で幹凸部を切断したときの幹凸部の断面形状は、幹凸部の断面形状の外側の縁から幹凸部の断面形状の内側の縁に向かって段差部が下降していく断面形状を有する形態とすることができる。
【００６５】
更には、以上に説明した各種の好ましい形態を含む本開示の第３Ｃ−２の態様に係る液晶表示装置において、枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する形態とすることができる。そして、以上に説明した各種の好ましい形態を含む本開示の第３Ｃ−２の態様に係る液晶表示装置において、枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する形態とすることができる。
【００６６】
更には、以上に説明した各種の好ましい形態を含む本開示の第３Ｃ−２の態様に係る液晶表示装置において、第１電極には、画素中心部を通り、画素周辺部に平行なスリット部あるいは突起部が形成されている形態とすることができる。尚、スリット部あるいは突起部には電極は形成されていない。本開示の第３Ｂの態様あるいは本開示の第３Ｃ−２の態様に係る液晶表示装置において、突起部は、例えば、レジスト材料から成る。あるいは又、第１電極には、画素中心部を通る十文字状の凸部が凹部に囲まれて形成されている形態とすることができる。このような十文字状の凸部は、第１電極の下側に十文字状の凸部を形成することで設けることができるし、あるいは又、第１電極における凹凸部の形成方法と同様の方法で設けることも可能である。あるいは又、スリット部若しくは突起部（リブ）を設ける代わりに、画素中心部を通る十文字状の凹部を設けてもよい。後述する本開示の第３Ｄ−２の態様に係る液晶表示装置においても同様とすることができる。
【００６７】
更には、以上に説明した各種の好ましい形態を含む本開示の第３Ｃの態様に係る液晶表示装置において、
画素と画素との間に位置する第１基板の部分から、画素周辺部に対応する第１基板の部分に亙り、凸構造が形成されており、
凹凸部の周辺部は凸構造上に形成されている形態とすることができる。尚、凸構造は、周知の材料から構成されたブラックマトリクスに基づき形成されている形態とすることができる。以上に説明した各種の好ましい形態を含む本開示の第３Ｄの態様に係る液晶表示装置においても同様とすることができる。
【００６８】
また、本開示の第３Ｄの態様に係る液晶表示装置において、凹凸部は、画素中心部を通り、十文字に延びる幹凸部、及び、幹凸部から画素周辺部に向かって延びる複数の枝凸部から構成されている形態とすることができる。尚、このような形態を、便宜上、『本開示の第３Ｄ−１の態様に係る液晶表示装置』と呼ぶ。尚、本開示の第３Ｄ−１の態様に係る液晶表示装置は、実質的に、本開示の第３Ａの態様に係る液晶表示装置と本開示の第３Ｃの態様に係る液晶表示装置と本開示の第３Ｄの態様に係る液晶表示装置とを組み合わせたものである。
【００６９】
そして、上記の好ましい形態を含む本開示の第３Ｄ−１の態様に係る液晶表示装置において、幹凸部と対応する第２電極の部分には配向規制部が形成されている形態とすることができる。ここで、配向規制部は、第２電極に設けられたスリット部から成る形態とすることができるし、あるいは又、第２電極に設けられた突起部から成る形態とすることができる。
【００７０】
あるいは又、本開示の第３Ｄの態様に係る液晶表示装置において、凹凸部は、画素周辺部に額縁状に形成された幹凸部、及び、幹凸部から画素内部に向かって延びる複数の枝凸部から構成されている形態とすることができる。尚、このような形態を、便宜上、『本開示の第３Ｄ−２の態様に係る液晶表示装置』と呼ぶ。尚、本開示の第３Ｄ−２の態様に係る液晶表示装置は、実質的に、本開示の第３Ｂの態様に係る液晶表示装置と本開示の第３Ｃの態様に係る液晶表示装置と本開示の第３Ｄの態様に係る液晶表示装置とを組み合わせたものである。
【００７１】
そして、上記の好ましい形態を含む本開示の第３Ｄ−２の態様に係る液晶表示装置において、第１電極には、画素中心部を通り、画素周辺部に平行なスリット部あるいは突起部が形成されている形態とすることができる。
【００７２】
また、本開示の第３の態様に係る液晶表示装置において、画素と画素との間に位置する第１基板の部分の射影像とブラックマトリクスの射影像が重なるようにブラックマトリクスを形成する形態とすることができるし、画素と画素との間に位置する第１基板の部分から凹凸部の端部に亙る領域の射影像とブラックマトリクスの射影像が重なるようにブラックマトリクスを形成する形態とすることができる。
【００７３】
枝凸部及び凹部の平均最小幅及び平均最大幅として、１μｍ及び２５μｍ、好ましくは２μｍ及び２０μｍを例示することができる。枝凸部及び凹部の平均最小幅が１μｍ未満では、枝凸部及び凹部の形成が困難となり、十分なる製造歩留りの確保できなくなる虞がある。一方、枝凸部及び凹部の平均最大幅が２５μｍを越えると、駆動電圧を第１電極及び第２電極に印加したとき、第１電極と第２電極との間に良好なる斜め電界が生じ難くなる虞がある。幹凸部の幅として、２×１０-6ｍ乃至２×１０-5ｍ、好ましくは４×１０-6ｍ乃至１．５×１０-5ｍを例示することができる。凹部から、凹部に最も近い凸部までの高さとして、５×１０-8ｍ乃至１×１０-6ｍ、好ましくは１×１０-7ｍ乃至１×１０-6ｍ、より好ましくは２×１０-7ｍ乃至６×１０-7ｍを例示することができる。凸部における各段差部の高さ（段差部を構成する凸部の隣接する頂面間の高低差）として、５×１０-8ｍ乃至１×１０-6ｍ、好ましくは１×１０-7ｍ乃至５×１０-7ｍを例示することができる。そして、これによって、良好な配向制御が可能となり、十分な製造歩留りを確保できると共に、光透過率の低下、プロセス時間の延長を防ぐことができる。以上の議論は、「枝凸部」を後述する「枝凸部等」に読み替えることで、本開示の第４Ａの態様〜本開示の第４Ｅの態様に係る液晶表示装置に適用することができる。
【００７４】
あるいは又、本開示の第１の態様に係る液晶表示装置において、
画素の中心を通るＸ軸及びＹ軸を想定したとき、
第１象限を占める複数の凸部は、Ｘ座標の値が増加したときＹ座標の値が増加する方向に平行に延び、
第２象限を占める複数の凸部は、Ｘ座標の値が減少したときＹ座標の値が増加する方向に平行に延び、
第３象限を占める複数の凸部は、Ｘ座標の値が減少したときＹ座標の値が減少する方向に平行に延び、
第４象限を占める複数の凸部は、Ｘ座標の値が増加したときＹ座標の値が減少する方向に平行に延びる構成とすることができる。尚、このような構成を、便宜上、『本開示の第４Ａの態様に係る液晶表示装置』と呼ぶ。
【００７５】
本開示の第４Ａの態様に係る液晶表示装置において、第１象限を占める複数の凸部は、Ｘ座標の値が増加したときＹ座標の値が増加する方向に平行に延び、第２象限を占める複数の凸部は、Ｘ座標の値が減少したときＹ座標の値が増加する方向に平行に延び、第３象限を占める複数の凸部は、Ｘ座標の値が減少したときＹ座標の値が減少する方向に平行に延び、第４象限を占める複数の凸部は、Ｘ座標の値が増加したときＹ座標の値が減少する方向に平行に延びる。即ち、Ｘ軸と平行に延びる凸部の部分、あるいは、Ｙ軸と平行に延びる凸部の部分が存在しないか、存在しても、非常に短い長さである。従って、液晶分子の配向の方向を凸部の延びる方向に出来る限り一致させることができ、Ｘ軸及びＹ軸に対応した領域における暗線の発生を抑制することができる結果、一層均一な高い光透過率を実現することが可能な液晶表示装置を提供することができる。また、短時間にて液晶分子にプレチルトを付与することを可能とする構成、構造を有する液晶表示装置を提供することができる。
【００７６】
あるいは又、本開示の第１の態様に係る液晶表示装置において、
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
枝凸部と接合していない幹凸部の側辺部分の延びる方向は、Ｘ軸とは平行でなく、且つ、Ｙ軸とは平行でない構成とすることができる。即ち、枝凸部と接合していない幹凸部の側辺部分の延びる方向は、Ｘ軸及びＹ軸と異なる方向である。尚、このような構成を、便宜上、『本開示の第４Ｂの態様に係る液晶表示装置』と呼ぶ。
【００７７】
本開示の第４Ｂの態様に係る液晶表示装置において、複数の凹凸部は、Ｘ軸上及びＹ軸上を延びる幹凸部、及び、幹凸部の側辺から画素の周辺部に向かって延びる複数の枝凸部から構成されており、枝凸部と接合していない幹凸部の側辺部分の延びる方向は、Ｘ軸とは平行でなく、且つ、Ｙ軸とは平行でない。即ち、Ｘ軸と平行に延びる幹凸部の部分、あるいは、Ｙ軸と平行に延びる幹凸部の部分が存在しない。従って、Ｘ軸及びＹ軸に対応した領域における暗線の発生を抑制することができる結果、一層均一な高い光透過率を実現することが可能な液晶表示装置を提供することができる。また、短時間にて液晶分子にプレチルトを付与することを可能とする構成、構造を有する液晶表示装置を提供することができる。
【００７８】
あるいは又、本開示の第１の態様に係る液晶表示装置において、第１電極には、更に、スリット部が形成されている構成とすることができる。即ち、第１電極には、凹凸部及びスリット部が形成されている。スリット部には、第１電極を構成する透明導電材料層は形成されていない。尚、このような構成を、便宜上、『本開示の第４Ｃの態様に係る液晶表示装置』と呼ぶ。
【００７９】
あるいは又、本開示の第１の態様に係る液晶表示装置において、画素の中心領域における第１電極には窪みが設けられている構成とすることができる。即ち、第１電極には、凹凸部及び窪みが形成されている。窪みには、第１電極を構成する透明導電材料層が形成されている。尚、このような構成を、便宜上、『本開示の第４Ｄの態様に係る液晶表示装置』と呼ぶ。
【００８０】
あるいは又、本開示の第１の態様に係る液晶表示装置において、画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている構成とすることができる。尚、このような構成を、便宜上、『本開示の第４Ｅの態様に係る液晶表示装置』と呼ぶ。
【００８１】
本開示の第４Ｃの態様に係る液晶表示装置において、第１電極には、凹凸部の他、スリット部が形成されている。ここで、スリット部を設けることで、第１電極によって生成された電場がスリット部近傍において歪み、液晶分子の倒れる方向が強く規定される。その結果、スリット部近傍における液晶分子に対する配向規制力を強くすることができ、スリット部近傍における液晶分子のチルト状態を確実に規定することができる。尚、スリット部だけでなく、凹凸部も設けられているので、従来のファインスリット構造における問題点は発生することがない。また、本開示の第４Ｄの態様に係る液晶表示装置にあっては、画素の中心領域における第１電極には窪みが設けられている。ここで、窪みを設けることで、窪みの近傍に位置する液晶分子は、画素の中心に向かって倒れる状態となる。更には、本開示の第４Ｅの態様に係る液晶表示装置にあっては、凸部と凸部とはずれた状態で形成されている。ここで、凸部と凸部とをずれた状態で形成することで、画素の中心における第１電極によって生成された電場が画素の中心の近傍において所望の状態に歪み、液晶分子の倒れる方向が規定される。そして、これらの結果として、画素の中心の近傍における液晶分子に対する配向規制力を強くすることができ、画素の中心の近傍における液晶分子のチルト状態を確実に規定することができる。こうして、液晶表示装置の製造時、液晶分子にプレチルトを付与するために液晶層を所望の電場に所定の時間、暴露するが、所望の電場に暴露された液晶分子の配向が安定するまでに要する時間を短縮することができる。即ち、短時間にて液晶分子にプレチルトを付与することが可能となり、液晶表示装置の製造時間の短縮化を図ることができる。
【００８２】
本開示の第４Ａの態様〜本開示の第４Ｅの態様に係る液晶表示装置において、上述したような、凸部あるいは枝凸部（これらを総称して、以下、『枝凸部等』と呼ぶ場合がある）の配置状態は、前述したとおり、マルチドメイン電極構造と呼ばれており、１つの画素内に枝凸部等の延びる方向の異なる領域が形成されるため、視野角特性の向上を図ることができる。尚、第１象限を占める複数の枝凸部等は、前述したと同様に、その軸線がＸ軸と４５度を成して延び、第２象限を占める複数の枝凸部等は、その軸線がＸ軸と１３５度を成して延び、第３象限を占める複数の枝凸部等は、その軸線がＸ軸と２２５度を成して延び、第４象限を占める複数の枝凸部等は、その軸線がＸ軸と３１５度を成して延びる形態とすることが好ましいが、これらの値（角度）に限定するものではない。また、「画素の中心を通るＸ軸及びＹ軸を想定したとき」とは、具体的には、例えば、画素の中心を通り、画素周辺部に平行な直線のそれぞれをＸ軸、Ｙ軸とした（Ｘ，Ｙ）座標系を想定することを意味する。本開示の第４Ｅの態様に係る液晶表示装置を除き、枝凸部等は、Ｘ軸に対して線対称であり、Ｙ軸に対しても線対称であることが好ましく、あるいは又、本開示の第４Ａの態様〜本開示の第４Ｅの態様に係る液晶表示装置にあっては、枝凸部等は、画素の中心に対して１８０度の回転対称（点対称）であることが好ましい。
【００８３】
本開示の第４Ａの態様に係る液晶表示装置にあっては、本開示の第４Ｂの態様に係る液晶表示装置と異なり、幹凸部は設けられておらず、本開示の第４Ａの態様に係る液晶表示装置における凸部は、実質的に、本開示の第４Ｂの態様に係る液晶表示装置における枝凸部に相当し、
Ｘ軸から延び、第１象限を占める凸部のそれぞれは、Ｘ軸から延び、第４象限を占める凸部のそれぞれと接合しており、
Ｙ軸から延び、第１象限を占める凸部のそれぞれは、Ｙ軸から延び、第２象限を占める凸部のそれぞれと接合しており、
Ｘ軸から延び、第２象限を占める凸部のそれぞれは、Ｘ軸から延び、第３象限を占める凸部のそれぞれと接合しており、
Ｙ軸から延び、第３象限を占める凸部のそれぞれは、Ｙ軸から延び、第４象限を占める凸部のそれぞれと接合している形態とすることができる。
【００８４】
そして、本開示の第４Ａの態様に係る液晶表示装置におけるこのような形態にあっては、２つの凸部の接合部には、画素の周辺部方向に向かって延びる突出部が設けられている構成とすることができる。ここで、突出部は、複数の線分によって囲まれている構成とすることができるし、１本の曲線によって囲まれている構成とすることもできるし、複数の曲線によって囲まれている構成とすることもできるし、線分と曲線との組合せによって囲まれている構成とすることもできる。突出部の先端は、画素の周辺部方向において隣接する２つの凸部の接合部と接していてもよい。但し、接する部分が長い状態の液晶表示装置は、実質的に、本開示の第４Ｂの態様に係る液晶表示装置に該当する。
【００８５】
あるいは又、本開示の第４Ａの態様に係る液晶表示装置において、
Ｘ軸あるいはその近傍から延び、第１象限を占める凸部のそれぞれは、Ｘ軸あるいはその近傍から延び、第４象限を占める凸部のそれぞれと接合しておらず、
Ｙ軸あるいはその近傍から延び、第１象限を占める凸部のそれぞれは、Ｙ軸あるいはその近傍から延び、第２象限を占める凸部のそれぞれと接合しておらず、
Ｘ軸あるいはその近傍から延び、第２象限を占める凸部のそれぞれは、Ｘ軸あるいはその近傍から延び、第３象限を占める凸部のそれぞれと接合しておらず、
Ｙ軸あるいはその近傍から延び、第３象限を占める凸部のそれぞれは、Ｙ軸あるいはその近傍から延び、第４象限を占める凸部のそれぞれと接合していない形態とすることができる。
【００８６】
以上に説明した好ましい各種の形態、構成を含む本開示の第４Ａの態様に係る液晶表示装置において、凸部の幅は画素の周辺部に向かって狭くなる構成とすることができる。
【００８７】
更には、以上に説明した好ましい各種の形態、構成を含む本開示の第４Ａの態様に係る液晶表示装置において、第１電極には、更に、スリット部が形成されている形態とすることができる。尚、このような形態を、便宜上、『本開示の第４Ａ−１の態様に係る液晶表示装置』と呼ぶ。
【００８８】
ここで、本開示の第４Ａ−１の態様に係る液晶表示装置において、スリット部を凹部領域に形成してもよいが、スリット部は凸部領域に形成されている構成とすることがより好ましい。そして、このような構成において、スリット部は、画素の中心領域（中央部分）を含む凸部領域に設けられている構成とすることができるし、あるいは又、画素の中心領域に向かって延びる凸部領域に形成されている構成とすることができるし、あるいは又、画素の中心領域に向かって延びる凸部とＹ軸とによって挟まれた領域に設けられた凸部領域に形成されている構成とすることができる。スリット部の幅として、１μｍ乃至４μｍ、好ましくは、２μｍ乃至３μｍを例示することができる。以下におけるスリット部の説明においても同様である。
【００８９】
あるいは又、凸部の頂部には、凸部と平行に延びるスリット部が形成されている構成とすることもできるし、凹部の底部には、凹部と平行に延びるスリット部が形成されている構成とすることもできる。そして、これらの場合、凸部の全てにスリット部が形成されていてもよいし、凸部の一部にスリット部が形成されていてもよい。凸部の一部にスリット部を形成する場合、画素の中心領域（中央部分）及びその近傍の凸部にスリット部を形成することが望ましい。また、凹部の全てにスット部が形成されていてもよいし、凹部の一部にスリット部が形成されていてもよい。凹部の一部にスリット部を形成する場合、画素の中心領域（中央部分）及びその近傍の凹部にスリット部を形成することが望ましい。あるいは又、凸部の頂部には、凸部と平行に延びるスリット部が形成されており、凹部の底部には、凹部と平行に延びるスリット部が形成されている構成とすることもでき、この場合、凸部の全てにスリット部が形成されていてもよいし、凸部の一部にスリット部が形成されていてもよい。また、凹部の全てにスット部が形成されていてもよいし、凹部の一部にスリット部が形成されていてもよい。尚、凸部の頂面のスリット部が設けられていない部分には、第１電極が形成されているし、凹部の底部のスリット部が設けられていない部分には、第１電極が形成されている。尚、スリット部によって他の凸部から孤立した凸部が形成されないように、あるいは又、スリット部によって他の凹部から孤立した凹部が形成されないように、スリット部を形成する必要があるが、１つ画素が複数の領域に分割され、各領域が独立して駆動される、所謂マルチ画素駆動方式の表示装置にあっては、各領域内において、スリット部によって他の凸部から孤立した凸部が形成されないように、あるいは又、スリット部によって他の凹部から孤立した凹部が形成されないように、スリット部を形成すればよい。凸部の頂面にスリット部を設ける場合、凸部の幅とスリット部の幅として、
０．２≦（スリット部の幅／凸部の幅）≦０．８
を例示することができるし、凹部の底面にスリット部を設ける場合、凹部の幅とスリット部の幅として、
０．２≦（スリット部の幅／凹部の幅）≦０．８
を例示することができる。以下におけるスリット部の説明においても同様である。
【００９０】
更には、本開示の第４Ａ−１の態様、以上に説明した好ましい各種の形態、構成を含む本開示の第４Ａの態様に係る液晶表示装置にあっては、画素の中心領域における第１電極に窪みが設けられている形態とすることができる。尚、このような形態を、便宜上、『本開示の第４Ａ−２の態様に係る液晶表示装置』と呼ぶ。
【００９１】
ここで、本開示の第４Ａ−２の態様に係る液晶表示装置において、窪みは第１基板に向かって窄まっている構成とすることができる。即ち、窪みは、所謂、順テーパーの斜面を有する構成とすることができる。但し、これに限定するものではなく、垂直面を有している構成とすることもできる。そして、窪みが第１基板に向かって窄まっている構成にあっては、窪みの傾斜角は、５度乃至６０度、好ましくは２０度乃至３０度である構成とすることができる。更には、これらの好ましい構成を含む本開示の第４Ａ−２の態様に係る液晶表示装置にあっては、窪みの外縁の形状を、円形とすることができるし、あるいは又、矩形とすることができる。後者の場合、矩形形状の窪みの外縁と凸部の延びる方向との成す角度（矩形形状の窪みの外縁と、この外縁と凸部の延長部が交わる凸部の延びる方向との成す角度）は、９０度であってもよいし、鋭角であってもよい。尚、窪みの外縁の形状は、これらに限定されず、液晶分子を画素の中心に向けて倒せる構造であれば如何なる形状であってもよい。
【００９２】
更には、以上に説明した好ましい構成を含む本開示の第４Ａ−２の態様に係る液晶表示装置において、窪みの中心部はコンタクトホールの一部を構成する構成とすることができる。
【００９３】
尚、以上に説明した本開示の第４Ａ−２の態様に係る液晶表示装置に関する規定は、後述する本開示の第４Ｂ−２の態様に係る液晶表示装置、本開示の第４Ｃ−２の態様に係る液晶表示装置にも適用することができる。
【００９４】
更には、本開示の第４Ａ−１の態様、本開示の第４Ａ−２の態様、以上に説明した好ましい各種の形態、構成を含む本開示の第４Ａの態様に係る液晶表示装置にあっては、
Ｘ軸あるいはその近傍から延び、第１象限を占める凸部と、Ｘ軸あるいはその近傍から延び、第４象限を占める凸部とは、相互にずれた状態で形成されており、
Ｙ軸あるいはその近傍から延び、第１象限を占める凸部と、Ｙ軸あるいはその近傍から延び、第２象限を占める凸部とは、相互にずれた状態で形成されており、
Ｘ軸あるいはその近傍から延び、第２象限を占める凸部と、Ｘ軸あるいはその近傍から延び、第３象限を占める凸部とは、相互にずれた状態で形成されており、
Ｙ軸あるいはその近傍から延び、第３象限を占める凸部と、Ｙ軸あるいはその近傍から延び、第４象限を占める凸部とは、相互にずれた状態で形成されている形態とすることができる。尚、このような形態を、便宜上、『本開示の第４Ａ−３の態様に係る液晶表示装置』と呼ぶ。
【００９５】
尚、Ｘ軸に沿った凸部の形成ピッチをＰXとし、Ｙ軸に沿った凸部の形成ピッチをＰYとしたとき、
Ｘ軸あるいはその近傍から延び、第１象限を占める凸部と、Ｘ軸あるいはその近傍から延び、第４象限を占める凸部とは、相互に（ＰX／２）ずれた状態で形成されており、
Ｙ軸あるいはその近傍から延び、第１象限を占める凸部と、Ｙ軸あるいはその近傍から延び、第２象限を占める凸部とは、相互に（ＰY／２）ずれた状態で形成されており、
Ｘ軸あるいはその近傍から延び、第２象限を占める凸部と、Ｘ軸あるいはその近傍から延び、第３象限を占める凸部とは、相互に（ＰX／２）ずれた状態で形成されており、
Ｙ軸あるいはその近傍から延び、第３象限を占める凸部と、Ｙ軸あるいはその近傍から延び、第４象限を占める凸部とは、相互に（ＰY／２）ずれた状態で形成されている形態とすることが好ましい。後述する本開示の第４Ｂ−３の態様に係る液晶表示装置、本開示の第４Ｃ−３の態様に係る液晶表示装置、本開示の第４Ｄ−３の態様に係る液晶表示装置にあっても同様である。
【００９６】
同様に、本開示の第４Ｅの態様に係る液晶表示装置にあっては、Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている形態とすることが好ましい。
【００９７】
本開示の第４Ｂの態様に係る液晶表示装置において、枝凸部と接合していない幹凸部の側辺部分は、直線状及び／又は曲線状である形態、即ち、直線状である形態、あるいは又、曲線状である形態、あるいは又、直線状と曲線状の組合せである形態とすることができる。
【００９８】
そして、このような好ましい形態を含む本開示の第４Ｂの態様に係る液晶表示装置において、枝凸部と接合していない幹凸部の部分の幅は、幹凸部の先端部に向かって狭くなっている形態とすることができる。
【００９９】
更には、これらの好ましい形態を含む本開示の第４Ｂの態様に係る液晶表示装置において、枝凸部の幅は画素の周辺部に向かって狭くなる形態とすることができる。
【０１００】
更には、以上に説明した好ましい各種の形態を含む本開示の第４Ｂの態様に係る液晶表示装置において、第１電極には、更に、スリット部が形成されている形態とすることができる。尚、このような形態を、便宜上、『本開示の第４Ｂ−１の態様に係る液晶表示装置』と呼ぶ。
【０１０１】
ここで、本開示の第４Ｂ−１の態様に係る液晶表示装置において、スリット部を凹部領域に形成してもよいが、スリット部は凸部領域に形成されている構成とすることがより好ましい。そして、このような構成において、スリット部は、画素の中心領域（中央部分）を含む凸部領域に設けられている構成とすることができるし、あるいは又、画素の中心領域に向かって延びる凸部領域に形成されている構成とすることができるし、あるいは又、画素の中心領域に向かって延びる枝凸部とＹ軸とによって挟まれた領域に設けられた凸部領域に形成されている構成とすることができる。あるいは又、凸部の頂部には、凸部と平行に延びるスリット部が形成されている構成とすることもできるし、凹部の底部には、凹部と平行に延びるスリット部が形成されている構成とすることもできる。尚、スリット部によって他の凸部から孤立した凸部が形成されないように、あるいは又、スリット部によって他の凹部から孤立した凹部が形成されないように、スリット部を形成する必要があるが、前述したマルチ画素駆動方式の表示装置にあっては、スリット部の形成は前述のとおりとすればよい。
【０１０２】
本開示の第４Ｂ−１の態様、以上に説明した好ましい各種の形態、構成を含む本開示の第４Ｂの態様に係る液晶表示装置にあっては、画素の中心領域における第１電極に窪みが設けられている形態とすることができる。尚、このような形態を、便宜上、『本開示の第４Ｂ−２の態様に係る液晶表示装置』と呼ぶ。
【０１０３】
更には、本開示の第４Ｂ−１の態様、本開示の第４Ｂ−２の態様、以上に説明した好ましい各種の形態、構成を含む本開示の第４Ｂの態様に係る液晶表示装置にあっては、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態とすることができる。
【０１０４】
更には、本開示の第４Ｂ−１の態様、本開示の第４Ｂ−２の態様、以上に説明した好ましい各種の形態、構成を含む本開示の第４Ｂの態様に係る液晶表示装置にあっては、
Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている形態とすることができる。尚、このような形態を、便宜上、『本開示の第４Ｂ−３の態様に係る液晶表示装置』と呼ぶ。
【０１０５】
本開示の第４Ｃの態様に係る液晶表示装置において、スリット部を凹部領域に形成してもよいが、スリット部は凸部領域に形成されている構成とすることがより好ましい。そして、このような形態において、スリット部は、画素の中心領域（中央部分）を含む凸部領域に設けられている構成とすることができるし、また、画素の中心領域に向かって延びる凸部領域に形成されている構成とすることができるし、また、画素の中心領域に向かって延びる凸部とＹ軸とによって挟まれた領域に設けられた凸部領域に形成されている構成とすることができる。あるいは又、凸部の頂部には、凸部と平行に延びるスリット部が形成されている構成とすることもできるし、凹部の底部には、凹部と平行に延びるスリット部が形成されている構成とすることもできる。尚、スリット部によって他の凸部から孤立した凸部が形成されないように、あるいは又、スリット部によって他の凹部から孤立した凹部が形成されないように、スリット部を形成する必要があるが、前述したマルチ画素駆動方式の表示装置にあっては、スリット部の形成は前述のとおりとすればよい。
【０１０６】
更には、以上に説明した好ましい形態、構成を含む本開示の第４Ｃの態様に係る液晶表示装置において、凸部の幅は画素の周辺部に向かって狭くなる構成とすることができる。
【０１０７】
更には、以上に説明した好ましい形態、構成を含む本開示の第４Ｃの態様に係る液晶表示装置にあっては、画素の中心領域における第１電極に窪みが設けられている形態とすることができる。尚、このような形態を、便宜上、『本開示の第４Ｃ−２の態様に係る液晶表示装置』と呼ぶ。
【０１０８】
更には、本開示の第４Ｃ−２の態様、以上に説明した好ましい各種の形態、構成を含む本開示の第４Ｃの態様に係る液晶表示装置にあっては、
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されている形態とすることができる。そして、この場合、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる形態とすることができる。そして、更には、
Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている形態とすることができる。尚、このような形態を、便宜上、『本開示の第４Ｃ−３の態様に係る液晶表示装置』と呼ぶ。
【０１０９】
本開示の第４Ｄの態様に係る液晶表示装置において、窪みの中心部はコンタクトホールの一部を構成する形態とすることができる。ここで、上述した本開示の第４Ａ−２の態様に係る液晶表示装置に関する規定を、本開示の第４Ｄの態様に係る液晶表示装置に適用することができる。
【０１１０】
更には、以上に説明した好ましい形態を含む本開示の第４Ｄの態様に係る液晶表示装置において、上述した本開示の第４Ｃ−３の態様に係る液晶表示装置の規定を適用することができ、係る液晶表示装置を、便宜上、『本開示の第４Ｄ−３の態様に係る液晶表示装置』と呼ぶ。
【０１１１】
以上に説明した好ましい形態、構成を含む本開示の第４Ａの態様〜本開示の第４Ｅの態様に係る液晶表示装置において、枝凸部等の幅を画素の周辺部に向かって狭くする構成にあっては、枝凸部等の幅は、画素の周辺部に向かって直線状に狭くなっている形態（枝凸部等を構成する各側辺が１本の線分から構成され、幅の変化率が一定である形態）とすることができるが、これに限定するものではなく、曲線状に狭くなっている形態（枝凸部等を構成する各側辺が１本の滑らかな曲線から構成され、幅の変化率が変化する形態）とすることもできるし、枝凸部等を構成する各側辺が２本以上の線分あるいは曲線から構成されている形態とすることもできるし、階段状に狭くなっている形態（枝凸部等を構成する各側辺が階段状である形態）とすることもできる。
【０１１２】
以上に説明した好ましい形態、構成を含む本開示の第４Ａの態様〜本開示の第４Ｅの態様に係る液晶表示装置において、Ｘ軸及びＹ軸に対向する第２電極の部分には、配向規制部が形成されている形態とすることができる。このように、幹凸部と対応する第２電極の部分に配向規制部を形成すれば、第２電極によって生成された電場が配向規制部近傍において歪み、あるいは又、配向規制部近傍における液晶分子の倒れる方向が規定される。その結果、配向規制部近傍における液晶分子に対する配向規制力を強くすることができ、配向規制部近傍における液晶分子のチルト状態を確実に規定することができる。それ故、画像表示時、Ｘ軸及びＹ軸に対応する画像の部分に暗線が発生するといった問題の発生を確実に抑制することができる。即ち、良好な電圧応答特性を保持しつつ、一層均一な高い光透過率を実現することができる液晶表示装置を提供することができるし、バックライトを構成する光源のコスト低減、低消費電力化を図ることができ、また、ＴＦＴの信頼性の向上を図ることもできる。
【０１１３】
配向規制部は、第２電極に設けられた第２電極スリット部から成る形態とすることができるし、あるいは又、第２電極に設けられた第２電極突起部から成る形態とすることができるし、あるいは又、突起状になった第２電極の部分から構成することもできる。第２電極突起部は、例えば、レジスト材料から成り、その上には第２電極は形成されていない。突起状になった第２電極の部分を設けるためには第２電極の下側に凸部を形成すればよいし、あるいは又、第１電極における凹凸部の凸部形成方法と同様の方法で突起状になった第２電極の部分を設けることも可能である。
【０１１４】
また、以上に説明した好ましい形態、構成を含む本開示の第４Ａの態様〜本開示の第４Ｅの態様に係る液晶表示装置において、第１電極に設けられた凸部には、複数の段差部が形成されている形態とすることができる。ここで、凸部の延びる方向と直交する仮想垂直平面で凸部を切断したときの凸部の断面形状は、凸部の断面形状の中心から凸部の断面形状の縁に向かって段差部が下降していく断面形状を有する形態とすることができる。また、凸部の延びる方向に平行な仮想垂直平面で凸部を切断したときの凸部の断面形状は、凸部の断面形状の中央部から凸部の断面形状の端部に向かって段差部が下降していく断面形状を有する形態とすることができる。このように、凸部に複数の段差部（高低差）を形成すれば、凸部において電場の強弱が生じ、あるいは又、横電界が生じる。その結果、凸部における液晶分子に対する配向規制力を強くすることができ、凸部における液晶分子のチルト状態を確実に規定することができる。それ故、画像表示時、例えば、凸部に対応する画像の部分に暗線が発生するといった問題の発生を確実に抑制することができる。即ち、良好な電圧応答特性を保持しつつ、一層均一な高い光透過率を実現することができる液晶表示装置を提供することができるし、バックライトを構成する光源のコスト低減、低消費電力化を図ることができ、また、ＴＦＴの信頼性の向上を図ることもできる。
【０１１５】
また、以上に説明した好ましい形態、構成を含む本開示の第３Ａの態様あるいは本開示の第３Ｂの態様に係る液晶表示装置、本開示の第４Ａの態様〜本開示の第４Ｅの態様に係る液晶表示装置において、上述したとおり、枝凸部等の幅は、幹凸部と接合する枝凸部の部分、あるいは又、Ｘ軸あるいはその近傍、Ｙ軸あるいはその近傍の枝凸部等の部分（便宜上、『枝凸部等の根元部』と呼ぶ）が最も広く、画素の周辺部に向かって、即ち、枝凸部等の先端部に向かって狭くなっている形態とすることができる。ここで、枝凸部等の形成ピッチを「Ｐ」、枝凸部等の根元部の幅を「Ｗ1」、枝凸部等の先端部の幅を「Ｗ2」とする。図８４及び図８５に示すように、幹凸部と枝凸部とが接合する幹凸部の縁部と、枝凸部の一方のエッジ部（側辺エッジ部）の成す角度（あるいは又、Ｘ軸あるいはＹ軸と、枝凸部等の一方のエッジ部（側辺エッジ部）の成す角度）をα1、幹凸部と枝凸部とが接合する幹凸部の外縁と、枝凸部の他方の側辺エッジ部の成す角度（あるいは又、Ｘ軸あるいはＹ軸と、枝凸部等の他方の側辺エッジ部の成す角度）をα2としたとき、幹凸部の外縁近傍における、枝凸部の軸線Ｌ0と幹凸部の外縁との成す角度（あるいは又、Ｘ軸あるいはＹ軸と枝凸部等の軸線Ｌ0との成す角度）α0は、
α0＝｛α1＋（１８０−α2）｝／２
で表すことができる。但し、０＜α1≦９０度、９０≦α2＜１８０度とする。そして、このような場合、幹凸部の外縁と枝凸部の一方の側辺エッジ部の交点（あるいは又、Ｘ軸あるいはＹ軸と枝凸部等の一方の側辺エッジ部の交点）をｗ11とし、Ｘ軸あるいはＹ軸と枝凸部等の他方の側辺エッジ部の交点をｗ’11とし、交点ｗ11を通り、枝凸部等の軸線Ｌ0と直交する直線Ｌ1が枝凸部等の他方の側辺エッジ部と交わる点をｗ12としたとき、交点ｗ11から交点ｗ12までの距離を、枝凸部等の根元部の幅Ｗ1と定義する。また、枝凸部等の軸線Ｌ0と直交する直線であって、枝凸部等の先端部と接する直線Ｌ2と、枝凸部等の一方の側辺エッジ部との交点（あるいは枝凸部等の一方の側辺エッジ部延長線との交点）をｗ21、直線Ｌ2と、枝凸部等の他方の側辺エッジ部との交点（あるいは枝凸部等の他方の側辺エッジ部延長線との交点）をｗ22としたとき、交点ｗ21から交点ｗ22までの距離を、枝凸部等の先端部の幅をＷ2と定義する。尚、図８５において、側辺エッジ部延長線を一点鎖線で示す。更には、隣接する枝凸部等の軸線Ｌ0の間の距離を、枝凸部等の形成ピッチＰと定義する。また、交点ｗ’11を通り、直線Ｌ1と平行な直線Ｌ3が、枝凸部等の他方の側辺エッジ部と対向する（隣接する）枝凸部等の一方の側辺エッジ部と交わる点をｗ31とするとき、交点ｗ’11から交点ｗ31までの距離を、枝凸部等の間の距離Ｗ3と定義する。枝凸部等の全テーパー幅ＴＰは、
ＴＰ  ＝Ｗ1−Ｗ2
と定義することができる。また、枝凸部等の平均幅Ｗave1、凹部の平均幅Ｗave2は、
Ｗave1＝（Ｗ1＋Ｗ2）／２
Ｗave2＝Ｐ−Ｗave1
で表すことができる。ここで、Ｗ3の値として、１μｍ乃至１０μｍ、好ましくは２μｍ乃至５μｍを挙げることができるし、Ｗ2の値として、１μｍ乃至１０μｍ、好ましくは２μｍ乃至５μｍを挙げることができるし、Ｐの値として、２μｍ乃至２０μｍ、好ましくは２μｍ乃至１０μｍを挙げることができる。また、ＴＰの値として、Ｗ3の０．１倍乃至１０倍を例示することができる。尚、これらの値は、長さの最も長い枝凸部等に対して適用すればよい。
【０１１６】
以上に説明した各種の好ましい形態、構成を含む本開示の液晶表示装置（以下、これらを総称して、単に、『本開示の液晶表示装置等』と呼ぶ場合がある）において、液晶分子は負の誘電率異方性を有する形態とすることができる。
【０１１７】
本開示の液晶表示装置等あるいは液晶表示素子は、
第１基板に第１電極を形成し、第２基板と対向する第１基板の対向面上、及び、第１電極上に、平坦化層を形成し、更に、平坦化層上に第１配向膜を形成する工程と、あるいは又、第１基板に第１電極を形成し、第２基板と対向する第１基板の対向面上、及び、第１電極上に、平坦化層としても機能する第１配向膜を形成する工程と、
第２基板に第２電極を形成し、第１基板と対向する第２基板の対向面上、及び、第２電極上に、第２配向膜を形成する工程と、
第１基板及び第２基板を、第１配向膜と第２配向膜とが対向するように配置し、第１配向膜と第２配向膜との間に液晶層を封止する工程と、
所定の電場を印加して液晶分子を配向させる工程、
とを具備する液晶表示装置あるいは液晶表示素子の製造方法によって得ることができる。
【０１１８】
そして、この場合、液晶分子を一対の基板の少なくとも一方の基板の表面に対して斜め方向に配列させるように、電場を印加することが好ましい。尚、基本的に、プレチルトが付与されるときの液晶分子の方位角（偏角）は、電場の強さと方向によって規定され、極角（天頂角）は、電場の強さによって規定される。場合によっては、プレチルトが付与されるときの液晶分子の方位角（偏角）、極角（天頂角）は、更に、配向膜材料の分子構造によっても規定され得る。
【０１１９】
尚、所定の電場を印加して液晶分子を配向させる工程は、液晶分子と配向制御材料とを含む液晶層に対して所定の電場を印加しつつ、配向制御材料を反応させることで、液晶分子を配向させ、プレチルトを付与する工程から成る。尚、このような液晶表示装置の製造方式は、ＰＳＡ方式（Polymer Stabilized Alignment方式）と呼ばれる。あるいは又、所定の電場を印加して液晶分子を配向させる工程は、少なくとも一方の基板の対向面及び電極上に配向制御材料を含む配向膜を形成した状態で、液晶層に対して所定の電場を印加しつつ、配向制御材料を反応させることで、液晶分子を配向させ、プレチルトを付与する工程から成る。尚、このような液晶表示装置の製造方式は、ＦＰＡ方式（Field-induced Photo-reactive Alignment方式）と呼ばれる。
【０１２０】
一対の基板は、画素電極を有する基板、及び、対向電極を有する基板から構成されているが、例えば、第１基板を画素電極を有する基板とし、第２基板を対向電極を有する基板とすればよい。対向電極を有する基板（第２基板）側にカラーフィルター層が形成されており、あるいは又、画素電極を有する基板（第１基板）側にカラーフィルター層が形成されている。画素電極を有する基板（第１基板）には、ＴＦＴ等の画素を駆動するための回路が設けられている。尚、ＴＦＴ等の画素を駆動するための回路を含む層を、『ＴＦＴ層』と呼ぶ場合がある。対向電極を有する基板（第２基板）側にカラーフィルター層が形成されている場合、ＴＦＴ層の上には平滑化膜が形成されており、平滑化膜上に第１電極が形成されている。一方、画素電極を有する基板（第１基板）側にカラーフィルター層が形成されている場合、ＴＦＴ層の上にはカラーフィルター層が形成されており、カラーフィルター層上に、あるいは又、カラーフィルター層の上の形成されたオーバーコート層の上に、若しくは、無機材料から成るパシベーション膜の上に、第１電極が形成されている。液晶表示装置において、画素が複数の副画素から構成される場合、画素を副画素と読み替えればよい。第１電極及び第２電極は、例えば、ＩＴＯ（インジウム錫酸化物）やＩＺＯ、ＺｎＯ、ＳｎＯ等の透明性を有する透明導電材料から構成すればよい。また、第２電極は、所謂ベタ電極（パターニングされていない電極）とすることができる。例えば、第１基板の外面に第１の偏光板を貼り付け、第２基板の外面に第２の偏光板を貼り付ける。第１の偏光板と第２の偏光板とは、それぞれの吸収軸が直交するように配置する。第１の偏光板の吸収軸は、Ｘ軸あるいはＹ軸と平行であり、第２の偏光板の吸収軸は、Ｙ軸あるいはＸ軸と平行である形態とすることが好ましいが、これに限定するものではない。
【０１２１】
液晶表示装置は、周知の面状照明装置（バックライト）によって照明される。面状照明装置は、直下型の面状光源装置としてもよいし、エッジライト型（サイドライト型とも呼ばれる）の面状光源装置とすることもできる。ここで、直下型の面状光源装置は、例えば、筐体内に配置された光源と、光源の下方に位置する筐体の部分に配置され、光源からの出射光を上方に反射する反射部材と、光源の上方に位置する筐体開口部に取り付けられ、光源からの出射光及び反射部材からの反射光を拡散させながら通過させる拡散板とから構成されている。一方、エッジライト型の面状光源装置は、例えば、導光板と、導光板の側面に配置された光源から構成されている。尚、導光板の下方には反射部材が配置されており、導光板の上方には拡散シート及びプリズムシートが配置されている。光源は、例えば冷陰極線型の蛍光ランプから成り、白色光を出射する。あるいは又、例えば、ＬＥＤや半導体レーザ素子といった発光素子から成る。面状照明装置（バックライト）からの光の通過を液晶表示装置によって制御することで、液晶表示装置において画像を表示することができる。
【実施例１】
【０１２２】
実施例１は、本開示の液晶表示装置に関し、具体的には、本開示の第１の態様に係る液晶表示装置、より具体的には、本開示の第１−１の態様に係る液晶表示装置に関し、更には、第１の形式の液晶表示装置に関する。実施例１の液晶表示装置の模式的な一部端面図を図１に示し、実施例１の液晶表示装置を構成する１画素分の第１電極の模式的な平面図を図４に示し、実施例１の液晶表示装置における図４の矢印Ａ−Ａ及び矢印Ｂ−Ｂに沿った第１電極等の模式的な一部断面図を図５Ａ及び図５Ｂに示す。
【０１２３】
実施例１の液晶表示装置、あるいは、後述する実施例２〜実施例３３の液晶表示装置は、
第１基板２０及び第２基板５０、
第２基板５０と対向する第１基板２０の対向面に形成された第１電極（画素電極）、
第１基板２０と対向する第２基板５０の対向面に形成された第２電極（対向電極）、並びに、
第１電極及び第２電極の間に設けられ、液晶分子７１Ａ，７１Ｂ，７１Ｃを含む液晶層７０、
を有する画素１０が、複数、配列されて成る液晶表示装置である。そして、液晶分子にはプレチルトが付与されている。具体的には、液晶分子は、少なくとも第１電極の側にプレチルトが付与されている。尚、液晶分子は負の誘電率異方性を有する。そして、
第１電極には複数の凹凸部が形成されており、
第１電極の少なくも凹部と凹部の間は、平坦化層４１，４２，４３で埋め込まれている。
【０１２４】
具体的には、実施例１の液晶表示装置において、平坦化層４１は第１電極１４０を被覆している。そして、平坦化層４１を覆う第１配向膜２１及び第２電極１６０を覆う第２配向膜５１を更に備えており、液晶分子には、少なくとも第１配向膜２１によってプレチルトが付与されている。平坦化層４１はレジスト材料から成り、第１配向膜２１及び第２配向膜５１はポリイミド樹脂から成る。これらの平坦化層４１、第１配向膜２１、第２配向膜５１は、例えば、スピンコート法に基づき形成することができる。
【０１２５】
液晶分子７１は、第１配向膜２１との界面近傍において第１配向膜２１に保持された液晶分子７１Ａと、第２配向膜５１との界面近傍において第２配向膜５１に保持された液晶分子７１Ｂと、それら以外の液晶分子７１Ｃとに分類することができる。液晶分子７１Ｃは、液晶層７０の厚み方向における中間領域に位置し、駆動電圧がオフの状態において液晶分子７１Ｃの長軸方向（ダイレクタ）が第１基板２０及び第２基板５０に対してほぼ垂直になるように配列されている。ここで、駆動電圧がオンになると、液晶分子７１Ｃのダイレクタが第１基板２０及び第２基板５０に対して平行になるように傾いて配向する。このような挙動は、液晶分子７１Ｃにおいて、長軸方向の誘電率が短軸方向よりも小さいという性質を有することに起因している。液晶分子７１Ａ，７１Ｂも同様の性質を有することから、駆動電圧のオン・オフの状態変化に応じて、基本的には、液晶分子７１Ｃと同様の挙動を示す。但し、駆動電圧がオフの状態において、液晶分子７１Ａは第１配向膜２１によってプレチルトθ1が付与され、あるいは又、液晶中に予め混入されたモノマーによってプレチルトθ1が付与され、そのダイレクタが第１基板２０及び第２基板５０の法線方向から傾斜した姿勢となる。同様に、液晶分子７１Ｂは、第２配向膜５１によってプレチルトθ2が付与され、あるいは又、液晶中に予め混入されたモノマーによってプレチルトθ2が付与され、そのダイレクタが第１基板２０及び第２基板５０の法線方向から傾斜した姿勢となる。尚、ここで、「保持される」とは、配向膜２１，５１と液晶分子７１Ａ，７１Ｂとが固着せずに、液晶分子７１の配向を規制していることを表している。また、「プレチルトθ（θ1，θ2）」とは、図８１Ａに示すように、第１基板２０及び第２基板５０の表面に垂直な方向（法線方向）をＺとした場合に、駆動電圧がオフの状態で、Ｚ方向に対する液晶分子７１（７１Ａ，７１Ｂ）のダイレクタＤの傾斜角度を指す。以下に説明する種々の実施例においても同様である。
【０１２６】
液晶層７０では、プレチルトθ1，θ2の双方が０度よりも大きな値を有している。液晶層７０では、プレチルトθ1，θ2は、同じ角度（θ1＝θ2）であってもよいし、異なる角度（θ1≠θ2）であってもよいが、中でも、プレチルトθ1，θ2は、異なる角度であることが好ましい。これにより、プレチルトθ1，θ2の双方が０度である場合よりも駆動電圧の印加に対する応答速度が向上すると共に、プレチルトθ1，θ2の双方が０度である場合とほぼ同等のコントラストを得ることができる。よって、応答特性を向上させつつ、黒表示の際の光の透過量を低減することができ、コントラストを向上させることができる。プレチルトθ1，θ2を異なる角度とする場合、プレチルトθ1，θ2のうちの大きい方のプレチルトθは、１度以上、４度以下であることがより望ましい。大きい方のプレチルトθを上記した範囲内にすることにより、特に、高い効果が得られる。以下に説明する種々の実施例においても同様である。
【０１２７】
第１基板２０の上には、ＴＦＴ層３０（詳細は後述する）が形成されており、ＴＦＴ層３０上に、感光性のポリイミド樹脂やアクリル樹脂等の有機絶縁材料から成る平滑化膜２２が形成されており、平滑化膜２２上に第１電極１４０が形成されている。平滑化膜２２は、ＳｉＯ2やＳｉＮ、ＳｉＯＮ等の無機絶縁材料から構成することもできる。以下に説明する種々の実施例においても同様とすることができる。参照番号１４６，２４６，３４６，１１４６，１２４６，２１４６，２２４６，２３４５，２４４６，３１４６，３２４６，３３４６，３４４６は、画素と画素との間に位置する第１基板の部分を示す。
【０１２８】
そして、実施例１の液晶表示装置にあっては、第１電極１４０には複数の凹凸部１４１（凸部１４２及び凹部１４５）が形成されている。具体的には、実施例１の液晶表示装置において、凹凸部１４１は、画素中心部を通り、十文字に延びる幹凸部（主凸部）１４３、及び、幹凸部１４３から画素周辺部に向かって延びる複数の枝凸部（副凸部）１４４から構成されている。より具体的には、十文字に延びる幹凸部１４３のそれぞれをＸ軸、Ｙ軸とした（Ｘ，Ｙ）座標系を想定したとき、
第１象限を占める複数の枝凸部１４４は、Ｘ座標の値が増加したときＹ座標の値が増加する方向に平行に延び、
第２象限を占める複数の枝凸部１４４は、Ｘ座標の値が減少したときＹ座標の値が増加する方向に平行に延び、
第３象限を占める複数の枝凸部１４４は、Ｘ座標の値が減少したときＹ座標の値が減少する方向に平行に延び、
第４象限を占める複数の枝凸部１４４は、Ｘ座標の値が増加したときＹ座標の値が減少する方向に平行に延びる。図面において、凹部１４５には、縦方向に延びるハッチングを付している。
【０１２９】
凹凸部は、例えば、
（ａ）下地である平滑化膜（あるいはカラーフィルター層）の上におけるレジスト材料層の形成（平滑化膜及びカラーフィルター層を総称して、『平滑化膜等』と呼ぶ）
（ｂ）露光・現像によるレジスト材料層における凹凸部の形成
（ｃ）レジスト材料層及び平滑化膜等のエッチバックによる、平滑化膜等における凹凸部の形成
（ｄ）平滑化膜等の上における透明導電材料層の形成及びパターニング
によって得ることができる。
【０１３０】
あるいは又、凹凸部は、例えば、
（ａ）平滑化膜等の上に形成された下地層の上におけるレジスト材料層の形成
（ｂ）露光・現像によるレジスト材料層における凹凸部の形成
（ｃ）レジスト材料層及び平滑化膜等のエッチバックによる、下地層における凹凸部の形成
（ｄ）下地層の上における透明導電材料層の形成及びパターニング
によって得ることができる。
【０１３１】
あるいは又、凹凸部は、例えば、
（ａ）下地である平滑化膜等の上におけるパターニングされた絶縁材料層の形成
（ｂ）平滑化膜等及び絶縁材料層上における透明導電材料層の形成及びパターニング
によって得ることができる。
【０１３２】
あるいは又、凹凸部は、例えば、
（ａ）下地である平滑化膜等における透明導電材料層の形成
（ｂ）透明導電材料層上におけるレジスト材料層の形成
（ｃ）露光・現像によるレジスト材料層における凹凸部の形成
（ｄ）レジスト材料層及び透明導電材料層のエッチバック
によって得ることができる。
【０１３３】
あるいは又、凹凸部は、例えば、
（ａ）下地である平滑化膜等における第１透明導電材料層の形成及びパターニング
（ｂ）第１透明導電材料層上における、第１透明導電材料層とエッチング選択比を有する第２透明導電材料層の形成及びパターニング
によって得ることができる。
【０１３４】
あるいは又、凹凸部は、例えば、平滑化膜の厚さの最適化を図ることで、第１基板の上、あるいは、第１基板の上方に形成された液晶表示装置構成要素（例えば、各種信号線や補助容量電極、ゲート電極、ソース／ドレイン電極、各種配線）の厚さの影響で平滑化膜に凸部を形成することで得ることもできる。
【０１３５】
凸部、幹凸部あるいは枝凸部の側面（側壁）は、垂直面であってもよいし、順テーパーが付されていてもよいし、逆テーパーが付されていてもよい。
【０１３６】
以上の凹凸部に関する説明は、以下に説明する種々の実施例に適用することができる。また、後述する幹凸部あるいは枝凸部における段差部にも適用することができる。
【０１３７】
第１基板２０の外面には第１の偏光板（図示せず）が貼り付けられており、第２基板５０の外面には第２の偏光板（図示せず）が貼り付けられている。第１の偏光板と第２の偏光板とは、それぞれの吸収軸が直交するように配置する。第１の偏光板の吸収軸は、Ｘ軸あるいはＹ軸と平行であり、第２の偏光板の吸収軸は、Ｙ軸あるいはＸ軸と平行である。以下の実施例においても同様である。
【０１３８】
図８２は、図１に示した液晶表示装置、あるいは、後述する種々の実施例の液晶表示装置における回路構成を表している。
【０１３９】
図８２に示すように、液晶表示装置は、表示領域８０内に設けられた複数の画素１０を有する液晶表示素子を含んで構成されている。この液晶表示装置では、表示領域８０の周囲には、ソースドライバ８１及びゲートドライバ８２と、ソースドライバ８１及びゲートドライバ８２を制御するタイミングコントローラ８３と、ソースドライバ８１及びゲートドライバ８２に電力を供給する電源回路８４とが設けられている。
【０１４０】
表示領域８０は、映像が表示される領域であり、複数の画素１０がマトリクス状に配列されることにより映像を表示可能に構成された領域である。尚、図８２では、複数の画素１０を含む表示領域８０を示しているほか、４つの画素１０に対応する領域を別途拡大して示している。
【０１４１】
表示領域８０では、行方向に複数のソース線９１が配列されていると共に、列方向に複数のゲート線９２が配列されており、ソース線９１及びゲート線９２が互いに交差する位置に画素１０がそれぞれ配置されている。各画素１０は、第１電極１４０及び液晶層７０と共に、ＴＦＴ９３及びキャパシタ９４を含んで構成されている。各ＴＦＴ９３では、ソース電極がソース線９１に接続され、ゲート電極がゲート線９２に接続され、ドレイン電極がキャパシタ９４及び第１電極１４０に接続されている。各ソース線９１は、ソースドライバ８１に接続されており、ソースドライバ８１から画像信号が供給される。各ゲート線９２は、ゲートドライバ８２に接続されており、ゲートドライバ８２から走査信号が順次供給される。
【０１４２】
ソースドライバ８１及びゲートドライバ８２は、複数の画素１０の中から特定の画素１０を選択する。
【０１４３】
タイミングコントローラ８３は、例えば、画像信号（例えば、赤、緑、青に対応するＲＧＢの各映像信号）と、ソースドライバ８１の動作を制御するためのソースドライバ制御信号とを、ソースドライバ８１に出力する。また、タイミングコントローラ８３は、例えば、ゲートドライバ８２の動作を制御するためのゲートドライバ制御信号をゲートドライバ８２に出力する。ソースドライバ制御信号として、例えば、水平同期信号、スタートパルス信号あるいはソースドライバ用のクロック信号等が挙げられる。ゲートドライバ制御信号として、例えば、垂直同期信号や、ゲートドライバ用のクロック信号等が挙げられる。
【０１４４】
実施例１の液晶表示装置の製造にあっては、先ず、以下に説明する方法に基づきＴＦＴを形成し、更に、平滑化膜２２が形成された第１基板２０の対向面上にＩＴＯから成る透明導電材料層を形成する。尚、第１基板２０は、厚さ０．７ｍｍのガラス基板から成る。
【０１４５】
即ち、図８３Ａに示すように、第１基板２０上に形成された絶縁膜２０’の上にゲート電極３１を形成し、ゲート電極３１及び絶縁膜２０’の上にゲート絶縁層３２を形成する。ゲート絶縁層３２は、例えば、ＳｉＯ2やＳｉＮ、ＳｉＯＮ、金属酸化物から成る。次いで、ゲート絶縁層３２上にチャネル形成領域となる半導体層３３を形成した後、半導体層３３上にソース／ドレイン電極３４を形成する。半導体層３３は、例えば、ポリシリコンやアモルファスシリコンから成り、ソース／ドレイン電極３４は、例えば、チタン、クロム、アルミニウム、モリブデン、タンタル、タングステン、銅等の金属膜や、これらの合金膜又は積層膜から成る。こうして、ＴＦＴ層３０を得ることができる。以上のＴＦＴ層３０の形成は、周知の方法に基づき行うことができる。尚、ＴＦＴは、このような所謂ボトムゲート／トップコンタクト型に限定されず、ボトムゲート／ボトムコンタクト型とすることもできるし、トップゲート／トップコンタクト型とすることもできるし、トップゲート／ボトムコンタクト型とすることもできる。次いで、全面に、厚さ２．５μｍの平滑化膜２２を形成した後、一方のソース／ドレイン電極３４の上方の平滑化膜２２に接続孔３５を形成する。
【０１４６】
次いで、平滑化膜２２上にレジスト材料層を形成した後、露光・現像を行うことで、レジスト材料層に、所定の深さを有する凹凸部を形成する。そして、レジスト材料層及び平滑化膜２２のエッチバックを行うことで、平滑化膜２２に凹凸部を形成することができる。その後、全面に、所定の厚さを有するＩＴＯから成る透明導電材料層２４を形成することで、凹凸部１４１（凸部１４３，１４４、凹部１４５）を得ることができる。そして、周知の方法に基づき透明導電材料層２４をパターニングすることで、第１電極１４０をマトリクス状に設けることができる。凸部１４３，１４４、凹部１４５等の仕様を以下の表１のとおりとした。
【０１４７】
尚、一方のソース／ドレイン電極３４の上方の平滑化膜２２に接続孔３５を形成した後、接続孔３５を含む平滑化膜２２の上に、第１電極１４０を形成するための透明導電材料層を成膜してもよい。そして、この場合には、次いで、透明導電材料層上にレジスト材料層を形成した後、露光・現像を行うことで、レジスト材料層に凹凸部を形成する。そして、レジスト材料層及び透明導電材料層のエッチバックを行うことで、凹凸部１４１（凸部１４３，１４４、凹部１４５）を形成することができる。
【０１４８】
一方、第２基板５０にあっては、厚さ０．７ｍｍのガラス基板から成る第２基板５０にカラーフィルター層（図示せず）を形成し、カラーフィルター層上に、所謂ベタ電極の第２電極１６０を形成する。
【０１４９】
［表１］
凸部の平均高さ        ：０．４μｍ
凸部の形成ピッチ      ：５．０μｍ
凸部の幅              ：２．５μｍ
凹部の幅              ：２．５μｍ
透明導電材料層の厚さ  ：０．１μｍ
枝凸部の側面の傾斜角度：順テーパーで７０度
第１配向膜の平均膜厚  ：０．１μｍ
第２配向膜の平均膜厚  ：０．１μｍ
Ｔ2／Ｔ1              ：１
ＨL／ＨH              ：約１
ＨH／ＨC              ：約１．２５
【０１５０】
その後、第１電極１４０を被覆する平坦化層４１をスピンコート法に基づき形成し、乾燥させる。次いで、平坦化層４１上に第１配向膜２１を形成し、第２電極１６０の上に第２配向膜５１を形成する。具体的には、配向膜材料を、平坦化層４１及び第２電極１６０のそれぞれの上に塗布あるいは印刷した後、加熱処理をする。配向膜材料として、垂直配向膜材料であるＪＳＲ株式会社製ＪＡＬＳ２１３１−Ｒ６を使用した。加熱処理の温度は８０゜Ｃ以上が好ましく、１５０゜Ｃ以上、２００゜Ｃ以下とすることがより好ましい。また、加熱処理は、加熱温度を段階的に変化させてもよい。これにより、塗布あるいは印刷された配向膜材料に含まれる溶剤が蒸発し、高分子化合物を含む配向膜２１，５１が形成される。その後、必要に応じて、ラビング等の処理を施してもよい。より具体的には、第１配向膜２１及び第２配向膜５１として、垂直配向膜材料をスピンコート法に基づき、平坦化層４１及び第２電極１６０の上に塗布する。そして、ホットプレート上で８０゜Ｃ、８０秒の乾燥工程を行った後、窒素雰囲気のクリーンオーブン内で、２００゜Ｃ、６０分間のベーキングを行い、第１配向膜２１及び第２配向膜５１を得た。
【０１５１】
次に、第１基板２０と第２基板５０とを配向膜２１と配向膜５１とが対向するように配置し、配向膜２１と配向膜５１との間に、液晶分子７１を含む液晶層７０を封止する。具体的には、第１基板２０あるいは第２基板５０のどちらか一方の、配向膜２１，５１の形成されている面に対して、セルギャップを確保するためのスペーサ突起物、例えば、直径３．０μｍのプラスチックビーズ等を散布する一方、例えば、スクリーン印刷法により、第２基板５０上の外縁に、粒径３．５μｍのシリカ粒子を含む紫外線硬化樹脂を塗布することによりシール部を形成する。そして、シール部に囲まれた部分に、ネガ型液晶に重合性モノマー（具体的には、アクリルモノマーであり、新中村化学工業株式会社製Ａ−ＢＰ−２Ｅ）を０．３質量％混入した液晶材料を滴下注入する。尚、このような液晶表示装置の製造方式は、ＰＳＡ方式と呼ばれる。その後、第１基板２０と第２基板５０とを貼り合わせ、１２０゜Ｃ、１時間といった条件で、シール部を硬化させる。これにより、液晶層７０が封止される。次いで、第１電極１４０と第２電極１６０との間に、電圧印加手段を用いて、電圧を印加する。電圧は、例えば、３ボルト〜３０ボルト、具体的には、例えば、実効値電圧７ボルトの矩形波の交流電界（６０Ｈｚ）である。同時に、重合性モノマーを反応させるために、使用する重合性モノマーに依るが、加熱処理を施し、あるいは又、紫外線を照射する（例えば、１０Ｊ（波長３６０ｎｍでの測定）の均一な紫外線）。これにより、第１基板２０及び第２基板５０の表面に対して所定の角度を成す方向の電場（電界）が生じ、液晶分子７１が、第１基板２０及び第２基板５０の垂直方向から所定方向に傾いて配向する。即ち、このときの液晶分子７１の方位角（偏角）は、電場の強さと方向、及び、液晶中に混入した重合性モノマーによって規定され、極角（天頂角）は、電場の強さ、及び、液晶中に混入した重合性モノマーによって規定される。従って、電圧の値を適宜調節することにより、液晶分子７１Ａ，７１Ｂのプレチルトθ1，θ2の値を制御することが可能である。尚、第１電極１４０に形成された凹凸部１４１によって、第１基板２０と第２基板５０との間に斜め電界が加わる。また、液晶中に混入した重合性モノマーの反応によって、基板の対向面近傍に高分子の層が形成される。そして、こうして形成された高分子の層により液晶分子７１の応答すべき方向が規定され、第１基板２０及び第２基板５０の近傍の液晶分子７１のプレチルト状態が、重合性モノマーの反応生成物によって固定される。以上により、液晶セルを完成させることができる。
【０１５２】
一方、プレチルトを記憶する機能を有する配向膜を少なくとも一方の電極上に塗布、形成した後、ネガ型液晶を注入封止するＦＰＡ方式においては、シール部を形成した後、シール部に囲まれた部分に、ネガ型液晶から成る液晶材料を滴下注入する。そして、第１基板２０と第２基板５０とを貼り合わせ、波長４１０ｎｍの紫外線を用いてシール部を硬化させる。次いで、第１電極１４０と第２電極１６０との間に、電圧印加手段を用いて、電圧を印加する。電圧は、例えば、３ボルト〜３０ボルト、具体的には、例えば、実効値電圧７ボルトの矩形波の交流電界（６０Ｈｚ）である。これにより、第１基板２０及び第２基板５０の表面に対して所定の角度をなす方向の電場（電界）が生じ、液晶分子７１が、第１基板２０及び第２基板５０の垂直方向から所定方向に傾いて配向する。即ち、このときの液晶分子７１の方位角（偏角）は、電場の強さと方向、及び、配向膜材料の分子構造によって規定され、極角（天頂角）は、電場の強さ、及び、配向膜材料の分子構造によって規定される。従って、電圧の値を適宜調節することにより、液晶分子７１Ａ，７１Ｂのプレチルトθ1，θ2の値を制御することが可能である。そして、電圧を印加した状態のまま、エネルギー線（具体的には紫外線ＵＶ）、例えば、１０Ｊ（波長３６０ｎｍでの測定）の均一な紫外線を、例えば、第１基板２０の外側から配向膜２１，５１に対して照射する。即ち、液晶分子７１を一対の基板２０，５０の表面に対して斜め方向に配列させるように、電場又は磁場を印加しながら紫外線を照射する。これによって、配向膜２１，５１中の高分子化合物が有する架橋性官能基又は重合性官能基を反応させ、架橋させる。尚、第１電極１４０に形成された凹凸部１４１によって、第１基板２０と第２基板５０との間に斜め電界が加わる。こうして、高分子化合物により液晶分子７１の応答すべき方向が記憶され、配向膜２１，５１近傍の液晶分子７１にプレチルトが付与される。そして、この結果、非駆動状態において、液晶層７０における配向膜２１，５１との界面近傍に位置する液晶分子７１Ａ，７１Ｂにプレチルトθ1，θ2が付与される。紫外線ＵＶとして、波長２９５ｎｍから波長３６５ｎｍ程度の光成分を多く含む紫外線が好ましい。これよりも短波長域の光成分を多く含む紫外線を用いると、液晶分子７１が光分解し、劣化する虞があるからである。尚、ここでは、紫外線ＵＶを第１基板２０の外側から照射したが、第２基板５０の外側から照射してもよく、第１基板２０及び第２基板５０の双方の基板の外側から照射してもよい。この場合、光透過率が高い方の基板側から紫外線ＵＶを照射することが好ましい。また、第２基板５０の外側から紫外線ＵＶを照射した場合、紫外線ＵＶの波長域に依っては、カラーフィルター層に吸収されて架橋反応し難くなる虞がある。そのため、第１基板２０の外側（画素電極を有する基板側）から照射することが好ましい。
【０１５３】
以上の工程により、第１基板２０及び第２基板５０側の液晶分子７１Ａがプレチルトをなす図１に示した液晶表示装置（液晶表示素子）を完成させることができる。最後に、液晶表示装置の外側に、吸収軸が直交するように一対の偏光板（図示せず）を貼り付ける。尚、以下に説明する各種の実施例における液晶表示装置も、概ね同様の方法で製造することができる。
【０１５４】
液晶表示装置（液晶表示素子）の動作にあっては、選択された画素１０では、駆動電圧が印加されると、液晶層７０に含まれる液晶分子７１の配向状態が、第１電極１４０と第２電極１６０との間の電位差に応じて変化する。具体的には、液晶層７０では、図１に示した駆動電圧の印加前の状態から、駆動電圧が印加されることにより、配向膜２１、５１の近傍に位置する液晶分子７１Ａ、７１Ｂが自らの傾き方向に、回転しながら倒れ、且つ、その動作がその他の液晶分子７１Ｃに伝播する。その結果、液晶分子７１は、第１基板２０及び第２基板５０に対してほぼ水平（平行）となる姿勢をとるように応答する。これにより、液晶層７０の光学的特性が変化し、液晶表示素子への入射光が変調された出射光となり、この出射光に基づいて階調表現されることで、映像が表示される。
【０１５５】
この液晶表示装置では、以下の要領で第１電極（画素電極）１４０と第２電極（対向電極）１６０との間に駆動電圧を印加することにより、映像が表示される。具体的には、ソースドライバ８１が、タイミングコントローラ８３からのソースドライバ制御信号の入力により、同じくタイミングコントローラ８３から入力された画像信号に基づいて所定のソース線９１に個別の画像信号を供給する。これと共に、ゲートドライバ８２が、タイミングコントローラ８３からのゲートドライバ制御信号の入力により所定のタイミングでゲート線９２に走査信号を順次供給する。これにより、画像信号が供給されたソース線９１と走査信号が供給されたゲート線９２との交差点に位置する画素１０が選択され、画素１０に駆動電圧が印加される。
【０１５６】
実施例１、後述する実施例２、実施例３の種々の液晶表示装置における光透過率を、３次元液晶ダイレクタ・電場・光学計算ソフトウェア（シンテック株式会社製、LCD Master 3DFEM Version 7.31）によるシミュレーションに基づき評価した。尚、液晶表示装置の凸部の平均高さ、凸部の形成ピッチ、凸部の幅、凹部の幅、透明導電材料層の厚さは、表１に示したとおりである。光透過率のシミュレーション結果を、以下の表２に示す。表２中、「凸部の高さ」とは、凹部底面から、凸部頂面までの高さであり、「傾斜角度」とは、枝凸部の側面の傾斜角度（順テーパーの角度）であり、「光透過率改善」とは、第１電極と第２電極との間の電位差を７．５ボルトと想定し、比較例１−Ａにおける光透過率シミュレーション結果を基準値である１００％として、それぞれの光透過率の改善の結果を百分率で示した値である。
【０１５７】
平滑化層を形成しないことを除き、同じ構造、構成の液晶表示装置を比較例１−Ａ、比較例１−Ｂ、比較例１Ｃ及び比較例１−Ｄとした。図８０Ａ及び図８０Ｂに、実施例１の液晶表示装置及び比較例１−Ａの液晶表示装置における液晶分子の配向状態を模式的に示す。実施例１においては、平坦化層４１が、第１電極１４０を覆っており、平滑化層４１の頂面は平滑であり、あるいは、概ね平滑である。それ故、液晶分子７１の配列状態の均一化を図ることができる。一方、比較例１−Ａにあっては、凹凸部の凸部頂面や凹部における液晶分子の配列状態と、凹凸部の側面における液晶分子の配列状態とが異なっている。
【０１５８】
［表２］
2015011157.tif 000003
【０１５９】
表２から明らかなように、比較例１−Ａ〜比較例１−Ｄにあっては、液晶表示素子における透過率特性において、傾斜角度に応じて液晶表示素子における配向状態が影響を受けるために、液晶表示素子の透過率特性が傾斜角度に大きく依存している。一方、実施例１−Ａ〜実施例１−Ｄ、実施例２−Ａ、実施例３−Ａ、実施例３−Ｂにあっては、傾斜角度に依らず、安定した光透過率特性を示す。また、光透過率も改善されている。
【０１６０】
実施例１の液晶表示装置にあっては、平坦化層が、第１電極の少なくも凹部と凹部の間を埋めている。即ち、液晶分子が第１電極側において接する部分（具体的には、第１配向膜）は平坦、あるいは、概ね平坦である。それ故、液晶分子の配列状態の均一化を図ることができる結果、液晶表示装置の光透過率の均一化を図ることができる。また、十分な黒表示の品位を実現することができ、良好なコントラスト特性を実現することができる。更には、凹凸部の側面（側壁）の傾斜を緩やかにすることができ、例えば、凹凸部を構成する透明導電材料層の凸部エッジ部における断線発生といった問題の発生を確実に回避することができるし、比較的マージンの緩いプロセスを採用することができる結果、液晶表示装置の製造歩留りの向上を図ることができる。
【０１６１】
尚、第１基板２０にカラーフィルター層を形成してもよい。具体的には、上述したとおり、第１基板２０にＴＦＴ層３０を形成した後、周知の方法に基づき、平滑化膜２２の代わりにカラーフィルター層２３をＴＦＴ層３０の上に形成する。こうして、ＣＯＡ（Color Filter On Array）構造を得ることができる。そして、一方のソース／ドレイン電極３４の上方のカラーフィルター層２３に接続孔３５を形成した後、接続孔３５を含むカラーフィルター層２３上に、第１電極１４０を設けるための透明導電材料層２４を形成すればよい（図８３Ｂ参照）。
【実施例２】
【０１６２】
実施例２は、実施例１の変形であり、具体的には、第２の形式の液晶表示装置に関する。実施例２の液晶表示装置の模式的な一部端面図を図２に示し、実施例２の液晶表示装置における図４の矢印Ａ−Ａ及び矢印Ｂ−Ｂに沿った第１電極等の模式的な一部断面図を図５Ｃ及び図５Ｄに示す。尚、実施例２あるいは後述する実施例３の液晶表示装置を構成する１画素分の第１電極の模式的な平面図は、図４に示したと同様である。
【０１６３】
実施例２の液晶表示装置にあっては、
平坦化層４２は第１電極１４０を被覆しており、
第１電極１４０を覆う第１配向膜及び第２電極１６０を覆う第２配向膜５１を更に備えており、
液晶分子には、少なくとも第１配向膜によってプレチルトが付与されており、
第１配向膜は平坦化層４２に相当する。
【０１６４】
凸部１４３，１４４、凹部１４５等の仕様を、上述した表１と同じとした。尚、Ｔ2／Ｔ1等の値を、以下の表３に示す。第１配向膜としても機能する平坦化層４２を構成する材料として、実施例１における配向膜材料と同じ材料（垂直配向膜材料）を使用した。表２に示した実施例２−Ａにあっては、垂直配向膜材料の固形分濃度を１０質量％とし、スピンコート法に基づき成膜した。
【０１６５】
［表３］
第１配向膜の平均膜厚  ：０．３μｍ
第２配向膜の平均膜厚  ：０．３μｍ
Ｔ2／Ｔ1              ：１
ＨL／ＨH              ：約１
ＨH／ＨC              ：約１．２５
【０１６６】
以上の点を除き、実施例２の液晶表示装置の構成、構造は、実施例１の液晶表示装置の構成、構造と同様とすることができるので、詳細な説明は省略する。
【実施例３】
【０１６７】
実施例３は、実施例１の変形であり、具体的には、第３の形式の液晶表示装置に関する。実施例３の液晶表示装置の模式的な一部端面図を図３に示し、実施例３の液晶表示装置における図４の矢印Ａ−Ａ及び矢印Ｂ−Ｂに沿った第１電極等の模式的な一部断面図を図６Ａ及び図６Ｂに示す。
【０１６８】
実施例３の液晶表示装置にあっては、
平坦化層４３は、第１電極１４０の凹部１４５と凹部１４５の間を埋めており、
第１電極１４０及び平坦化層４３を覆う第１配向膜２１並びに第２電極１６０を覆う第２配向膜５１を更に備えており、
液晶分子には、少なくとも第１配向膜２１によってプレチルトが付与されている。
【０１６９】
平坦化層４３はレジスト材料から成り、第１配向膜２１及び第２配向膜５１はポリイミド樹脂から成る。平坦化層４３の形成は、第１電極１４０の凹凸部１４１上にレジスト材料層を形成し、このレジスト材料層をエッチバックすることで形成することができる。あるいは又、レジスト材料に依存するが、凹部１４５と凹部１４５の間を覆う露光用マスクを用いてレジスト材料層を露光し、現像することで形成することもできるし、凸部を覆う露光用マスクを用いてレジスト材料層を露光し、現像することで形成することもできるし、所謂背面露光を行うことで形成することもできる。あるいは又、平坦化層４３を構成する材料として、実施例１における配向膜材料と同じ材料（垂直配向膜材料）を使用することができる。そして、エッチバック法に基づき、第１電極１４０の凹部１４５と凹部１４５の間を垂直配向膜材料で埋め込むことができる。表２に示した実施例３−Ａ、実施例３Ｂにあっては、垂直配向膜材料の固形分濃度を８質量％及び６質量％とし、スピンコート法に基づき成膜した。凸部１４３，１４４、凹部１４５等の仕様を、上述した表１と同じとした。尚、Ｔ2／Ｔ1等の値を、以下の表４に示す。
【０１７０】
［表４］
実施例３−Ａ
第１配向膜の平均膜厚  ：０．２５μｍ
第２配向膜の平均膜厚  ：０．２μｍ
Ｔ2／Ｔ1              ：０．８
ＨL／ＨH              ：約０．８
ＨH／ＨC              ：約１．２５
実施例３−Ｂ
第１配向膜の平均膜厚  ：０．２μｍ
第２配向膜の平均膜厚  ：０．２μｍ
Ｔ2／Ｔ1              ：１
ＨL／ＨH              ：約０．６
ＨH／ＨC              ：約１．２５
【０１７１】
以上の点を除き、実施例３の液晶表示装置の構成、構造は、実施例１の液晶表示装置の構成、構造と同様とすることができるので、詳細な説明は省略する。
【実施例４】
【０１７２】
実施例４は、実施例１〜実施例３の変形であるが、第１−２の態様に係る液晶表示装置に関する。実施例４の液晶表示装置を構成する１画素分の第１電極の模式的な平面図を図７に示し、図７の矢印Ａ−Ａ及び矢印Ｂ−Ｂに沿った第１電極等の模式的な一部端面図を図８Ａ及び図８Ｂに示す。
【０１７３】
実施例４の液晶表示装置においても、第１電極２４０には、複数の凹凸部２４１（凸部２４２及び凹部２４５）が形成されている。具体的には、実施例４の液晶表示装置において、凹凸部２４１は、画素周辺部に額縁状に形成された幹凸部（主凸部）２４３、及び、幹凸部２４３から画素内部に向かって延びる複数の枝凸部（副凸部）２４４から構成されている。そして、実施例４の液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部２４４は、Ｘ座標の値が増加したときＹ座標の値が増加する方向に平行に延び、
第２象限を占める複数の枝凸部２４４は、Ｘ座標の値が減少したときＹ座標の値が増加する方向に平行に延び、
第３象限を占める複数の枝凸部２４４は、Ｘ座標の値が減少したときＹ座標の値が減少する方向に平行に延び、
第４象限を占める複数の枝凸部２４４は、Ｘ座標の値が増加したときＹ座標の値が減少する方向に平行に延びる。画素の中央部に位置する凹部の部分の形状は、概ね十文字状である。
【０１７４】
以上の点を除き、実施例４の液晶表示装置の構成、構造は、実施例１〜実施例３の液晶表示装置の構成、構造と同様とすることができるので、詳細な説明は省略する。
【０１７５】
尚、本開示の第１−１の態様（実施例１〜実施例３の液晶表示装置）と本開示の第１−２の態様（実施例４の液晶表示装置とを組み合わせてもよい（本開示の第１−３の態様に係る液晶表示装置）。即ち、１画素分の第１電極の模式的な平面図を図９に示すように、第１電極３４０における凹凸部３４１は、画素中心部を通り、十文字に延びる幹凸部３４３Ａ、幹凸部３４３Ａから画素周辺部に向かって延びる複数の枝凸部３４４、及び、複数の枝凸部３４４と接合し、画素周辺部に額縁状に形成された幹凸部３４３Ｂから構成されている。尚、幹凸部３４３Ａ、枝凸部３４４及び複数の枝凸部３４４の全体が、凸部３４２である。ここで、このような液晶表示装置にあっても、十文字に延びる幹凸部３４３ＡのそれぞれをＸ軸、Ｙ軸とした（Ｘ，Ｙ）座標系を想定したとき、
第１象限を占める複数の枝凸部３４４は、Ｘ座標の値が増加したときＹ座標の値が増加する方向に平行に延び、
第２象限を占める複数の枝凸部３４４は、Ｘ座標の値が減少したときＹ座標の値が増加する方向に平行に延び、
第３象限を占める複数の枝凸部３４４は、Ｘ座標の値が減少したときＹ座標の値が減少する方向に平行に延び、
第４象限を占める複数の枝凸部３４４は、Ｘ座標の値が増加したときＹ座標の値が減少する方向に平行に延びる。尚、参照番号３４５は凹部を示す。
【実施例５】
【０１７６】
実施例５は、本開示の第２Ａの態様に係る液晶表示装置、具体的には、第２Ａ−１の態様に係る液晶表示装置に関する。図１０に、実施例５の液晶表示装置を構成する１画素分の第１電極の模式的な平面図を示し、図１１Ａ、図１１Ｂ、図１１Ｃに、図１０の矢印Ａ−Ａ、矢印Ｂ−Ｂ、矢印Ｃ−Ｃに沿った第１電極等の模式的な一部断面図を示し、図１１Ｄに、図１１Ｃの一部を拡大した模式的な一部断面図を示す。実施例５の液晶表示装置の模式的な一部端面図は、実質的に、図１〜図３と同じである。
【０１７７】
尚、以下に説明する第１電極等の模式的な一部断面図においては、平坦化層４１，４２，４３、第１配向膜２１の図示を省略している。また、実施例５あるいは実施例６以降の実施例に対して、実施例１の平坦化層４１及び第１配向膜２１、実施例２の平坦化層４２、あるいは、実施例３の平坦化層４３及び第１配向膜２１が適用されている。
【０１７８】
実施例５あるいは後述する実施例６〜実施例１３の液晶表示装置は、実施例１〜実施例３の液晶表示装置と同様に、
第１基板２０及び第２基板５０、
第２基板５０と対向する第１基板２０の対向面に形成された第１電極（画素電極）１１４０，１２４０、
第１基板２０と対向する第２基板５０の対向面に形成された第２電極（対向電極）１６０、並びに、
第１電極１１４０，１２４０及び第２電極１６０の間に設けられ、液晶分子７１Ａ，７１Ｂ，７１Ｃを含む液晶層７０、
を有する画素１０（１０Ａ，１０Ｂ，１０Ｃ）が、複数、配列されて成る液晶表示装置であり、液晶分子にはプレチルトが付与されている。
【０１７９】
そして、実施例５の液晶表示装置にあっては、第１電極１１４０には複数の凹凸部１１４１（凸部１１４２及び凹部１１４５）が形成されており、第１電極１１４０に設けられた凸部１１４２には複数の段差部が形成されている。
【０１８０】
具体的には、実施例５の液晶表示装置において、凹凸部１１４１は、画素中心部を通り、十文字に延びる幹凸部（主凸部）１１４３、及び、幹凸部１１４３から画素周辺部に向かって延びる複数の枝凸部（副凸部）１１４４から構成されている。より具体的には、十文字に延びる幹凸部１１４３のそれぞれをＸ軸、Ｙ軸とした（Ｘ，Ｙ）座標系を想定したとき、
第１象限を占める複数の枝凸部１１４４は、Ｘ座標の値が増加したときＹ座標の値が増加する方向に平行に延び、
第２象限を占める複数の枝凸部１１４４は、Ｘ座標の値が減少したときＹ座標の値が増加する方向に平行に延び、
第３象限を占める複数の枝凸部１１４４は、Ｘ座標の値が減少したときＹ座標の値が減少する方向に平行に延び、
第４象限を占める複数の枝凸部１１４４は、Ｘ座標の値が増加したときＹ座標の値が減少する方向に平行に延びる。
【０１８１】
尚、幹凸部１１４３あるいは後述する枝凸部１１４４、幹凸部３３４３、枝凸部３３１４４における段差部は、例えば、
（ａ）下地である平滑化膜２２における第１透明導電材料層１１４０Ａ，３３４０Ａの形成及びパターニング
（ｂ）第１透明導電材料層１１４０Ａ，３３４０Ａ上における、第１透明導電材料層１１４０Ａ，３３４０Ａとエッチング選択比を有する第２透明導電材料層１１４０Ｂ，３３４０Ｂの形成及びパターニング
によって得ることができるが、これに限定するものではない。
【０１８２】
そして、幹凸部１１４３の延びる方向と直交する仮想垂直平面で幹凸部１１４３を切断したときの幹凸部１１４３の断面形状は、幹凸部１１４３の断面形状の中心から幹凸部１１４３の断面形状の縁に向かって段差部が下降していく断面形状を有する。具体的には、幹凸部１１４３の頂面は、幹凸部１１４３の中央部の頂面１１４３Ｂ、及び、頂面１１４３Ｂの両側に位置する頂面１１４３Ａから構成されている。このように、幹凸部１１４３には２つの段差部が存在し、凹部１１４５を基準としたとき、頂面１１４３Ａ、頂面１１４３Ｂの順に高くなっている。枝凸部１１４４の頂面を参照番号１１４４Ａで示すが、幹凸部１１４３の頂面１１４３Ａと枝凸部１１４４の頂面１１４４Ａは同じレベルにある。図面において、幹凸部１１４３の頂面１１４３Ｂには、横方向に延びるハッチングを付し、凹部１１４５には、縦方向に延びるハッチングを付している。幹凸部１１４３、枝凸部１１４４、凹部１１４５の仕様を以下の表５のとおりとした。
【０１８３】
［表５］
幹凸部１１４３の頂面１１４３Ａと凹部１１４５との間の高低差  ：平均０．２０μｍ
枝凸部１１４４の頂面１１４４Ａと凹部１１４５との間の高低差  ：平均０．２０μｍ
幹凸部１１４３の幅（幹凸部１１４３の頂面１１４３Ａの幅）    ：８．０μｍ
幹凸部１１４３の頂面１１４３Ｂの幅                          ：４．０μｍ
枝凸部１１４４の幅（枝凸部１１４４の頂面１１４４Ａの幅）    ：２．５μｍ
枝凸部１１４４と枝凸部１１４４の間隔（スペース）            ：２．５μｍ
幹凸部１１４３の頂面１１４３Ｂと頂面１１４３Ａとの間の高低差：平均０．２μｍ
【０１８４】
従来の液晶表示装置において、幹凸部には段差部が形成されていない。それ故、液晶分子の挙動を図１２Ａの概念図に示すように、幹凸部の中央部における液晶分子に対する配向規制力が弱く、幹凸部の中央部における液晶分子のチルト状態が定まらない状態となる場合がある。一方、実施例５にあっては、このように幹凸部１１４３に複数の段差部が形成されているので、即ち、幹凸部１１４３には複数の頂面１１４３Ａ，１１４３Ｂが形成されているので、幹凸部１１４３の中央部において電場が最も高く、幹凸部１１４３の縁部に向かって電場が低くなる。それ故、液晶分子の挙動を図１２Ｂの概念図に示すように、幹凸部１１４３の中央部における液晶分子に対する配向規制力を強くすることができ、幹凸部１１４３の中央部における液晶分子のチルト状態を確実に規定することができる。それ故、画像表示時、幹凸部１１４３の中央部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【実施例６】
【０１８５】
実施例６は、実施例５の変形である。図１３に、実施例６の液晶表示装置を構成する１画素分の第１電極の模式的な平面図を示し、図１５Ａ、図１５Ｂに、図１３の矢印Ａ−Ａ、矢印Ｂ−Ｂに沿った第１電極等の模式的な一部断面図を示す。
【０１８６】
実施例６において、幹凸部１１４３の頂面は、幹凸部１１４３の中央部の頂面１１４３Ｃ、頂面１１４３Ｃの両側に位置する頂面１１４３Ｂ、及び、頂面１１４３Ｂの外側に位置する頂面１１４３Ａから構成されている。このように、幹凸部１１４３には３つの段差部が存在し、凹部１１４５を基準としたとき、頂面１１４３Ａ、頂面１１４３Ｂ、頂面１１４３Ｃの順に高くなっている。また、幹凸部１１４３の延びる方向に平行な仮想垂直平面で幹凸部１１４３を切断したときの幹凸部１１４３の断面形状は、幹凸部１１４３の断面形状の中央部（頂面１１４３Ｃ）から幹凸部１１４３の断面形状の端部に向かって段差部が下降していく断面形状を有する（頂面１１４３Ｂ及び頂面１１４３Ａ）。尚、図面において、頂面１１４３Ｃには、クロスハッチングを付している。幹凸部１１４３の頂面１１４３Ｃと頂面１１４３Ｂとの間の高低差、及び、頂面１１４３Ｂと頂面１１４３Ａとの間の高低差を、平均０．２０μｍとした。幹凸部１１４３、枝凸部１１４４、凹部１１４５の他の仕様は表５と同様である。
【０１８７】
以上の点を除き、実施例６の液晶表示装置の構成、構造は、実施例５の液晶表示装置の構成、構造と同様とすることができるので、詳細な説明は省略する。
【実施例７】
【０１８８】
実施例７も、実施例５の変形である。図１４に、実施例７の液晶表示装置を構成する１画素分の第１電極の模式的な平面図を示し、図１５Ｃに、図１４の矢印Ｃ−Ｃに沿った第１電極等の模式的な一部端面図を示し、図１５Ｃの一部を拡大した模式的な一部端面図を図１５Ｄに示す。
【０１８９】
実施例７にあっては、枝凸部１１４４の延びる方向と直交する仮想垂直平面で枝凸部１１４４を切断したときの枝凸部１１４４の断面形状は、枝凸部１１４４の断面形状の中心から枝凸部１１４４の断面形状の縁に向かって段差部が下降していく断面形状を有する。具体的には、枝凸部１１４４の頂面は、幹凸部１１４３から延びる頂面１１４４Ｂ、及び、頂面１１４４Ｂの両側に位置する頂面１１４４Ａから構成されている。このように、枝凸部１１４４には２つの段差部が存在し、凹部１１４５を基準としたとき、頂面１１４４Ａ、頂面１１４４Ｂの順に高くなっている。尚、図面において、頂面１１４４Ｂには、横方向に延びるハッチングを付している。また、図１４、図１６、図２２においては、幹凸部と枝凸部の境界を実線で示している。枝凸部１１４４の頂面１１４３Ｂと頂面１１４３Ａとの間の高低差を平均０．２０μｍとした。幹凸部１１４３、枝凸部１１４４、凹部１１４５の他の仕様は表５と同様である。幹凸部１１４３の頂面１１４３Ｂと枝凸部１１４４の頂面１１４４Ｂは同じレベルにある。
【０１９０】
以上の点を除き、実施例７の液晶表示装置の構成、構造は、実施例５の液晶表示装置の構成、構造と同様とすることができるので、詳細な説明は省略する。
【０１９１】
尚、液晶表示装置を構成する１画素分の第１電極の模式的な平面図を図１６に示すように、枝凸部１１４４の延びる方向に平行な仮想垂直平面で枝凸部１１４４を切断したときの枝凸部１１４４の断面形状は、枝凸部１１４４の断面形状の幹凸部側から枝凸部１１４４の断面形状の端部に向かって段差部が下降していく断面形状を有する形態とすることもできる。また、液晶表示装置を構成する１画素分の第１電極の模式的な斜視図を図１７に示すように、実施例６において説明した幹凸部１１４３と組み合わせることもできる。
【実施例８】
【０１９２】
実施例８も実施例５の変形であるが、第２Ａ−２の態様に係る液晶表示装置に関する。実施例８の液晶表示装置を構成する１画素分の第１電極の模式的な平面図を図１８に示し、模式的な斜視図を図１９に示し、図１８の矢印Ａ−Ａ及び矢印Ｂ−Ｂに沿った第１電極等の模式的な一部端面図を図２１Ａ及び図２１Ｂに示し、図２１Ｂの一部を拡大した模式的な一部端面図を図２１Ｃに示す。
【０１９３】
実施例８の液晶表示装置においても、第１電極１２４０には複数の凹凸部１２４１（凸部１２４２及び凹部１２４５）が形成されており、第１電極１２４０に設けられた凸部１２４２には複数の段差部が形成されている。具体的には、実施例８の液晶表示装置において、凹凸部１２４１は、画素周辺部に額縁状に形成された幹凸部（主凸部）１２４３、及び、幹凸部１２４３から画素内部に向かって延びる複数の枝凸部（副凸部）１２４４から構成されている。そして、実施例８の液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部１２４４は、Ｘ座標の値が増加したときＹ座標の値が増加する方向に平行に延び、
第２象限を占める複数の枝凸部１２４４は、Ｘ座標の値が減少したときＹ座標の値が増加する方向に平行に延び、
第３象限を占める複数の枝凸部１２４４は、Ｘ座標の値が減少したときＹ座標の値が減少する方向に平行に延び、
第４象限を占める複数の枝凸部１２４４は、Ｘ座標の値が増加したときＹ座標の値が減少する方向に平行に延びる。
【０１９４】
そして、幹凸部１２４３の延びる方向と直交する仮想垂直平面で幹凸部１２４３を切断したときの幹凸部１２４３の断面形状は、幹凸部１２４３の断面形状の外側の縁から幹凸部１２４３の断面形状の内側の縁に向かって段差部が下降していく断面形状を有する。具体的には、幹凸部１２４３の頂面は、幹凸部１２４３の外側の縁部近傍の頂面１２４３Ｂ、及び、内側の縁部近傍の頂面１２４３Ａから構成されている。このように、幹凸部１２４３には２つの段差部が存在し、凹部１２４５を基準としたとき、頂面１２４３Ａ、頂面１２４３Ｂの順に高くなっている。尚、枝凸部１２４４の頂面を参照番号１２４４Ａで示すが、幹凸部１２４３の頂面１２４３Ａと枝凸部１２４４の頂面１２４４Ａは同じレベルにある。図面において、幹凸部１２４３の頂面１２４３Ｂには、横方向に延びるハッチングを付し、凹部１２４５には、縦方向に延びるハッチングを付している。画素の中央部に位置する凹部の部分の形状は、概ね十文字状である。幹凸部１２４３、枝凸部１２４４、凹部１２４５の仕様を以下の表６のとおりとした。
【０１９５】
［表６］
幹凸部１２４３の頂面１２４３Ｂと頂面１２４３Ａとの間の高低差：平均０．２０μｍ
幹凸部１２４３の頂面１２４３Ａと凹部１２４５との間の高低差  ：平均０．２０μｍ
枝凸部１２４４の頂面１２４４Ａと凹部１２４５との間の高低差  ：平均０．２０μｍ
幹凸部１２４３の幅（幹凸部１２４３の頂面１２４３Ａの幅）    ：８．０μｍ
幹凸部１２４３の頂面１２４３Ｂの幅                          ：４．０μｍ
枝凸部１２４４の幅（枝凸部１２４４の頂面１２４４Ａの幅）    ：２．５μｍ
枝凸部１２４４と枝凸部１２４４の間隔（スペース）            ：２．５μｍ
画素の中央部に設けられた十文字状の凹部の幅                  ：４．０μｍ
【０１９６】
以上の点を除き、実施例８の液晶表示装置の構成、構造は、実施例５の液晶表示装置の構成、構造と同様とすることができるので、詳細な説明は省略する。
【０１９７】
実施例８にあっては、幹凸部１２４３に複数の段差部が形成されているので、幹凸部１２４３の外側の縁部において電場が最も高く、幹凸部１２４３の内側の縁部に向かって電場が低くなる。その結果、幹凸部１２４３における液晶分子に対する配向規制力を強くすることができ、幹凸部１２４３における液晶分子のチルト状態を確実に規定することができる。それ故、画像表示時、幹凸部１２４３に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【実施例９】
【０１９８】
実施例９は、実施例８の変形である。実施例９の液晶表示装置を構成する１画素分の第１電極の模式的な平面図を図２０に示し、図２０の矢印Ｄ−Ｄに沿った第１電極を拡大した模式的な一部端面図を図２１Ｄに示す。
【０１９９】
実施例９において、幹凸部１２４３の頂面は、幹凸部１２４３の外側の縁部近傍の頂面１２４３Ｃ、並びに、内側の縁部に向かって、頂面１２４３Ｂ及び頂面１２４３Ａから構成されている。このように、幹凸部１２４３には３つの段差部が存在し、凹部１２４５を基準としたとき、頂面１２４３Ａ、頂面１２４３Ｂ、頂面１２４３Ｃの順に高くなっている。尚、図面において、頂面１２４３Ｃには、クロスハッチングを付している。幹凸部１２４３の頂面１２４３Ｃと頂面１２４３Ｂとの間の高低差、頂面１２４３Ｂと頂面１２４３Ａとの間の高低差を、平均０．２０μｍとした。幹凸部１２４３、枝凸部１２４４、凹部１２４５の他の仕様は表６と同様である。
【０２００】
以上の点を除き、実施例９の液晶表示装置の構成、構造は、実施例８の液晶表示装置の構成、構造と同様とすることができるので、詳細な説明は省略する。
【実施例１０】
【０２０１】
実施例１０は実施例９の変形である。図２２に実施例１０の液晶表示装置を構成する１画素分の第１電極の模式的な平面図を示す。
【０２０２】
実施例１０にあっては、枝凸部１２４４の延びる方向と直交する仮想垂直平面で枝凸部１２４４を切断したときの枝凸部１２４４の断面形状は、枝凸部１２４４の断面形状の中心から枝凸部１２４４の断面形状の縁に向かって段差部が下降していく断面形状を有する。具体的には、枝凸部１２４４の頂面は、幹凸部１２４３の頂面１２４３Ｂから延びる頂面１２４４Ｂ、及び、頂面１２４４Ｂの両側に位置する頂面１２４４Ａから構成されている。そして、凹部１２４５を基準としたとき、枝凸部１２４４には２つの段差部が存在し、頂面１２４４Ａ、頂面１２４４Ｂの順に高くなっている。尚、図面において、頂面１２４４Ｂには、横方向に延びるハッチングを付している。枝凸部１２４４の頂面１２４３Ｂと頂面１２４３Ａとの間の高低差を平均０．２８μｍとした。幹凸部１２４３、枝凸部１２４４、凹部１２４５の他の仕様は表６と同様である。幹凸部１２４３の頂面１２４３Ｂと枝凸部１２４４の頂面１２４４Ｂは同じレベルにある。
【０２０３】
また、図２３に実施例１０の液晶表示装置を構成する１画素分の第１電極の変形例の模式的な斜視図を示すように、枝凸部１２４４の延びる方向に平行な仮想垂直平面で枝凸部１２４４を切断したときの枝凸部１２４４の断面形状は、枝凸部１２４４の断面形状の幹凸部側から枝凸部１２４４の断面形状の端部に向かって段差部が下降していく断面形状を有する形態とすることもできる。
【０２０４】
以上の点を除き、実施例１０の液晶表示装置の構成、構造は、実施例８の液晶表示装置の構成、構造と同様とすることができるので、詳細な説明は省略する。尚、実施例８と同様にして、幹凸部１２４３の頂面を、頂面１２４３Ｂ、及び、頂面１２４３Ｂの両側に位置する頂面１２４３Ａから構成することもできる。
【実施例１１】
【０２０５】
実施例１１は、実施例１〜実施例１０において説明した液晶表示装置の変形であり、あるいは又、本開示の第２Ｂの態様に係る液晶表示装置、具体的には、本開示の第２Ｂ−１の態様に係る液晶表示装置に関する。実施例１１の液晶表示装置を構成する１画素分の第１電極の模式的な平面図を図２４に示すが、図２４に示す例は、実施例１の変形である。あるいは又、実施例１１の液晶表示装置を構成する１画素分の第１電極の変形例の模式的な平面図を図２５に示すが、図２５に示す例は、実施例５の変形である。図２５の矢印Ａ−Ａに沿った第１電極等の模式的な一部断面図を図２６に示す。
【０２０６】
実施例１１の液晶表示装置にあっては、第１電極１４０，１１４０には複数の凹凸部１４１，１１４１が形成されており、画素１０と画素１０との間に位置する第１基板の部分から、画素周辺部に対応する第１基板の部分に亙り、凸構造１４７，１１４７が形成されており、凹凸部１４１，１１４１の周辺部１４１Ａ，１１４１Ａは凸構造１４７，１１４７上に形成されている。ここで、凸構造１４７，１１４７は、具体的には、カラーフィルター層２３に形成されたブラックマトリクス１１４７Ａに基づき形成されている。ブラックマトリクス１１４７Ａは、カーボンが添加された光硬化性樹脂から構成されている。尚、幹凸部１４３，１１４３、枝凸部１４４，１１４４、凹部１４５，１１４５の仕様を表１、表５のとおりとし、幹凸部１１４３の頂面１１４３Ｂと頂面１１４３Ａとの間の高低差を、平均０．２０μｍとした。また、平滑化膜２２から凹凸部１４１，１１４１の端部までの高さは、平均０．３μｍである。
【０２０７】
実施例１１の液晶表示装置において、凹凸部１４１，１１４１の周辺部１４１Ａ，１１４１Ａは凸構造１４７，１１４７上に形成されているので、凹凸部の周辺部が平坦な場合と比べ、より一層強い電場が凹凸部の周辺部に生じる。その結果、凹凸部１４１，１１４１の周辺部１４１Ａ，１１４１Ａにおける液晶分子に対する配向規制力を強くすることができ、凹凸部１４１，１１４１の周辺部１４１Ａ，１１４１Ａにおける液晶分子のチルト状態を確実に規定することができる。それ故、良好な電圧応答特性を保持することができる。
【０２０８】
尚、凸構造は、ブラックマトリクスに基づき形成される形態に限定するものではなく、第１基板２０の上、あるいは、第１基板２０の上方に形成された液晶表示装置構成要素、例えば、各種信号線や補助容量電極、ゲート電極、ソース／ドレイン電極、各種配線から構成することもできる。そして、この場合、平滑化膜２２の厚さの最適化を図ることで、液晶表示装置構成要素の厚さの影響で平滑化膜２２に凸構造を形成することができる。
【０２０９】
また、本開示の第２Ｂ−２の態様に係る液晶表示装置とすることもできる。即ち、実施例４や実施例８において説明した凹凸部２４１，１２４１の周辺部、具体的には、画素周辺部に額縁状に形成された幹凸部（主凸部）２４３，１２４３を、凸構造１４７，１１４７上に形成することができることは云うまでもない。あるいは又、実施例１１の凸構造を、実施例１２あるいはそれ以降の実施例に適用することもできる。
【実施例１２】
【０２１０】
実施例１２は、本開示の第２Ｃの態様に係る液晶表示装置に関し、また、実施例１〜実施例３の変形（本開示の第１の態様に係る液晶表示装置）、実施例５〜実施例７（第２Ａ−１の態様に係る液晶表示装置）の変形、実施例１１（第２Ｂ−１の態様に係る液晶表示装置）の変形に関する。実施例１２の液晶表示装置の模式的な一部端面図を図２７あるいは図２８に示す。また、実施例１２の液晶表示装置における液晶分子の挙動を示す概念図を図８１Ｂ及び図８１Ｃに示す。
【０２１１】
実施例１２の液晶表示装置にあっては、図４、図９、図２４に示したように、第１電極１４０には複数の凹凸部１４１が形成されており、凹凸部１４１は、画素中心部を通り、十文字に延びる幹凸部１４３、及び、幹凸部１４３から画素周辺部に向かって延びる複数の枝凸部１４４から構成されている。あるいは又、図１０、図１３、図１４、図１６、図１７、図２５に示したように、第１電極１１４０には複数の凹凸部１１４１が形成されており、凹凸部１１４１は、画素中心部を通り、十文字に延びる幹凸部１１４３、及び、幹凸部１１４３から画素周辺部に向かって延びる複数の枝凸部１１４４から構成されている。そして、図２７あるいは図２８に示すように、幹凸部１４３，１１４３と対応する第２電極１６０の部分には、配向規制部１６１が形成されている。
【０２１２】
ここで、配向規制部１６１は、具体的には、第２電極１６０に設けられた４．０μｍのスリット部１６２から成り(図２７及び図８１Ｂ参照）、あるいは又、第２電極１６０に設けられた突起部（リブ）１６３から成る(図２８及び図８１Ｃ参照）。突起部１６３は、より具体的には、ネガ型フォトレジスト材料（ＪＳＲ株式会社製：オプトマーＡＬ）から成り、幅１．４μｍ、高さ１．２μｍである。尚、幹凸部１１４３、枝凸部１１４４、凹部１１４５の仕様を表５のとおりとし、幹凸部１１４３の頂面１１４３Ｂと頂面１１４３Ａとの間の高低差を、平均０．２０μｍとした。スリット部１６２あるいは突起部（リブ）１６３の平面形状は十文字状であり、突起部１６３の断面形状は二等辺三角形である。スリット部１６２あるいは突起部１６３の上には第２電極１６０は形成されていない。
【０２１３】
実施例１２の液晶表示装置において、幹凸部１４３，１１４３と対応する第２電極１６０の部分にはスリット部１６２から成る配向規制部１６１が形成されているので、第２電極１６０によって生成された電場が、配向規制部１６１の近傍において歪む。あるいは又、突起部（リブ）１６３から成る配向規制部１６１が形成されているので、突起部１６３近傍における液晶分子の倒れる方向が規定される。その結果、配向規制部１６１の近傍における液晶分子に対する配向規制力を強くすることができ、配向規制部１６１の近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。尚、配向規制部１６１を、突起状になった第２電極１６０の部分から構成することもできる。
【０２１４】
尚、実施例１２を、実施例１４以降の実施例に適用することができるし、次に述べる実施例１３も、実施例１４以降の実施例に適用することができる。
【実施例１３】
【０２１５】
実施例１３は、本開示の第２Ｄの態様に係る液晶表示装置に関し、また、実施例４（本開示の第１−２の態様に係る液晶表示装置）の変形、実施例８〜実施例１０（第２Ａ−２の態様に係る液晶表示装置）の変形、実施例１１（第２Ｂ−２の態様に係る液晶表示装置）の変形に関する。実施例１３の液晶表示装置を構成する１画素分の第１電極の模式的な平面図を図２９、図３０、図３１、図３２に示すが、図２９及び図３１に示す例は、実施例４の変形である。また、図３０及び図３２に示す例は、実施例８の変形であり、第１電極１２４０に複数の凹凸部１２４１が形成されており、更には、複数の段差部が形成されている。図３０の矢印Ａ−Ａ及び矢印Ｂ−Ｂに沿った第１電極等の模式的な一部断面図を図３３Ａ及び図３３Ｂに示し、図３２の矢印Ｃ−Ｃ及び矢印Ｄ−Ｄに沿った第１電極等の模式的な一部断面図を図３３Ｃ及び図３３Ｄに示す。
【０２１６】
実施例１３の液晶表示装置にあっては、
第１電極２４０，１２４０には複数の凹凸部２４１，１２４１が形成されており、
凹凸部２４１，１２４１は、画素周辺部に額縁状に形成された幹凸部２４３，１２４３、及び、幹凸部２４３，１２４３から画素内部に向かって延びる複数の枝凸部２４４，１２４４から構成されており、
第１電極２４０，１２４０には、画素中心部を通り、画素周辺部に平行なスリット部２４８，１２４８（図２９、図３０参照）あるいは突起部（リブ）２４９，１２４９（図３１、図３２参照）が形成されている。即ち、画素の中央部に設けられた十文字状の凹部の部分に、スリット部２４８，１２４８あるいは突起部２４９，１２４９が形成されている。スリット部２４８，１２４８あるいは突起部２４９，１２４９の平面形状は十文字である。尚、幹凸部２４３，１２４３、枝凸部２４４，１２４４、凹部２４５，１２４５の仕様を表１、表６のとおりとした。スリット部２４８，１２４８の幅を４．０μｍとした。また、ネガ型フォトレジスト材料（ＪＳＲ株式会社製：オプトマーＡＬ）から成る突起部２４９，１２４９の幅を１．４μｍ、高さを１．２μｍとした。突起部２４９，１２４９の断面形状は二等辺三角形である。スリット部２４８，１２４８あるいは突起部２４９，１２４９の上には第１電極２４０，１２４０は形成されていない。
【０２１７】
実施例１３の液晶表示装置において、第１電極には、画素中心部を通り、画素周辺部に平行なスリット部あるいは突起部が形成されているので、スリット部あるいは突起部が存在しない平坦な凹部が第１電極に形成されている場合と比較して、第１電極によって生成された電場が、スリット部あるいは突起部近傍において歪み（スリット部を形成した場合）、あるいは又、液晶分子の倒れる方向が規定される（突起部を形成した場合）。その結果、スリット部あるいは突起部近傍における液晶分子に対する配向規制力を強くすることができ、スリット部あるいは突起部近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。尚、突起部２４９，１２４９を、第１電極２４０，１２４０には、画素中心部を通る十文字状の凸部が凹部に囲まれて形成されている形態とすることができる。このような十文字状の凸部は、第１電極２４０，１２４０の下側に十文字状の凸部を形成することで設けることができるし、あるいは又、第１電極２４０，１２４０における凹凸部の形成方法と同様の方法で設けることも可能である。あるいは又、スリット部２４８，１２４８若しくは突起部（リブ）２４９，１２４９を設ける代わりに、画素中心部を通る十文字状の凹部を設けてもよい。
【実施例１４】
【０２１８】
実施例１４は、本開示の第３の態様に係る液晶表示装置、具体的には、本開示の第３Ａの態様に係る液晶表示装置に関する。図３４に、実施例１４の液晶表示装置を構成する１画素分の第１電極の模式的な平面図を示し、図３５に実施例１４の液晶表示装置を構成する１画素分の第１電極の一部分を拡大した模式的な平面図を示し、図３６Ａ及び図３６Ｂに、図３４の矢印Ａ−Ａ及び矢印Ｂ−Ｂに沿った第１電極等の模式的な一部断面図を示し、図３６Ｃに、図３６Ｂの一部を拡大した模式的な一部断面図を示す。実施例１４の液晶表示装置の模式的な一部端面図は、実質的に、図１〜図３と同じである。
【０２１９】
実施例１４あるいは後述する実施例１５〜実施例２１の液晶表示装置は、実施例１〜実施例３の液晶表示装置と同様に、
第１基板２０及び第２基板５０、
第２基板５０と対向する第１基板２０の対向面に形成された第１電極（画素電極）２１４０，２２４０，２３４０，２４４０、
第１基板２０と対向する第２基板５０の対向面に形成された第２電極（対向電極）１６０、並びに、
第１電極２１４０，２２４０，２３４０，２４４０及び第２電極１６０の間に設けられ、液晶分子７１Ａ，７１Ｂ，７１Ｃを含む液晶層７０、
を有する画素１０（１０Ａ，１０Ｂ，１０Ｃ）が、複数、配列されて成る液晶表示装置であり、液晶分子にはプレチルトが付与されている。
液晶分子にはプレチルトが付与されている。具体的には、液晶分子は、少なくとも第１電極の側にプレチルトが付与されている。尚、液晶分子は負の誘電率異方性を有する。そして、
第１電極２１４０，２２４０，２３４０，２４４０には複数の凹凸部２１４１，２２４１，２３４１，２２４１が形成されており、
第１電極２１４０，２２４０，２３４０，２４４０に設けられた凸部２１４２，２２４２，２３４２，２２４２の一部の幅は、先端部に向かって狭くなっている。尚、図面において、凹部２１４５，２２４５，２３４５，２４４５には、縦方向に延びるハッチングを付している。
【０２２０】
そして、実施例１４の液晶表示装置において、凹凸部２１４１は、画素中心部を通り、十文字に延びる幹凸部（主凸部）２１４３、及び、幹凸部２１４３から画素周辺部に向かって延びる複数の枝凸部（副凸部）２１４４から構成されている。ここで、複数の枝凸部２１４４が、第１電極２１４０に設けられた凸部の一部に該当する。枝凸部２１４４の幅は、幹凸部２１４３と接合する枝凸部の部分２１４４ａが最も広く、幹凸部２１４３と接合する部分２１４４ａから先端部２１４４ｂに向かって狭くなっている（具体的には、直線状に狭くなっている）。より具体的には、十文字に延びる幹凸部２１４３のそれぞれをＸ軸、Ｙ軸とした（Ｘ，Ｙ）座標系を想定したとき、
第１象限を占める複数の枝凸部２１４４1は、Ｘ座標の値が増加したときＹ座標の値が増加する方向に平行に延び、
第２象限を占める複数の枝凸部２１４４2は、Ｘ座標の値が減少したときＹ座標の値が増加する方向に平行に延び、
第３象限を占める複数の枝凸部２１４４3は、Ｘ座標の値が減少したときＹ座標の値が減少する方向に平行に延び、
第４象限を占める複数の枝凸部２１４４4は、Ｘ座標の値が増加したときＹ座標の値が減少する方向に平行に延びる。尚、第１象限を占める複数の枝凸部２１４４1は、その軸線がＸ軸と４５度を成して延び、第２象限を占める複数の枝凸部２１４４2は、その軸線がＸ軸と１３５度を成して延び、第３象限を占める複数の枝凸部２１４４3は、その軸線がＸ軸と２２５度を成して延び、第４象限を占める複数の枝凸部２１４４4は、その軸線がＸ軸と３１５度を成して延びる。
【０２２１】
幹凸部２１４３、枝凸部２１４４、凹部２１４５の仕様を以下の表７のとおりとした。尚、幹凸部２１４３の幅を８．０μｍとした。また、枝凸部の軸線と幹凸部の外縁との成す角度α0（例えば、図８４参照）を４５度とした。
【０２２２】
［表７］
枝凸部の形成ピッチＰ    ：８．０μｍ
枝凸部の先端部の幅Ｗ2   ：４．０μｍ
枝凸部の根元部の幅Ｗ1   ：６．０μｍ
枝凸部間の距離Ｗ3       ：２．０μｍ
枝凸部の平均幅Ｗave1    ：５．０μｍ
枝凸部の全テーパー幅ＴＰ：２．０μｍ
【０２２３】
液晶表示装置の製造時、電極に電圧を印加した状態で液晶分子にプレチルトを付与する。このとき、図３７Ａ、図３７Ｂに示すように、先端エッジ部ａあるいはその近傍（便宜上、『先端領域』と呼ぶ）に位置する液晶分子Ａは、その長軸方向（ダイレクタ）が幹凸部に向かって傾く。そして、液晶層において、この液晶分子Ａを含む厚さ方向の領域を想定した場合、液晶分子Ａの動きが、構造に起因した局所電場の影響を受ける枝凸部のエッジ部を除いた１画素全体の液晶分子（便宜上、『液晶分子Ａ’』と呼ぶ）に伝わり、液晶分子Ａ’のダイレクタが幹凸部に向かって傾いていく。ここで、図３７Ｂに示すように、枝凸部にテーパーが付されていない液晶表示装置にあっては、図３７Ａに示すように、枝凸部にテーパーが付されている実施例１４よりも、液晶分子Ａの動きが液晶分子Ａ’に伝わり難く、あるいは又、液晶分子Ａの動きが液晶分子Ａ’に伝わるのに一層長い時間を要する場合がある。
【０２２４】
液晶表示装置における画像の表示時、電極に電圧を印加すると、液晶層全体において、液晶分子は、ダイレクタが第１基板及び第２基板に対して平行となるように変化する。尚、図３７Ａ及び図３７Ｂにおいて、側辺エッジ部における電場の方向を白抜きの矢印で示している。ここで、側辺エッジ部ｂあるいはその近傍（便宜上、『側辺領域』と呼ぶ）に位置する液晶分子Ｂを含む液晶層において、厚さ方向に柱状領域を想定した場合、この柱状領域中の厚さ方向に並んだ液晶分子には回転が生じる。即ち、側辺領域に位置する液晶分子Ｂのダイレクタの方向と、液晶分子Ｂを含む柱状領域中の厚さ方向に並んだ液晶分子（便宜上、『液晶分子Ｂ’』と呼ぶ）のダイレクタの方向とは異なる状態となる。尚、これらの液晶分子Ｂのダイレクタと液晶分子Ｂ’のダイレクタとの成す角度をβとする。ここで、図３７Ｂに示すように、枝凸部にテーパーが付されていない液晶表示装置にあっては、液晶分子の回転角度の範囲が広いので（即ち、角度βが大きいので）、Ｘ軸方向あるいはＹ軸方向にリタデーションを持つ液晶分子の割合が少ない場合がある。それ故、枝凸部における光透過率の不均一化を招き、暗線となる虞がある。一方、図３７Ａに示すように、枝凸部にテーパーが付されている実施例１４にあっては、液晶分子の回転角度範囲が狭いので（即ち、角度βが小さいので）、Ｘ軸方向あるいはＹ軸方向にリタデーションを持つ液晶分子の割合が多い。それ故、枝凸部における光透過率の不均一化を招くことがなく、暗線の発生を抑制することができる。
【０２２５】
従来のファインスリット構造では、電極が設けられていないスリットにおいては、電場は液晶分子に対して殆ど影響を与えることができず、液晶分子が所望の方向に配向し難い（倒れ難い）。それ故、スリットに対応して暗線が生じ、光透過率の低下を招く。実施例１４にあっては、液晶分子は画素内の全領域において電場の影響を受けるので、ファインスリット構造における暗線の発生といった現象は生じない。また、従来のファインスリット構造では、電極とスリットの面積比が光透過率に大きく影響する。一方、実施例１４にあっては、そもそも、スリットが存在しないので、このような問題は生じない。
【０２２６】
以上のとおり、実施例１４の液晶表示装置にあっては、第１電極には複数の凹凸部が形成されており、この第１電極に設けられた凸部の一部の幅は、先端部に向かって狭くなっている。それ故、暗線の発生を一層少なくすることができる。即ち、一層均一な高い光透過率を実現することができるし、一層良好な電圧応答特性を得ることができる。また、初期配向の改善を見込むことができるため、前述したように、液晶セルに対して矩形波の交流電界を印加した状態で均一な紫外線を照射して、液晶分子にプレチルトを付与するとき、液晶分子にプレチルトを付与するための時間の短縮を図ることができる。また、配向欠陥の減少が見込めるため、歩留りが向上し、液晶表示装置の生産コストの低減が可能となる。更には、光透過率の向上を図れるが故に、バックライトの低消費電力、ＴＦＴ信頼性の向上を図ることができる。
【実施例１５】
【０２２７】
実施例１５は、実施例１４の変形であり、本開示の第３Ｂの態様に係る液晶表示装置に関する。実施例１５の液晶表示装置を構成する１画素分の第１電極の模式的な平面図を図３８に示し、図３８の矢印Ａ−Ａ及び矢印Ｂ−Ｂに沿った第１電極等の模式的な一部端面図を図３９Ａ及び図３９Ｂに示し、図３９Ｂの一部を拡大した模式的な一部端面図を図３９Ｃに示す。
【０２２８】
実施例１５において、凹凸部２２４１は、画素周辺部に額縁状に形成された幹凸部（主凸部）２２４３、及び、幹凸部２２４３から画素内部に向かって延びる複数の枝凸部（副凸部）２２４４から構成されている。そして、そして、実施例１５の液晶表示装置にあっても、複数の枝凸部２２４４が、第１電極に設けられた凸部の一部に該当し、枝凸部２２４４の幅は、幹凸部２２４３と接合する枝凸部の部分２２４４ａが最も広く、幹凸部２２４３と接合する部分２２４４ａから先端部２２４４ｂに向かって狭くなっている。より具体的には、枝凸部２２４４の幅は、幹凸部２２４３と接合する部分２２４４ａから先端部２２４４ｂに向かって直線状に狭くなっている。尚、参照番号２２４５は凹部を示す。
【０２２９】
そして、実施例１５の液晶表示装置にあっては、画素中心部を通り、画素周辺部に平行な直線のそれぞれをＸ軸、Ｙ軸とした（Ｘ，Ｙ）座標系を想定したとき、
第１象限を占める複数の枝凸部２２４４1は、Ｘ座標の値が増加したときＹ座標の値が増加する方向に平行に延び、
第２象限を占める複数の枝凸部２２４４2は、Ｘ座標の値が減少したときＹ座標の値が増加する方向に平行に延び、
第３象限を占める複数の枝凸部２２４４3は、Ｘ座標の値が減少したときＹ座標の値が減少する方向に平行に延び、
第４象限を占める複数の枝凸部２２４４4は、Ｘ座標の値が増加したときＹ座標の値が減少する方向に平行に延びる。
【０２３０】
尚、第１象限を占める複数の枝凸部２２４４1は、その軸線がＸ軸と４５度を成して延び、第２象限を占める複数の枝凸部２２４４2は、その軸線がＸ軸と１３５度を成して延び、第３象限を占める複数の枝凸部２２４４3は、その軸線がＸ軸と２２５度を成して延び、第４象限を占める複数の枝凸部２２４４4は、その軸線がＸ軸と３１５度を成して延びる。
【０２３１】
以上の点を除き、実施例１５の液晶表示装置の構成、構造は、実施例１４の液晶表示装置の構成、構造と同様とすることができるので、詳細な説明は省略する。
【実施例１６】
【０２３２】
実施例１６は、本開示の第３Ｃの態様に係る液晶表示装置、具体的には、本開示の第３Ｃ−１の態様に係る液晶表示装置に関する。図４０に、実施例１６の液晶表示装置を構成する１画素分の第１電極の模式的な平面図を示す。実施例１６の液晶表示装置の模式的な一部端面図は、実質的に図１〜図３と同様である。また、図４０の矢印Ａ−Ａ、矢印Ｂ−Ｂ、矢印Ｃ−Ｃに沿った第１電極等の模式的な一部断面図は、実質的に、図１１Ａ、図１１Ｂ、図１１Ｃと同じである。
【０２３３】
尚、図４０、図４１、図４２、図４３、図４４、図４５、図４６においては、図面を簡素化するため、枝凸部の幅を一定として描いているが、実際には、実施例１４〜実施例１５にて説明したと同様に、枝凸部にはテーパーが付されている。即ち、枝凸部の幅は、幹凸部と接合する枝凸部の部分が最も広く、幹凸部と接合する部分から先端部に向かって狭くなっている。
【０２３４】
実施例１６の液晶表示装置にあっては、第１電極２３４０には複数の凹凸部２３４１（凸部２３４２及び凹部２３４５）が形成されており、第１電極２３４０に設けられた凸部２３４２には複数の段差部が形成されている。また、凹凸部２３４１は、画素中心部を通り、十文字に延びる幹凸部（主凸部）２３４３、及び、幹凸部２３４３から画素周辺部に向かって延びる複数の枝凸部（副凸部）２３４４から構成されている。そして、枝凸部２３４４の幅は、幹凸部２３４３と接合する枝凸部の部分が最も広く、幹凸部２３４３と接合する部分から先端部に向かって狭くなっている（具体的には、直線状に狭くなっている）。
【０２３５】
ここで、幹凸部２３４３の延びる方向と直交する仮想垂直平面で幹凸部２３４３を切断したときの幹凸部２３４３の断面形状は、幹凸部２３４３の断面形状の中心から幹凸部２３４３の断面形状の縁に向かって段差部が下降していく断面形状を有する。具体的には、幹凸部２３４３の頂面は、幹凸部２３４３の中央部の頂面２３４３Ｂ、及び、頂面２３４３Ｂの両側に位置する頂面２３４３Ａから構成されている。このように、幹凸部２３４３には２つの段差部が存在し、凹部２３４５を基準としたとき、頂面２３４３Ａ、頂面２３４３Ｂの順に高くなっている。枝凸部２３４４の頂面を参照番号２３４４Ａで示すが、幹凸部２３４３の頂面２３４３Ａと枝凸部２３４４の頂面２３４４Ａは同じレベルにある。図面において、幹凸部２３４３の頂面２３４３Ｂには、横方向に延びるハッチングを付し、凹部２３４５には、縦方向に延びるハッチングを付している。
【０２３６】
以上の点を除き、実施例１６の液晶表示装置の構成、構造は、実施例１４において説明した液晶表示装置の構成、構造と同様とすることができる。
【実施例１７】
【０２３７】
実施例１７は、実施例１６の変形である。図４１に、実施例１７の液晶表示装置を構成する１画素分の第１電極の模式的な平面図を示す。尚、図４１の矢印Ａ−Ａ、矢印Ｂ−Ｂに沿った第１電極等の模式的な一部断面図は、実質的に、図１５Ａ、図１５Ｂと同じである。
【０２３８】
実施例１７において、幹凸部２３４３の頂面は、幹凸部２３４３の中央部の頂面２３４３Ｃ、頂面２３４３Ｃの両側に位置する頂面２３４３Ｂ、及び、頂面２３４３Ｂの外側に位置する頂面２３４３Ａから構成されている。このように、幹凸部２３４３には３つの段差部が存在し、凹部２３４５を基準としたとき、頂面２３４３Ａ、頂面２３４３Ｂ、頂面２３４３Ｃの順に高くなっている。また、幹凸部２３４３の延びる方向に平行な仮想垂直平面で幹凸部２３４３を切断したときの幹凸部２３４３の断面形状は、幹凸部２３４３の断面形状の中央部（頂面２３４３Ｃ）から幹凸部２３４３の断面形状の端部に向かって段差部が下降していく断面形状を有する（頂面２３４３Ｂ及び頂面２３４３Ａ）。尚、図面において、頂面２３４３Ｃには、クロスハッチングを付している。
【０２３９】
以上の点を除き、実施例１７の液晶表示装置の構成、構造は、実施例１６の液晶表示装置の構成、構造と同様とすることができるので、詳細な説明は省略する。
【実施例１８】
【０２４０】
実施例１８も、実施例１６の変形である。図４２に、実施例１８の液晶表示装置を構成する１画素分の第１電極の模式的な平面図を示す。尚、図４２の矢印Ｃ−Ｃに沿った第１電極等の模式的な一部端面図は、実質的に、図１５Ｃと同じであり、また一部を拡大した模式的な一部端面図は、実質的に、図１５Ｄと同じである。
【０２４１】
実施例１８にあっては、枝凸部２３４４の延びる方向と直交する仮想垂直平面で枝凸部２３４４を切断したときの枝凸部２３４４の断面形状は、枝凸部２３４４の断面形状の中心から枝凸部２３４４の断面形状の縁に向かって段差部が下降していく断面形状を有する。具体的には、枝凸部２３４４の頂面は、幹凸部２３４３から延びる頂面２３４４Ｂ、及び、頂面２３４４Ｂの両側に位置する頂面２３４４Ａから構成されている。このように、枝凸部２３４４には２つの段差部が存在し、凹部２３４５を基準としたとき、頂面２３４４Ａ、頂面２３４４Ｂの順に高くなっている。尚、図面において、頂面２３４４Ｂには、横方向に延びるハッチングを付している。また、図４２、図４３、図４６においては、幹凸部と枝凸部の境界を実線で示している。枝凸部２３４４の頂面２３４３Ｂと頂面２３４３Ａとの間の高低差を平均０．２０μｍとした。幹凸部２３４３の頂面２３４３Ｂと枝凸部２３４４の頂面２３４４Ｂは同じレベルにある。
【０２４２】
以上の点を除き、実施例１８の液晶表示装置の構成、構造は、実施例１６の液晶表示装置の構成、構造と同様とすることができるので、詳細な説明は省略する。
【０２４３】
尚、液晶表示装置を構成する１画素分の第１電極の模式的な平面図を図４３に示すように、枝凸部２３４４の延びる方向に平行な仮想垂直平面で枝凸部２３４４を切断したときの枝凸部２３４４の断面形状は、枝凸部２３４４の断面形状の幹凸部側から枝凸部２３４４の断面形状の端部に向かって段差部が下降していく断面形状を有する形態とすることもできる。また、実施例１７において説明した幹凸部２３４３と組み合わせることもできる。
【実施例１９】
【０２４４】
実施例１９も実施例１６の変形であるが、本開示の第３Ｃ−２の態様に係る液晶表示装置に関する。実施例１９の液晶表示装置を構成する１画素分の第１電極の模式的な平面図を図４４に示す。尚、図４４の矢印Ａ−Ａ及び矢印Ｂ−Ｂに沿った第１電極等の模式的な一部端面図は、実質的に、図２１Ａ，図２１Ｂ，２１Ｃに示したと同じである。
【０２４５】
実施例１９の液晶表示装置においても、第１電極２４４０には複数の凹凸部２４４１（凸部２４４２及び凹部２４４５）が形成されており、第１電極２４４０に設けられた凸部２４４２には複数の段差部が形成されている。具体的には、実施例１９の液晶表示装置において、凹凸部２４４１は、画素周辺部に額縁状に形成された幹凸部（主凸部）２４４３、及び、幹凸部２４４３から画素内部に向かって延びる複数の枝凸部（副凸部）２４４４から構成されている。そして、枝凸部２４４４の幅は、幹凸部２４４３と接合する枝凸部の部分が最も広く、幹凸部２４４３と接合する部分から先端部に向かって狭くなっている（具体的には、直線状に狭くなっている）。
【０２４６】
ここで、幹凸部２４４３の延びる方向と直交する仮想垂直平面で幹凸部２４４３を切断したときの幹凸部２４４３の断面形状は、幹凸部２４４３の断面形状の外側の縁から幹凸部２４４３の断面形状の内側の縁に向かって段差部が下降していく断面形状を有する。具体的には、幹凸部２４４３の頂面は、幹凸部２４４３の外側の縁部近傍の頂面２４４３Ｂ、及び、内側の縁部近傍の頂面２４４３Ａから構成されている。このように、幹凸部２４４３には２つの段差部が存在し、凹部２４４５を基準としたとき、頂面２４４３Ａ、頂面２４４３Ｂの順に高くなっている。尚、枝凸部２４４４の頂面を参照番号２４４４Ａで示すが、幹凸部２４４３の頂面２４４３Ａと枝凸部２４４４の頂面２４４４Ａは同じレベルにある。図面において、幹凸部２４４３の頂面２４４３Ｂには、横方向に延びるハッチングを付し、凹部２４４５には、縦方向に延びるハッチングを付している。画素の中央部に位置する凹部の部分の形状は、概ね十文字状である。
【０２４７】
以上の点を除き、実施例１９の液晶表示装置の構成、構造は、実施例１５あるいは実施例１６において説明した液晶表示装置の構成、構造と同様とすることができる。
【０２４８】
実施例１９にあっては、幹凸部２４４３に複数の段差部が形成されているので、幹凸部２４４３の外側の縁部において電場が最も高く、幹凸部２４４３の内側の縁部に向かって電場が低くなる。その結果、幹凸部２４４３における液晶分子に対する配向規制力を強くすることができ、幹凸部２４４３における液晶分子のチルト状態を確実に規定することができる。それ故、画像表示時、幹凸部２４４３に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【実施例２０】
【０２４９】
実施例２０は、実施例１９の変形である。実施例２０の液晶表示装置を構成する１画素分の第１電極の模式的な平面図を図４５に示す。尚、図４５の矢印Ｄ−Ｄに沿った第１電極を拡大した模式的な一部端面図は、実質的に、図２１Ｄに示したと同じである。
【０２５０】
実施例２０において、幹凸部２４４３の頂面は、幹凸部２４４３の外側の縁部近傍の頂面２４４３Ｃ、並びに、内側の縁部に向かって、頂面２４４３Ｂ及び頂面２４４３Ａから構成されている。このように、幹凸部２４４３には３つの段差部が存在し、凹部２４４５を基準としたとき、頂面２４４３Ａ、頂面２４４３Ｂ、頂面２４４３Ｃの順に高くなっている。尚、図面において、頂面２４４３Ｃには、クロスハッチングを付している。幹凸部２４４３の頂面２４４３Ｃと頂面２４４３Ｂとの間の高低差、頂面２４４３Ｂと頂面２４４３Ａとの間の高低差を、平均０．２０μｍとした。
【０２５１】
以上の点を除き、実施例２０の液晶表示装置の構成、構造は、実施例１９の液晶表示装置の構成、構造と同様とすることができるので、詳細な説明は省略する。
【実施例２１】
【０２５２】
実施例２１は実施例２０の変形である。図４６に実施例２１の液晶表示装置を構成する１画素分の第１電極の模式的な平面図を示す。
【０２５３】
実施例２１にあっては、枝凸部２４４４の延びる方向と直交する仮想垂直平面で枝凸部２４４４を切断したときの枝凸部２４４４の断面形状は、枝凸部２４４４の断面形状の中心から枝凸部２４４４の断面形状の縁に向かって段差部が下降していく断面形状を有する。具体的には、枝凸部２４４４の頂面は、幹凸部２４４３の頂面２４４３Ｂから延びる頂面２４４４Ｂ、及び、頂面２４４４Ｂの両側に位置する頂面２４４４Ａから構成されている。そして、凹部２４４５を基準としたとき、枝凸部２４４４には２つの段差部が存在し、頂面２４４４Ａ、頂面２４４４Ｂの順に高くなっている。尚、図面において、頂面２４４４Ｂには、横方向に延びるハッチングを付している。枝凸部２４４４の頂面２４４３Ｂと頂面２４４３Ａとの間の高低差を平均０．２８μｍとした。幹凸部２４４３の頂面２４４３Ｂと枝凸部２４４４の頂面２４４４Ｂは同じレベルにある。
【０２５４】
また、枝凸部２４４４の延びる方向に平行な仮想垂直平面で枝凸部２４４４を切断したときの枝凸部２４４４の断面形状は、枝凸部２４４４の断面形状の幹凸部側から枝凸部２４４４の断面形状の端部に向かって段差部が下降していく断面形状を有する形態とすることもできる。
【０２５５】
以上の点を除き、実施例２１の液晶表示装置の構成、構造は、実施例１９の液晶表示装置の構成、構造と同様とすることができるので、詳細な説明は省略する。尚、実施例１９と同様にして、幹凸部２４４３の頂面を、頂面２４４３Ｂ、及び、頂面２４４３Ｂの両側に位置する頂面２４４３Ａから構成することもできる。
【実施例２２】
【０２５６】
実施例２２は、本開示の第４Ａの態様に係る液晶表示装置に関する。図４７に、実施例２２の液晶表示装置を構成する１画素分の第１電極の模式的な平面図を示し、図４８Ａに、図４７の矢印Ａ−Ａに沿った第１電極等の模式的な一部断面図を示し、図４８Ｂに、図４８Ａの一部を拡大した模式的な一部断面図を示す。実施例２２の液晶表示装置の模式的な一部端面図は、実質的に、図１〜図３と同じである。
【０２５７】
実施例２２あるいは後述する実施例２３〜実施例３３の液晶表示装置は、実施例１〜実施例３の液晶表示装置と同様に、
第１基板２０及び第２基板５０、
第２基板５０と対向する第１基板２０の対向面に形成された第１電極（画素電極）３１４０，３２４０，３３４０，３４４０、
第１基板２０と対向する第２基板５０の対向面に形成された第２電極（対向電極）１６０、並びに、
第１電極３１４０，３２４０，３３４０，３４４０及び第２電極１６０の間に設けられ、液晶分子７１Ａ，７１Ｂ，７１Ｃを含む液晶層７０、
を有する画素１０（１０Ａ，１０Ｂ，１０Ｃ）が、複数、配列されて成る液晶表示装置であり、液晶分子にはプレチルトが付与されており、
第１電極３１４０，３２４０，３３４０，３４４０には複数の凹凸部３１４１，３２４１，３３４１，３４４１が形成されている。具体的には、少なくとも第１電極の側の液晶分子にはプレチルトが付与されている。尚、液晶分子は負の誘電率異方性を有する。
【０２５８】
そして、実施例２２の液晶表示装置にあっては、画素１０の中心を通るＸ軸及びＹ軸を想定したとき、具体的には、画素１０の中心を通り、画素周辺部に平行な直線のそれぞれをＸ軸、Ｙ軸とした（Ｘ，Ｙ）座標系を想定したとき、
第１象限を占める複数の凸部３１４４Ａ1は、Ｘ座標の値が増加したときＹ座標の値が増加する方向に平行に延び、
第２象限を占める複数の凸部３１４４Ａ2は、Ｘ座標の値が減少したときＹ座標の値が増加する方向に平行に延び、
第３象限を占める複数の凸部３１４４Ａ3は、Ｘ座標の値が減少したときＹ座標の値が減少する方向に平行に延び、
第４象限を占める複数の凸部３１４４Ａ4は、Ｘ座標の値が増加したときＹ座標の値が減少する方向に平行に延びる。尚、第１象限を占める複数の凸部３１４４Ａ1は、その軸線がＸ軸と４５度を成して延び、第２象限を占める複数の凸部３１４４Ａ2は、その軸線がＸ軸と１３５度を成して延び、第３象限を占める複数の凸部３１４４Ａ3は、その軸線がＸ軸と２２５度を成して延び、第４象限を占める複数の凸部３１４４Ａ4は、その軸線がＸ軸と３１５度を成して延びる。尚、凸部３１４４Ａは、Ｘ軸に対して線対称であり、Ｙ軸に対しても線対称であるし、また、画素の中心に対して１８０度の回転対称（点対称）である。
【０２５９】
実施例２２の液晶表示装置にあっては、実施例１の液晶表示装置と異なり、幹凸部は設けられておらず、実施例２２の液晶表示装置における凸部３１４４Ａは、実施例１の液晶表示装置における枝凸部に相当する。そして、
Ｘ軸から延び、第１象限を占める凸部３１４４Ａ11のそれぞれは、Ｘ軸から延び、第４象限を占める凸部３１４４Ａ41のそれぞれと接合しており、
Ｙ軸から延び、第１象限を占める凸部３１４４Ａ12のそれぞれは、Ｙ軸から延び、第２象限を占める凸部３１４４Ａ22のそれぞれと接合しており、
Ｘ軸から延び、第２象限を占める凸部３１４４Ａ21のそれぞれは、Ｘ軸から延び、第３象限を占める凸部３１４４Ａ31のそれぞれと接合しており、
Ｙ軸から延び、第３象限を占める凸部３１４４Ａ32のそれぞれは、Ｙ軸から延び、第４象限を占める凸部３１４４Ａ42のそれぞれと接合している。即ち、凸部３１４４Ａの平面形状は「Ｖ」字形状である。尚、凸部を示す参照番号における下付文字「11」、「12」等と、後述する各種実施例における凸部を示す参照番号における下付文字とは、同じ凸部の部分を指す。
【０２６０】
凸部３１４４Ａ、凹部３１４５の仕様を以下の表８のとおりとした。
【０２６１】
［表８］
凸部の平均高さ  ：０．２μｍ
凸部の形成ピッチ：５．０μｍ
凸部の幅        ：２．５μｍ
凹部の幅        ：２．５μｍ
【０２６２】
実施例２２の液晶表示装置にあっては、第１象限を占める複数の凸部３１４４Ａ1は、Ｘ座標の値が増加したときＹ座標の値が増加する方向に平行に延び、第２象限を占める複数の凸部３１４４Ａ2は、Ｘ座標の値が減少したときＹ座標の値が増加する方向に平行に延び、第３象限を占める複数の凸部３１４４Ａ3は、Ｘ座標の値が減少したときＹ座標の値が減少する方向に平行に延び、第４象限を占める複数の凸部３１４４Ａ4は、Ｘ座標の値が増加したときＹ座標の値が減少する方向に平行に延びる。即ち、Ｘ軸と平行に延びる凸部の部分、あるいは、Ｙ軸と平行に延びる凸部の部分が、凸部３１４４Ａの先端部を除き、存在しない。尚、凸部３１４４Ａの先端部を、凸部３１４４Ａの軸線と直交する線分から構成し、あるいは又、凸部３１４４Ａの先端部を、曲線から構成することで、Ｘ軸と平行に延びる凸部の部分、あるいは、Ｙ軸と平行に延びる凸部の部分が、存在しない構成とすることもできる。ここで、第１の偏光板の吸収軸は、Ｘ軸あるいはＹ軸と平行であり、第２の偏光板の吸収軸は、Ｙ軸あるいはＸ軸と平行である。従って、暗線の発生を一層少なくすることができる。即ち、一層均一な高い光透過率を実現することができるし、一層良好な電圧応答特性を得ることができる。また、初期配向が改善されるため、前述したように、液晶セルに対して矩形波の交流電界を印加した状態で均一な紫外線を照射して、液晶分子にプレチルトを付与するとき、液晶分子にプレチルトを付与するための時間の短縮を図ることができる。更には、配向欠陥の減少が見込めるため、歩留りが向上し、液晶表示装置の生産コストの低減が可能となる。更には、光透過率の向上を図れるが故に、バックライトの低消費電力、ＴＦＴ信頼性の向上を図ることができる。
【実施例２３】
【０２６３】
実施例２３は、実施例２２の変形である。実施例２３の液晶表示装置を構成する１画素分の第１電極の一部分を拡大した模式的な平面図を、図４９Ａ、図４９Ｂ、図５０Ａ、図５０Ｂに示す。尚、図４９Ａ、図４９Ｂ、図５０Ａ、図５０Ｂは、図４７の第１電極の模式的な平面図において円形の領域で囲んだ第１電極の部分を拡大した模式的な平面図である。実施例２３の液晶表示装置において、２つの凸部３１４４Ｂの接合部３１４４Ｂ’には、画素１０の周辺部方向に向かって延びる突出部３１５１が設けられている。突出部３１５１は、図４９Ａ及び図４９Ｂに示すように、複数の線分（図示した例では２本の線分）によって囲まれている構成とすることができるし、図５０Ａに示すように、１本の曲線によって囲まれている構成とすることもできるし、図５０Ｂに示すように、複数の曲線（図示した例では２本の曲線）によって囲まれている構成とすることもできるし、線分と曲線との組合せによって囲まれている構成とすることもできる。尚、図４９Ａに示す例にあっては、突出部３１５１の先端は、画素の周辺部方向において隣接する２つの凸部の接合部と接していない。一方、図４９Ｂに示す例にあっては、突出部３１５１の先端は、画素の周辺部方向において隣接する２つの凸部の接合部と接している。
【０２６４】
このような構成にすることによっても、Ｘ軸と平行に延びる凸部の部分、あるいは、Ｙ軸と平行に延びる凸部の部分が存在しないか、存在しても極めて僅かな長さである。しかも、凸部の「Ｖ」字形状の底部の内側の部分には、突出部３１５１が設けられているので、凸部の「Ｖ」字形状の底部の部分に突出部３１５１が設けられていない場合よりも、凸部の「Ｖ」字形状の底部の内側の近傍に位置する液晶分子の配向状態を、一層、所望の状態とすることができる。
【実施例２４】
【０２６５】
実施例２４も、実施例２２の変形である。実施例２２にあっては、凸部３１４４ＡはＸ軸上あるいはＹ軸上で接合され、凸部３１４４Ａの平面形状は「Ｖ」字形状であった。一方、実施例２４にあっては、凸部３１４４ＣはＸ軸上あるいはＹ軸上で接合されていない。具体的には、実施例２４の液晶表示装置を構成する１画素分の第１電極の模式的な平面図を図５１に示すように、
Ｘ軸あるいはその近傍から延び、第１象限を占める凸部３１４４Ｃ11のそれぞれは、Ｘ軸あるいはその近傍から延び、第４象限を占める凸部３１４４Ｃ41のそれぞれと接合しておらず、
Ｙ軸あるいはその近傍から延び、第１象限を占める凸部３１４４Ｃ12のそれぞれは、Ｙ軸あるいはその近傍から延び、第２象限を占める凸部３１４４Ｃ22のそれぞれと接合しておらず、
Ｘ軸あるいはその近傍から延び、第２象限を占める凸部３１４４Ｃ21のそれぞれは、Ｘ軸あるいはその近傍から延び、第３象限を占める凸部３１４４Ｃ31のそれぞれと接合しておらず、
Ｙ軸あるいはその近傍から延び、第３象限を占める凸部３１４４Ｃ32のそれぞれは、Ｙ軸あるいはその近傍から延び、第４象限を占める凸部３１４４Ｃ42のそれぞれと接合していない。
【０２６６】
尚、凸部３１４４Ｃのそれぞれは、接合していないが、接した状態にあってもよい。ここで、「接合」しているとは、凸部のそれぞれが或る長さで交わっている状態を指し、「接して」いるとは、凸部のそれぞれが非常に短い長さで（一種、点状で）交わっている状態を指す。
【０２６７】
このような構成にすることによっても、Ｘ軸と平行に延びる凸部の部分、あるいは、Ｙ軸と平行に延びる凸部の部分が存在しない。あるいは、存在したとしても、長さは短い。従って、実施例２２において説明したと同様の効果を得ることができる。
【実施例２５】
【０２６８】
実施例２５は、実施例２２〜実施例２４の変形である。実施例２５の液晶表示装置を構成する１画素分の第１電極の模式的な平面図を図５２に示すように、凸部３１４４Ｄの幅は画素１０の周辺部に向かって狭くなる。具体的には、凸部３１４４Ｄの幅は、Ｘ軸、Ｙ軸あるいはその近傍の部分が最も広く、画素１０の周辺部に向かって狭くなっている（より具体的には、直線状に狭くなっている）。
【実施例２６】
【０２６９】
実施例２６は、実施例２２〜実施例２５の変形であり、本開示の第４Ａ−１の態様に係る液晶表示装置に関し、更には、本開示の第４Ｃの態様に係る液晶表示装置に関する。
【０２７０】
実施例２６の液晶表示装置を構成する１画素分の第１電極等の模式的な平面図を図５３Ａ、図５３Ｂ、図５３Ｃ、図５４Ａ、図５４Ｂ、図５４Ｃ、図５５Ａ、図５５Ｂ、図５５Ｃ、図５６Ａ、図５６Ｂ、図５６Ｃに示すように、第１電極３１４０には、凹凸部３１４１に加えて、スリット部３１５２が形成されている。スリット部３１５２には、第１電極３１４０を構成する透明導電材料層は形成されていない。尚、図５７Ａは、図５３Ｃの矢印Ａ−Ａに沿った模式的な端面図であり、図５７Ｂは、図５４Ｃの矢印Ｂ−Ｂに沿った模式的な端面図であり、図５７Ｃは、図５５Ｃの矢印Ｃ−Ｃに沿った模式的な端面図であり、図５７Ｄは、図５６Ｃの矢印Ｄ−Ｄに沿った模式的な端面図である。
【０２７１】
実施例２６にあっては、スリット部３１５２が凸部領域３１４４Ｅ’に形成されている。ここで、図５３Ａ、図５３Ｂ、図５３Ｃに示すように、スリット部３１５２は、画素１０の中心領域（中央部分）３１５２Ａを含む領域に設けられている。尚、凸部３１４４Ｅ、凸部領域３１４４Ｅ’、凹部３１４５、中心領域３１５２Ａの配置状態を図５３Ａに模式的に示し、第１電極３１４０に設けられたスリット部３１５２の配置状態を図５３Ｂに模式的に示し、凹凸部３１４１とスリット部３１５２を重ね合わせた図を図５３Ｃに示す。あるいは又、図５４Ａ、図５４Ｂ、図５４Ｃに示すように、スリット部３１５２は、各象限において、画素１０の中心領域（中央部分）に向かって延びる１つの凸部領域３１４４Ｅ’（具体的には、１本の凸部３１４４上）に形成されている。尚、凸部３１４４Ｅ、凸部領域３１４４Ｅ’、凹部３１４５の配置状態を図５４Ａに模式的に示し、第１電極３１４０に設けられたスリット部３１５２の配置状態を図５４Ｂに模式的に示し、凹凸部３１４１とスリット部３１５２を重ね合わせた図を図５４Ｃに示す。あるいは又、図５５Ａ、図５５Ｂ、図５５Ｃに示すように、スリット部３１５２は、各象限において、画素１０の中心領域（中央部分）３１５２Ａに向かって延びる凸部領域３１４４Ｅ’に形成されている。尚、凸部３１４４Ｅ、凸部領域３１４４Ｅ’、凹部３１４５、中心領域３１５２Ａの配置状態を図５５Ａに模式的に示し、第１電極３１４０に設けられたスリット部３１５２の配置状態を図５５Ｂに模式的に示し、凹凸部３１４１とスリット部３１５２を重ね合わせた図を図５５Ｃに示す。あるいは又、図５６Ａ、図５６Ｂ、図５６Ｃに示すように、スリット部３１５２は、画素１０の中心領域（中央部分）３１５２Ａに向かって延びる凸部とＹ軸とによって挟まれた領域に設けられた凸部領域３１４４Ｅ’に形成されている。尚、凸部３１４４Ｅ、凸部領域３１４４Ｅ’、凹部３１４５、中心領域３１５２Ａの配置状態を図５６Ａに模式的に示し、第１電極３１４０に設けられたスリット部３１５２の配置状態を図５６Ｂに模式的に示し、凹凸部３１４１とスリット部３１５２を重ね合わせた図を図５６Ｃに示す。ここで、図５３Ａ、図５３Ｂ、図５３Ｃ、図５４Ａ、図５４Ｂ、図５４Ｃ、図５５Ａ、図５５Ｂ、図５５Ｃ、図５６Ａ、図５６Ｂ、図５６Ｃにおいては、凹部３１４５を、縦方向に延びるハッチングを付している。また、図５３Ｂ、図５３Ｃ、図５４Ｂ、図５４Ｃ、図５５Ｂ、図５５Ｃ、図５６Ｂ、図５６Ｃ、図６８、図６９、図７０においては、スリット部３１５２，３２５２を、横方向に延びるハッチングを付している。参照番号３１５２’で示す領域には、スリット部は設けられておらず、第１電極３１４０を構成する透明導電材料層が形成されている。スリット部３１５２においては、平滑化膜２２が露出している。
【０２７２】
あるいは又、実施例２６の液晶表示装置を構成する画素の更に別の変形例における、凸部、凹部、スリット部等の配置状態を模式的に図５８Ａに示し、図５８Ａの矢印Ｂ−Ｂに沿った第１電極等の模式的な断面図を図５８Ｂに示すように、凸部３１４４Ｅの頂部には、凸部３１４４Ｅと平行に延びるスリット部３１５２が形成されていてもよい。あるいは又、実施例２６の液晶表示装置を構成する画素の更に別の変形例における、凸部、凹部、スリット部等の配置状態を模式的に図５９Ａに示し、図５９Ａの矢印Ｂ−Ｂに沿った第１電極等の模式的な断面図を図５９Ｂに示すように、凹部３１４５の底面には、凹部３１４５と平行に延びるスリット部３１５２が形成されていてもよい。尚、図５８Ａ及び図５９Ａにおいて、あるいは又、後述する図６９及び図７０において、スリット部３１５２，３２５２を太い実線で示している。例えば、図５８Ａ及び図５８Ｂに示した例においては、（凸部の幅，凹部の幅，スリット部の幅）＝（７．０μｍ，３．０μｍ，３．０μｍ）であり、図５９Ａ及び図５９Ｂに示した例においては、（凸部の幅，凹部の幅，スリット部の幅）＝（３．０μｍ，７．０μｍ，３．０μｍ）である。ここで、スリット部３１５２によって他の凸部３１４４Ｅから孤立した凸部３１４４Ｅが形成されないように、あるいは又、スリット部３１５２によって他の凹部３１４５から孤立した凹部３１４５が形成されないように、即ち、全ての凹凸部が電気的に接続されているように、スリット部３１５２を形成する。図５８Ａ、図５９Ａに示した例では、Ｘ軸及びＹ軸上における凸部あるいは凹部にはスリット部３１５２が設けられていない。即ち、Ｘ軸及びＹ軸上における凸部あるいは凹部において、スリット部３１５２には切欠きが設けられている。尚、画素１０の周辺部において凸部あるいは凹部にスリット部を設けない構成としてもよい。
【０２７３】
このように、実施例２６において、第１電極３１４０には、凹凸部３１４１の他、スリット部３１５２が形成されているので、第１電極３１４０によって生成された電場がスリット部３１５２の近傍において歪み、液晶分子の倒れる方向が強く規定される。即ち、スリット部３１５２の近傍における液晶分子に対する配向規制力を強くすることができ、スリット部３１５２の近傍における液晶分子のチルト状態を確実に規定することができる。それ故、液晶表示装置の製造時、液晶分子にプレチルトを付与するために液晶層を所望の電場に所定の時間、暴露するが、所望の電場に暴露された液晶分子の配向が安定するまでに要する時間の短縮化を図ることができる。即ち、短時間にて液晶分子にプレチルトを付与することが可能となり、液晶表示装置の製造時間の短縮化を図ることが可能となる。尚、スリット部だけでなく、凹凸部も設けられているので、従来のファインスリット構造における問題点は発生することがない。
【０２７４】
凸部３１４４Ｅの幅及び凹部３１４５の幅を、それぞれ、２．５μｍとし、スリット部３１５２の幅を２．５μｍ、図５５Ａ、図５５Ｂ、図５５Ｃ、図５６Ｃに示したスリット部３１５２の構成を有する液晶表示装置にあっては、あるいは又、図５８Ａ、図５９Ａに示したスリット部３１５２の構成を有する液晶表示装置にあっては、プレチルト処理時の電圧印加から、液晶分子の配向完了までの時間は１０秒以内であった。
【実施例２７】
【０２７５】
実施例２７は、実施例２２〜実施例２６の変形であり、本開示の第４Ｄの態様に係る液晶表示装置、本開示の第４Ａ−２の態様に係る液晶表示装置、本開示の第４Ｃ−２の態様に係る液晶表示装置に関する。実施例２７の液晶表示装置を構成する１画素分の第１電極の模式的な平面図を図６０に示し、実施例２７の液晶表示装置を構成する１画素の中心領域における第１電極の部分の模式的な平面図を図６１Ａ、図６２Ａ、図６２Ｂに示し、模式的な一部断面図を図６１Ｂに示すように、画素１０の中心領域における第１電極３１４０には窪み３１５３が設けられている。
【０２７６】
ここで、図６１Ｂに示すように、窪み３１５３は第１基板に向かって窄まっている。即ち、窪み３１５３は、所謂、順テーパーの斜面を有する。窪み３１５３の傾斜角は、５度乃至６０度、好ましくは２０度乃至３０度であることが望ましい。このような傾斜角は、平滑化膜２２に傾斜が付くように、例えば、エッチバック法に基づき平滑化膜２２をエッチングすることで得ることができる。そして、窪み３１５３の外縁３１５３Ａの形状を、図６１Ａに示すように、円形（直径は、例えば、１５μｍあるいは７μｍ）とすることができるし、あるいは又、図６２Ａ、図６２Ｂに示すように、矩形（例えば、一辺の長さが１２μｍの正方形）とすることができる。矩形形状の窪み３１５３の外縁３１５３Ａと凸部３１４４Ｆの延びる方向との成す角度（矩形形状の窪み３１５３の外縁３１５３Ａと、この外縁３１５３Ａと凸部３１４４Ｆの延長部が交わる凸部３１４４Ｆの延びる方向との成す角度）は、９０度であってもよいし（図６２Ａ参照）、鋭角、例えば、６０度であってもよい（図６２Ｂ参照）。
【０２７７】
このように、実施例２７の液晶表示装置にあっては、画素の中心領域における第１電極３１４０には窪み３１５３が設けられているので、窪み３１５３の近傍に位置する液晶分子は、画素の中心に向かって倒れる状態となる。それ故、液晶表示装置の製造時、液晶分子にプレチルトを付与するために液晶層を所望の電場に所定の時間、暴露するが、所望の電場に暴露された液晶分子の配向が安定するまでに要する時間の短縮化を図ることができる。即ち、短時間にて液晶分子にプレチルトを付与することが可能となり、液晶表示装置の製造時間の短縮化を図ることが可能となる。
【０２７８】
凸部３１４４Ｆの幅及び凹部３１４５の幅を、それぞれ、２．５μｍとし、窪み３１５３の傾斜角を３０度、窪み３１５３の外縁３１５３Ａの形状を、図６１Ａに示すように、円形とした液晶表示装置にあっては、プレチルト処理時の電圧印加から、液晶分子の配向完了までの時間は１０秒以内であった。
【０２７９】
尚、図６１Ｃに示すように、窪み３１５３の中心部はコンタクトホール（接続孔３５）の一部を構成する構成とすることもできる。
【実施例２８】
【０２８０】
実施例２８は、実施例２２〜実施例２７の変形であり、本開示の第４Ｅの態様に係る液晶表示装置、本開示の第４Ａ−３の態様に係る液晶表示装置、本開示の第４Ｃ−３の態様に係る液晶表示装置、本開示の第４Ｄ−３の態様に係る液晶表示装置に関する。実施例２８の液晶表示装置を構成する１画素分の第１電極の模式的な平面図を図６３に示す。
【０２８１】
即ち、実施例２８の液晶表示装置にあっては、Ｘ軸に沿った凸部３１４４Ｇの形成ピッチをＰXとし、Ｙ軸に沿った凸部３１４４Ｇの形成ピッチをＰY（＝ＰX）としたとき、凸部３１４４Ｇの幅を（ＰY／２＝ＰX／２）とし、凹部３１４５の幅を（ＰY／２＝ＰX／２）とした。
【０２８２】
そして、実施例２８にあっては、
Ｘ軸あるいはその近傍から延び、第１象限を占める凸部３１４４Ｇ11と、Ｘ軸あるいはその近傍から延び、第４象限を占める凸部３１４４Ｇ41とは、相互にずれた状態で形成されており（好ましくは、相互に（ＰX／２）ずれた状態で形成されており）、
Ｙ軸あるいはその近傍から延び、第１象限を占める凸部３１４４Ｇ12と、Ｙ軸あるいはその近傍から延び、第２象限を占める凸部３１４４Ｇ22とは、相互にずれた状態で形成されており（好ましくは、相互に（ＰY／２）ずれた状態で形成されており）、
Ｘ軸あるいはその近傍から延び、第２象限を占める凸部３１４４Ｇ21と、Ｘ軸あるいはその近傍から延び、第３象限を占める凸部３１４４Ｇ32とは、相互にずれた状態で形成されており（好ましくは、相互に（ＰX／２）ずれた状態で形成されており）、
Ｙ軸あるいはその近傍から延び、第３象限を占める凸部３１４４Ｇ31と、Ｙ軸あるいはその近傍から延び、第４象限を占める凸部３１４４Ｇ41とは、相互にずれた状態で形成されているり（好ましくは、相互に（ＰY／２）ずれた状態で形成されている）。尚、凸部３１４４Ｇは、Ｘ軸及びＹ軸に対して線対称ではなく、画素の中心に対して１８０度の回転対称（点対称）である。
【０２８３】
このように、凸部３１４４Ｇと凸部３１４４Ｇとを、相互に半ピッチずつ、ずれた状態で形成することで、画素の中心における第１電極３１４０によって生成された電場が画素の中心の近傍において歪み、液晶分子の倒れる方向が規定される。その結果、画素の中心の近傍における液晶分子に対する配向規制力を強くすることができ、画素の中心の近傍における液晶分子のチルト状態を確実に規定することができる。それ故、液晶表示装置の製造時、液晶分子にプレチルトを付与するために液晶層を所望の電場に所定の時間、暴露するが、所望の電場に暴露された液晶分子の配向が安定するまでに要する時間の短縮化を図ることができる。即ち、短時間にて液晶分子にプレチルトを付与することが可能となり、液晶表示装置の製造時間の短縮化を図ることが可能となる。
【０２８４】
凸部３１４４Ｇの幅及び凹部３１４５の幅を、それぞれ、２．５μｍとし、凸部３１４４Ｇと凸部３１４４Ｇとを、相互に半ピッチずつ、ずれた状態の液晶表示装置にあっては、プレチルト処理時の電圧印加から、液晶分子の配向完了までの時間は１０秒以内であった。
【実施例２９】
【０２８５】
実施例２９は、本開示の第４Ｂの態様に係る液晶表示装置に関する。図６４に、実施例２９の液晶表示装置を構成する１画素分の第１電極の模式的な平面図を示し、図６５Ａ、図６５Ｂ及び図６６に、図６４の第１電極の模式的な平面図において円形の領域で囲んだ第１電極の部分を拡大した模式的な平面図を示す。
【０２８６】
実施例２９の液晶表示装置にあっては、画素１０の中心を通るＸ軸及びＹ軸を想定したとき、具体的には、画素１０の中心を通り、画素周辺部に平行な直線のそれぞれをＸ軸、Ｙ軸とした（Ｘ，Ｙ）座標系を想定したとき、
複数の凹凸部３２４１は、Ｘ軸上及びＹ軸上を延びる幹凸部３２４３、及び、幹凸部３２４３の側辺から画素１０の周辺部に向かって延びる複数の枝凸部３２４４Ａから構成されており、
枝凸部３２４４Ａと接合していない幹凸部３２４３の側辺部分３２４３’の延びる方向は、Ｘ軸とは平行でなく、且つ、Ｙ軸とは平行でない。即ち、枝凸部３２４４Ａと接合していない幹凸部３２４３の側辺部分３２４３’の延びる方向は、Ｘ軸と異なる方向であり、且つ、Ｘ軸と異なる方向である。尚、幹凸部３２４３、枝凸部３２４４Ａは、Ｘ軸に対して線対称であり、Ｙ軸に対しても線対称であるし、また、画素の中心に対して１８０度の回転対称（点対称）である。
【０２８７】
具体的には、枝凸部３２４４Ａと接合していない幹凸部３２４３の側辺部分３２４３’は、図６４及び図６５Ａに示すように、直線状であり、あるいは又、図６５Ｂ、図６６に示すように、曲線状である。そして、図６４、図６５Ａ、図６５Ｂ、図６６に示すように、枝凸部３２４４Ａと接合していない幹凸部３２４３の部分３２４３Ａの幅は、幹凸部３２４３の先端部に向かって狭くなっている。
【０２８８】
ここで、実施例２９の液晶表示装置にあっては、
第１象限を占める複数の枝凸部３２４４Ａ1は、Ｘ座標の値が増加したときＹ座標の値が増加する方向に平行に延び、
第２象限を占める複数の枝凸部３２４４Ａ2は、Ｘ座標の値が減少したときＹ座標の値が増加する方向に平行に延び、
第３象限を占める複数の枝凸部３２４４Ａ3は、Ｘ座標の値が減少したときＹ座標の値が減少する方向に平行に延び、
第４象限を占める複数の枝凸部３２４４Ａ4は、Ｘ座標の値が増加したときＹ座標の値が減少する方向に平行に延びる。
【０２８９】
即ち、幹凸部３２４３及び枝凸部３２４４Ａは、Ｘ軸に対して線対称であり、Ｙ軸に対しても線対称であるし、また、画素の中心に対して１８０度の回転対称（点対称）である。
【０２９０】
以上の点を除き、実施例２９の液晶表示装置は、実施例２２にて説明した液晶表示装置と同様の構成、構造とすることができるので、詳細な説明は省略する。
【０２９１】
このように、実施例２９の液晶表示装置にあっては、Ｘ軸と平行に延びる幹凸部の部分、あるいは、Ｙ軸と平行に延びる幹凸部の部分が存在しない。従って、一層均一な高い光透過率を実現することが可能な液晶表示装置を提供することができるし、また、短時間にて液晶分子にプレチルトを付与することを可能とする構成、構造を有する液晶表示装置を提供することができる。
【０２９２】
幹凸部３２４３、枝凸部３２４４Ａ、凹部３２４５の仕様を以下の表９のとおりとした。
【０２９３】
［表９］
幹凸部の平均高さ  ：０．２μｍ
幹凸部の幅        ：最小１．０μｍ、最大２．０μｍ
枝凸部の平均高さ  ：０．２μｍ
枝凸部の形成ピッチ：５．０μｍ
枝凸部の幅        ：２．５μｍ
凹部の幅          ：２．５μｍ
【０２９４】
尚、実施例２９の液晶表示装置に対して、実施例２５と同様に、枝凸部３２４４Ｄの幅は画素１０の周辺部に向かって狭くなる形態とすることができる（図６７参照）。あるいは又、実施例２６と同様に、第１電極には、更に、スリット部３２５２が形成されている形態（本開示の第４Ｂ−１の態様に係る液晶表示装置あるいは本開示の第４Ｃの態様に係る液晶表示装置）とすることができる（図６８、図６９、図７０参照）。尚、図６８は、実施例２９の液晶表示装置の変形例を構成する１画素分の第１電極の模式的な平面図であり、図５４に示したと同様の構成、構造のスリット部３２５２が設けられている。また、図６９、図７０は、実施例２９の液晶表示装置の変形例を構成する１画素分の第１電極の模式的な平面図であり、図５８、図５９に示したと同様の構成、構造のスリット部３２５２が設けられている。ここで、スリット部３２５２によって他の枝凸部３２４４Ｄから孤立した枝凸部３２４４Ｄが形成されないように、あるいは又、スリット部３２５２によって他の凹部３２４５から孤立した凹部３２４５が形成されないように、即ち、全ての凹凸部が電気的に接続されているように、スリット部３２５２を形成する。図６９、図７０に示した例では、幹凸部３２４３にはスリット部３２５２が設けられていない。即ち、幹凸部において、スリット部３２５２には切欠きが設けられている。尚、画素１０の周辺部において枝凸部あるいは凹部にスリット部を設けない構成としてもよい。あるいは又、実施例２７と同様に、画素１０の中心領域における第１電極には窪み３２５３が設けられている形態（本開示の第４Ｂ−２の態様に係る液晶表示装置、本開示の第４Ｃ−２の態様に係る液晶表示装置あるいは本開示の第４Ｄの態様に係る液晶表示装置）とすることができる（図７１参照）。
【０２９５】
あるいは又、実施例２９の液晶表示装置にあっては、１画素分の第１電極の模式的な平面図である図７２に示すように、
Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互にずれた状態で形成されており（好ましくは、相互に（ＰX／２）ずれた状態で形成されており）、
Ｙ軸上の幹凸部から延び、第１象限を占める枝凸部と、Ｙ軸上の幹凸部から延び、第２象限を占める枝凸部とは、相互にずれた状態で形成されており（好ましくは、相互に（ＰY／２）ずれた状態で形成されており）、
Ｘ軸上の幹凸部から延び、第２象限を占める枝凸部と、Ｘ軸上の幹凸部から延び、第３象限を占める枝凸部とは、相互にずれた状態で形成されており（好ましくは、相互に（ＰX／２）ずれた状態で形成されており）、
Ｙ軸上の幹凸部から延び、第３象限を占める枝凸部と、Ｙ軸上の幹凸部から延び、第４象限を占める枝凸部とは、相互にずれた状態で形成されている（好ましくは、相互に（ＰY／２）ずれた状態で形成されている）形態（本開示の第４Ｂ−３の態様に係る液晶表示装置、本開示の第４Ｃ−３の態様に係る液晶表示装置、本開示の第４Ｄ−３の態様に係る液晶表示装置あるいは本開示の第４Ｅの態様に係る液晶表示装置）とすることができる。即ち、幹凸部及び枝凸部は、Ｘ軸及びＹ軸に対して線対称ではなく、画素の中心に対して１８０度の回転対称（点対称）である。
【実施例３０】
【０２９６】
実施例３０も、実施例２９の変形である。図７３に、実施例３０の液晶表示装置を構成する１画素分の第１電極の模式的な平面図を示し、図７４Ａ、図７４Ｂ、図７４Ｃに、図７３の矢印Ａ−Ａ、矢印Ｂ−Ｂ、矢印Ｃ−Ｃに沿った第１電極等の模式的な一部断面図を示し、図７４Ｄに、図７４Ｃの一部を拡大した模式的な一部断面図を示す。実施例３０の液晶表示装置の模式的な一部端面図は、実質的に図１〜図３と同様である。
【０２９７】
尚、図７３、図７５、図７６、図７８においては、枝凸部の幅を一定として描いているが、実施例２５にて説明したと同様に、枝凸部にテーパーを付してもよい。即ち、枝凸部の幅は、幹凸部と接合する枝凸部の部分が最も広く、幹凸部と接合する部分から先端部に向かって狭くなっている形態としてもよい。
【０２９８】
実施例３０の液晶表示装置にあっては、第１電極３３４０には複数の凹凸部３３４１（幹凸部３３４３、枝凸部３３４４及び凹部３３４５）が形成されており、第１電極３３４０に設けられた幹凸部３３４３には複数の段差部が形成されている。また、凹凸部３３４１は、画素の中心を通り、十文字に延びる幹凸部（主凸部）３３４３、及び、幹凸部３３４３から画素周辺部に向かって延びる複数の枝凸部（副凸部）３３４４から構成されている。
【０２９９】
ここで、幹凸部３３４３の延びる方向と直交する仮想垂直平面で幹凸部３３４３を切断したときの幹凸部３３４３の断面形状は、幹凸部３３４３の断面形状の中心から幹凸部３３４３の断面形状の縁に向かって段差部が下降していく断面形状を有する。具体的には、幹凸部３３４３の頂面は、幹凸部３３４３の中央部の頂面３３４３Ｂ、及び、頂面３３４３Ｂの両側に位置する頂面３３４３Ａから構成されている。このように、幹凸部３３４３には２つの段差部が存在し、凹部３３４５を基準としたとき、頂面３３４３Ａ、頂面３３４３Ｂの順に高くなっている。枝凸部３３４４の頂面を参照番号３３４４Ａで示すが、幹凸部３３４３の頂面３３４３Ａと枝凸部３３４４の頂面３３４４Ａは同じレベルにある。図面において、幹凸部３３４３の頂面３３４３Ｂには、横方向に延びるハッチングを付し、凹部３３４５には、縦方向に延びるハッチングを付している。
【実施例３１】
【０３００】
実施例３１は、実施例３０の変形である。図７５に、実施例３１の液晶表示装置を構成する１画素分の第１電極の模式的な平面図を示し、図７７Ａ、図７７Ｂに、図７５の矢印Ａ−Ａ、矢印Ｂ−Ｂに沿った第１電極等の模式的な一部断面図を示す。
【０３０１】
実施例３１において、幹凸部３３４３の頂面は、幹凸部３３４３の中央部の頂面３３４３Ｃ、頂面３３４３Ｃの両側に位置する頂面３３４３Ｂ、及び、頂面３３４３Ｂの外側に位置する頂面３３４３Ａから構成されている。このように、幹凸部３３４３には３つの段差部が存在し、凹部３３４５を基準としたとき、頂面３３４３Ａ、頂面３３４３Ｂ、頂面３３４３Ｃの順に高くなっている。また、幹凸部３３４３の延びる方向に平行な仮想垂直平面で幹凸部３３４３を切断したときの幹凸部３３４３の断面形状は、幹凸部３３４３の断面形状の中央部（頂面３３４３Ｃ）から幹凸部３３４３の断面形状の端部に向かって段差部が下降していく断面形状を有する（頂面３３４３Ｂ及び頂面３３４３Ａ）。尚、図面において、頂面３３４３Ｃには、クロスハッチングを付している。
【０３０２】
以上の点を除き、実施例３１の液晶表示装置の構成、構造は、実施例３０の液晶表示装置の構成、構造と同様とすることができるので、詳細な説明は省略する。
【実施例３２】
【０３０３】
実施例３２も、実施例３０の変形である。図７６に、実施例３２の液晶表示装置を構成する１画素分の第１電極の模式的な平面図を示し、図７７Ｃに、図７６の矢印Ｃ−Ｃに沿った第１電極等の模式的な一部端面図を示し、図７７Ｃの一部を拡大した模式的な一部端面図を図７７Ｄに示す。
【０３０４】
実施例３２にあっては、枝凸部３３４４の延びる方向と直交する仮想垂直平面で枝凸部３３４４を切断したときの枝凸部３３４４の断面形状は、枝凸部３３４４の断面形状の中心から枝凸部３３４４の断面形状の縁に向かって段差部が下降していく断面形状を有する。具体的には、枝凸部３３４４の頂面は、幹凸部３３４３から延びる頂面３３４４Ｂ、及び、頂面３３４４Ｂの両側に位置する頂面３３４４Ａから構成されている。このように、枝凸部３３４４には２つの段差部が存在し、凹部３３４５を基準としたとき、頂面３３４４Ａ、頂面３３４４Ｂの順に高くなっている。尚、図面において、頂面３３４４Ｂには、横方向に延びるハッチングを付している。また、図７６、図７８においては、幹凸部と枝凸部の境界を実線で示している。枝凸部３３４４の頂面３３４３Ｂと頂面３３４３Ａとの間の高低差を平均０．２０μｍとした。幹凸部３３４３の頂面３３４３Ｂと枝凸部３３４４の頂面３３４４Ｂは同じレベルにある。
【０３０５】
以上の点を除き、実施例３２の液晶表示装置の構成、構造は、実施例３０の液晶表示装置の構成、構造と同様とすることができるので、詳細な説明は省略する。
【０３０６】
尚、液晶表示装置を構成する１画素分の第１電極の模式的な平面図を図７８に示すように、枝凸部３３４４の延びる方向に平行な仮想垂直平面で枝凸部３３４４を切断したときの枝凸部３３４４の断面形状は、枝凸部３３４４の断面形状の幹凸部側から枝凸部３３４４の断面形状の端部に向かって段差部が下降していく断面形状を有する形態とすることもできる。また、実施例３１において説明した幹凸部３３４３と組み合わせることもできる。また、枝凸部の構成、構造を、実施例２２〜実施例２８において説明した液晶表示装置における凸部に適用することもできる。
【実施例３３】
【０３０７】
実施例３３は、本開示の第４Ｅの態様に係る液晶表示装置に関する。実施例３３の液晶表示装置を構成する１画素分の第１電極の模式的な平面図を図７９に示す。実施例３３の液晶表示装置にあっては、画素の中心を通るＸ軸及びＹ軸を想定したとき、具体的には、画素１０の中心を通り、画素周辺部に平行な直線のそれぞれをＸ軸、Ｙ軸とした（Ｘ，Ｙ）座標系を想定したとき、
複数の凹凸部は、Ｘ軸上及びＹ軸上を延びる幹凸部３４４３、及び、幹凸部３４４３の側辺から画素の周辺部に向かって延びる複数の枝凸部３４４４Ｇから構成されており、
第１象限を占める複数の枝凸部３４４４Ｇ1は、Ｘ座標の値が増加したときＹ座標の値が増加する方向に平行に延び、
第２象限を占める複数の枝凸部３４４４Ｇ2は、Ｘ座標の値が減少したときＹ座標の値が増加する方向に平行に延び、
第３象限を占める複数の枝凸部３４４４Ｇ3は、Ｘ座標の値が減少したときＹ座標の値が減少する方向に平行に延び、
第４象限を占める複数の枝凸部３４４４Ｇ4は、Ｘ座標の値が増加したときＹ座標の値が減少する方向に平行に延び、
Ｘ軸上の幹凸部３４４３から延び、第１象限を占める枝凸部３４４４Ｇ11と、Ｘ軸上の幹凸部３４４３から延び、第４象限を占める枝凸部３４４４Ｇ41とは、相互にずれた状態で形成されており（好ましくは、相互に（ＰX／２）ずれた状態で形成されており）、
Ｙ軸上の幹凸部３４４３から延び、第１象限を占める枝凸部３４４４Ｇ12と、Ｙ軸上の幹凸部３４４３から延び、第２象限を占める枝凸部３４４４Ｇ22とは、相互にずれた状態で形成されており（好ましくは、相互に（ＰY／２）ずれた状態で形成されており）、
Ｘ軸上の幹凸部３４４３から延び、第２象限を占める枝凸部３４４４Ｇ21と、Ｘ軸上の幹凸部３４４３から延び、第３象限を占める枝凸部３４４４Ｇ31とは、相互にずれた状態で形成されており（好ましくは、相互に（ＰX／２）ずれた状態で形成されており）、
Ｙ軸上の幹凸部３４４３から延び、第３象限を占める枝凸部３４４４Ｇ32と、Ｙ軸上の幹凸部３４４３から延び、第４象限を占める枝凸部３４４４Ｇ42とは、相互にずれた状態で形成されている（好ましくは、相互に（ＰY／２）ずれた状態で形成されている）。ここで、ＰXはＸ軸に沿った枝凸部の形成ピッチであり、ＰYはＹ軸に沿った枝凸部の形成ピッチである。即ち、幹凸部３４４３及び枝凸部３４４４Ｇは、Ｘ軸及びＹ軸に対して線対称ではなく、画素の中心に対して１８０度の回転対称（点対称）である。
【０３０８】
尚、実施例３３の液晶表示装置にあっても、Ｘ軸に沿った枝凸部３４４４Ｇの形成ピッチをＰXとし、Ｙ軸に沿った枝凸部３４４４Ｇの形成ピッチをＰY（＝ＰX）としたとき、枝凸部３４４４Ｇの幅を（ＰY／２＝ＰX／２）とし、凹部３４４５の幅を（ＰY／２＝ＰX／２）とした。
【０３０９】
以上の点を除き、実施例３３の液晶表示装置は、実施例２２にて説明した液晶表示装置と同様の構成、構造とすることができるので、詳細な説明は省略する。
【０３１０】
以上、本開示を好ましい実施例に基づき説明したが、本開示はこれらの実施例に限定するものではなく、種々の変形が可能である。凸部や枝凸部の平面形状は、実施例において説明したＶ字状に限定されず、例えばストライプ状や梯子状等、凸部や枝凸部が複数の方位に向かって延びる様々なパターンを採用することができる。凸部や枝凸部を全体として見た場合、凸部や枝凸部の端部の平面形状は、直線状であってもよいし、階段状とすることもできる。更には、各凸部や枝凸部の端部の平面形状は、直線状であってもよいし、線分の組合せから構成されていてもよいし、円弧等の曲線を描いていてもよい。凹凸部の端部の上から画素と画素との間に位置する第１基板の部分の射影像とブラックマトリクスの射影像が重なるようにブラックマトリクスを形成してもよい。
【０３１１】
実施例ではＶＡモードの液晶表示装置（液晶表示素子）について説明したが、本開示は必ずしもこれに限定されず、ＥＣＢモード（水平配向でポジ液晶のモード；ツイスト無し）、ＩＰＳ（In Plane Switching ）モード、ＦＦＳ（Fringe Field Switching）モードあるいはＯＣＢ（Optically Compensated Bend）モード等の、他の表示モードにも適用可能である。この場合においても同様の効果が得られる。但し、本開示では、プレチルト処理が施されていないものと比較すると、ＶＡモードにおいて、ＩＰＳモードやＦＦＳモードよりも、特に高い応答特性の改善効果を発揮することができる。また、実施例では、専ら透過型の液晶表示装置（液晶表示素子）について説明したが、必ずしも透過型に限られず、例えば、反射型としてもよい。反射型とした場合には、画素電極がアルミニウム等の光反射性を有する電極材料により構成される。
【０３１２】
尚、本開示は、以下のような構成を取ることもできる。
［Ａ０１］《表示装置》
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極には複数の凹凸部が形成されており、
第１電極の少なくも凹部と凹部の間は、平坦化層で埋め込まれている液晶表示装置。
［Ａ０２］凹部底面を基準として、平坦化層の頂面の最高高さをＨH、平坦化層の頂面の最低高さをＨLとしたとき、
０．５≦ＨL／ＨH≦１
を満足する［Ａ０１］に記載の液晶表示装置。
［Ａ０３］凹部底面を基準とした凸部の高さをＨCとしたとき、
０．５≦ＨH／ＨC≦５
を満足する［Ａ０２］に記載の液晶表示装置。
［Ａ０４］平坦化層は第１電極を被覆しており、
第１電極を覆う第１配向膜及び第２電極を覆う第２配向膜を更に備えており、
液晶分子には、少なくとも第１配向膜によってプレチルトが付与されており、
第１配向膜は平坦化層に相当する［Ａ０１］乃至［Ａ０３］のいずれか１項に記載の液晶表示装置。
［Ａ０５］平坦化層は第１電極を被覆しており、
平坦化層を覆う第１配向膜及び第２電極を覆う第２配向膜を更に備えており、
液晶分子には、少なくとも第１配向膜によってプレチルトが付与されている［Ａ０１］乃至［Ａ０３］のいずれか１項に記載の液晶表示装置。
［Ａ０６］平坦化層は、第１電極の凹部と凹部の間を埋めており、
第１電極及び平坦化層を覆う第１配向膜並びに第２電極を覆う第２配向膜を更に備えており、
液晶分子には、少なくとも第１配向膜によってプレチルトが付与されている［Ａ０１］乃至［Ａ０３］のいずれか１項に記載の液晶表示装置。
［Ａ０７］液晶層に対して所定の電場を印加しつつ、少なくとも第１配向膜を構成する高分子化合物を反応させることにより液晶分子にプレチルトが付与される［Ａ０４］乃至［Ａ０６］のいずれか１項に記載の液晶表示装置。
［Ａ０８］第１配向膜の平均膜厚をＴ1、第２配向膜の平均膜厚をＴ2としたとき、
０．５≦Ｔ2／Ｔ1≦１．５
を満足する［Ａ０３］乃至［Ａ０７］のいずれか１項に記載の液晶表示装置。
［Ｂ０１］《液晶表示装置：第２Ａの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子には、少なくとも第１配向膜によってプレチルトが付与され、
第１電極には複数の凹凸部が形成されており、
第１電極に設けられた凸部には複数の段差部が形成されている［Ａ０１］乃至［Ａ０８］のいずれか１項に記載の液晶表示装置。
［Ｂ０２］凹凸部は、画素中心部を通り、十文字に延びる幹凸部、及び、幹凸部から画素周辺部に向かって延びる複数の枝凸部から構成されている［Ｂ０１］に記載の液晶表示装置。
［Ｂ０３］幹凸部の延びる方向と直交する仮想垂直平面で幹凸部を切断したときの幹凸部の断面形状は、幹凸部の断面形状の中心から幹凸部の断面形状の縁に向かって段差部が下降していく断面形状を有する［Ｂ０２］に記載の液晶表示装置。
［Ｂ０４］幹凸部の延びる方向に平行な仮想垂直平面で幹凸部を切断したときの幹凸部の断面形状は、幹凸部の断面形状の中央部から幹凸部の断面形状の端部に向かって段差部が下降していく断面形状を有する［Ｂ０２］乃至［Ｂ０３］のいずれか１項に記載の液晶表示装置。
［Ｂ０５］枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する［Ｂ０２］乃至［Ｂ０４］のいずれか１項に記載の液晶表示装置。
［Ｂ０６］枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する［Ｂ０２］乃至［Ｂ０５］のいずれか１項に記載の液晶表示装置。
［Ｂ０７］幹凸部と対応する第２電極の部分には、配向規制部が形成されている［Ｂ０２］乃至［Ｂ０６］のいずれか１項に記載の液晶表示装置。
［Ｂ０８］凹凸部は、画素周辺部に額縁状に形成された幹凸部、及び、幹凸部から画素内部に向かって延びる複数の枝凸部から構成されている［Ｂ０１］に記載の液晶表示装置。
［Ｂ０９］幹凸部の延びる方向と直交する仮想垂直平面で幹凸部を切断したときの幹凸部の断面形状は、幹凸部の断面形状の外側の縁から幹凸部の断面形状の内側の縁に向かって段差部が下降していく断面形状を有する［Ｂ０８］に記載の液晶表示装置。
［Ｂ１０］枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する［Ｂ０８］乃至［Ｂ０９］のいずれか１項に記載の液晶表示装置。
［Ｂ１１］枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する［Ｂ０８］乃至［Ｂ１０］のいずれか１項に記載の液晶表示装置。
［Ｂ１２］第１電極には、画素中心部を通り、画素周辺部に平行なスリット部あるいは突起部が形成されている［Ｂ０８］乃至［Ｂ１１］のいずれか１項に記載の液晶表示装置。
［Ｂ１３］画素と画素との間に位置する第１基板の部分から、画素周辺部に対応する第１基板の部分に亙り、凸構造が形成されており、
凹凸部の周辺部は凸構造上に形成されている［Ｂ０２］乃至［Ｂ１２］のいずれか１項に記載の液晶表示装置。
［Ｃ０１］《液晶表示装置：第２Ｂの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子には、少なくとも第１配向膜によってプレチルトが付与され、
第１電極には複数の凹凸部が形成されており、
画素と画素との間に位置する第１基板の部分から、画素周辺部に対応する第１基板の部分に亙り、凸構造が形成されており、
凹凸部の周辺部は凸構造上に形成されている［Ａ０１］乃至［Ａ０８］のいずれか１項に記載の液晶表示装置。
［Ｃ０２］凹凸部は、画素中心部を通り、十文字に延びる幹凸部、及び、幹凸部から画素周辺部に向かって延びる複数の枝凸部から構成されている［Ｃ０１］に記載の液晶表示装置。
［Ｃ０３］幹凸部と対応する第２電極の部分には、配向規制部が形成されている［Ｃ０２］に記載の液晶表示装置。
［Ｃ０４］凹凸部は、画素周辺部に額縁状に形成された幹凸部、及び、幹凸部から画素内部に向かって延びる複数の枝凸部から構成されている［Ｃ０１］に記載の液晶表示装置。
［Ｃ０５］第１電極には、画素中心部を通り、画素周辺部に平行なスリット部あるいは突起部が形成されている［Ｃ０４］に記載の液晶表示装置。
［Ｄ０１］《液晶表示装置：第２Ｃの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子には、少なくとも第１配向膜によってプレチルトが付与され、
第１電極には複数の凹凸部が形成されており、
凹凸部は、画素中心部を通り、十文字に延びる幹凸部、及び、幹凸部から画素周辺部に向かって延びる複数の枝凸部から構成されており、
幹凸部と対応する第２電極の部分には、配向規制部が形成されている［Ａ０１］乃至［Ａ０８］のいずれか１項に記載の液晶表示装置。
［Ｅ０１］《液晶表示装置：第２Ｄの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子には、少なくとも第１配向膜によってプレチルトが付与され、
第１電極には複数の凹凸部が形成されており、
凹凸部は、画素周辺部に額縁状に形成された幹凸部、及び、幹凸部から画素内部に向かって延びる複数の枝凸部から構成されており、
第１電極には、画素中心部を通り、画素周辺部に平行なスリット部あるいは突起部が形成されている［Ａ０１］乃至［Ａ０８］のいずれか１項に記載の液晶表示装置。
［Ｆ０１］《液晶表示装置》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
第１電極に設けられた凸部の一部の幅は、先端部に向かって狭くなっている［Ａ０１］乃至［Ａ０８］のいずれか１項に記載の液晶表示装置。
［Ｆ０２］《液晶表示装置・・・第１の構成》
凹凸部は、画素中心部を通り、十文字に延びる幹凸部、及び、幹凸部から画素周辺部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている［Ｆ０１］に記載の液晶表示装置。
［Ｆ０３］枝凸部の幅は、幹凸部と接合する部分から先端部に向かって直線状に狭くなっている［Ｆ０２］に記載の液晶表示装置。
［Ｆ０４］幹凸部と対応する第２電極の部分には、配向規制部が形成されている［Ｆ０２］又は［Ｆ０３］に記載の液晶表示装置。
［Ｇ０１］《液晶表示装置・・・第２の構成》
凹凸部は、画素周辺部に額縁状に形成された幹凸部、及び、幹凸部から画素内部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている［Ｆ０１］に記載の液晶表示装置。
［Ｇ０２］枝凸部の幅は、幹凸部と接合する部分から先端部に向かって直線状に狭くなっている［Ｇ０１］に記載の液晶表示装置。
［Ｇ０３］第１電極には、画素中心部を通り、画素周辺部に平行なスリット部あるいは突起部が形成されている［Ｇ０１］又は［Ｇ０２］に記載の液晶表示装置。
［Ｈ０１］《液晶表示装置：第３の構成》
第１電極に設けられた凸部には複数の段差部が形成されている［Ｆ０１］に記載の液晶表示装置。
［Ｈ０２］《液晶表示装置：第３−Ａの構成》
凹凸部は、画素中心部を通り、十文字に延びる幹凸部、及び、幹凸部から画素周辺部に向かって延びる複数の枝凸部から構成されている［Ｈ０１］に記載の液晶表示装置。
［Ｈ０３］幹凸部の延びる方向と直交する仮想垂直平面で幹凸部を切断したときの幹凸部の断面形状は、幹凸部の断面形状の中心から幹凸部の断面形状の縁に向かって段差部が下降していく断面形状を有する［Ｈ０２］に記載の液晶表示装置。
［Ｈ０４］幹凸部の延びる方向に平行な仮想垂直平面で幹凸部を切断したときの幹凸部の断面形状は、幹凸部の断面形状の中央部から幹凸部の断面形状の端部に向かって段差部が下降していく断面形状を有する［Ｈ０２］又は［Ｈ０３］に記載の液晶表示装置。
［Ｈ０５］枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する［Ｈ０２］乃至［Ｈ０４］のいずれか１項に記載の液晶表示装置。
［Ｈ０６］枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する［Ｈ０２］乃至［Ｈ０５］のいずれか１項に記載の液晶表示装置。
［Ｈ０７］幹凸部と対応する第２電極の部分には、配向規制部が形成されている［Ｈ０２］乃至［Ｈ０６］のいずれか１項に記載の液晶表示装置。
［Ｈ０８］《液晶表示装置：第３−Ｂの構成》
凹凸部は、画素周辺部に額縁状に形成された幹凸部、及び、幹凸部から画素内部に向かって延びる複数の枝凸部から構成されている［Ｈ０１］に記載の液晶表示装置。
［Ｈ０９］幹凸部の延びる方向と直交する仮想垂直平面で幹凸部を切断したときの幹凸部の断面形状は、幹凸部の断面形状の外側の縁から幹凸部の断面形状の内側の縁に向かって段差部が下降していく断面形状を有する［Ｈ０８］に記載の液晶表示装置。
［Ｈ１０］枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する［Ｈ０８］又は［Ｈ０９］に記載の液晶表示装置。
［Ｈ１１］枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する［Ｈ０８］乃至［Ｈ１０］のいずれか１項に記載の液晶表示装置。
［Ｈ１２］第１電極には、画素中心部を通り、画素周辺部に平行なスリット部あるいは突起部が形成されている［Ｈ０８］乃至［Ｈ１１］のいずれか１項に記載の液晶表示装置。
［Ｈ１３］画素と画素との間に位置する第１基板の部分から、画素周辺部に対応する第１基板の部分に亙り、凸構造が形成されており、
凹凸部の周辺部は凸構造上に形成されている［Ｈ０２］乃至［Ｈ１２］のいずれか１項に記載の液晶表示装置。
［Ｊ０１］《液晶表示装置・・・第４の構成》
画素と画素との間に位置する第１基板の部分から、画素周辺部に対応する第１基板の部分に亙り、凸構造が形成されており、
凹凸部の周辺部は凸構造上に形成されている［Ｆ０１］に記載の液晶表示装置。
［Ｊ０２］《液晶表示装置：第４−Ａの構成》
凹凸部は、画素中心部を通り、十文字に延びる幹凸部、及び、幹凸部から画素周辺部に向かって延びる複数の枝凸部から構成されている［Ｊ０１］に記載の液晶表示装置。
［Ｊ０３］幹凸部と対応する第２電極の部分には、配向規制部が形成されている［Ｊ０２］に記載の液晶表示装置。
［Ｊ０４］《液晶表示装置：第４−Ｂの構成》
凹凸部は、画素周辺部に額縁状に形成された幹凸部、及び、幹凸部から画素内部に向かって延びる複数の枝凸部から構成されている［Ｊ０１］に記載の液晶表示装置。
［Ｊ０５］第１電極には、画素中心部を通り、画素周辺部に平行なスリット部あるいは突起部が形成されている［Ｊ０４］に記載の液晶表示装置。
［Ｋ０１］《液晶表示装置の製造方法》
第１基板に第１電極を形成し、第２基板と対向する第１基板の対向面上、及び、第１電極上に、第１配向膜を形成する工程と、
第２基板に第２電極を形成し、第１基板と対向する第２基板の対向面上、及び、第２電極上に、第２配向膜を形成する工程と、
第１基板及び第２基板を、第１配向膜と第２配向膜とが対向するように配置し、第１配向膜と第２配向膜との間に液晶層を封止する工程と、
所定の電場を印加して液晶分子を配向させる工程、
とを具備する液晶表示装置の製造方法。
［Ｋ０２］前記所定の電場を印加して液晶分子を配向させる工程は、液晶分子と配向制御材料とを含む液晶層に対して所定の電場を印加しつつ、配向制御材料を反応させることで、液晶分子を配向させ、プレチルトを付与する工程から成る［Ｋ０１］に記載の液晶表示装置の製造方法。
［Ｋ０３］前記所定の電場を印加して液晶分子を配向させる工程は、少なくとも一方の基板の対向面及び電極上に配向制御材料を含む配向膜を形成した状態で、液晶層に対して所定の電場を印加しつつ、配向制御材料を反応させることで、液晶分子を配向させ、プレチルトを付与する工程から成る［Ｋ０１］に記載の液晶表示装置の製造方法。
［Ｌ０１］《液晶表示装置：第４Ａの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
画素の中心を通るＸ軸及びＹ軸を想定したとき、
第１象限を占める複数の凸部は、Ｘ座標の値が増加したときＹ座標の値が増加する方向に平行に延び、
第２象限を占める複数の凸部は、Ｘ座標の値が減少したときＹ座標の値が増加する方向に平行に延び、
第３象限を占める複数の凸部は、Ｘ座標の値が減少したときＹ座標の値が減少する方向に平行に延び、
第４象限を占める複数の凸部は、Ｘ座標の値が増加したときＹ座標の値が減少する方向に平行に延びる［Ａ０１］乃至［Ａ０８］のいずれか１項に記載の液晶表示装置。
［Ｌ０２］Ｘ軸から延び、第１象限を占める凸部のそれぞれは、Ｘ軸から延び、第４象限を占める凸部のそれぞれと接合しており、
Ｙ軸から延び、第１象限を占める凸部のそれぞれは、Ｙ軸から延び、第２象限を占める凸部のそれぞれと接合しており、
Ｘ軸から延び、第２象限を占める凸部のそれぞれは、Ｘ軸から延び、第３象限を占める凸部のそれぞれと接合しており、
Ｙ軸から延び、第３象限を占める凸部のそれぞれは、Ｙ軸から延び、第４象限を占める凸部のそれぞれと接合している［Ｌ０１］に記載の液晶表示装置。
［Ｌ０３］２つの凸部の接合部には、画素の周辺部方向に向かって延びる突出部が設けられている［Ｌ０２］に記載の液晶表示装置。
［Ｌ０４］突出部は複数の線分によって囲まれている［Ｌ０３］に記載の液晶表示装置。
［Ｌ０５］突出部は１本の曲線によって囲まれている［Ｌ０３］に記載の液晶表示装置。
［Ｌ０６］突出部は複数の曲線によって囲まれている［Ｌ０３］に記載の液晶表示装置。
［Ｌ０７］Ｘ軸あるいはその近傍から延び、第１象限を占める凸部のそれぞれは、Ｘ軸あるいはその近傍から延び、第４象限を占める凸部のそれぞれと接合しておらず、
Ｙ軸あるいはその近傍から延び、第１象限を占める凸部のそれぞれは、Ｙ軸あるいはその近傍から延び、第２象限を占める凸部のそれぞれと接合しておらず、
Ｘ軸あるいはその近傍から延び、第２象限を占める凸部のそれぞれは、Ｘ軸あるいはその近傍から延び、第３象限を占める凸部のそれぞれと接合しておらず、
Ｙ軸あるいはその近傍から延び、第３象限を占める凸部のそれぞれは、Ｙ軸あるいはその近傍から延び、第４象限を占める凸部のそれぞれと接合していない［Ｌ０１］に記載の液晶表示装置。
［Ｌ０８］凸部の幅は画素の周辺部に向かって狭くなる［Ｌ０１］乃至［Ｌ０７］のいずれか１項に記載の液晶表示装置。
［Ｌ０９］第１電極には、更に、スリット部が形成されている［Ｌ０１］乃至［Ｌ０８］のいずれか１項に記載の液晶表示装置。
［Ｌ１０］スリット部は凸部領域に形成されている［Ｌ０９］に記載の液晶表示装置。
［Ｌ１１］スリット部は、画素の中央部分を含む凸部領域に設けられている［Ｌ１０］に記載の液晶表示装置。
［Ｌ１２］画素の中心領域に向かって延びる凸部領域にスリット部が形成されている［Ｌ１０］に記載の液晶表示装置。
［Ｌ１３］画素の中心領域に向かって延びる凸部とＹ軸とによって挟まれた領域に設けられた凸部領域にスリット部が形成されている［Ｌ１０］に記載の液晶表示装置。
［Ｌ１４］凸部の頂部には、凸部と平行に延びるスリット部が形成されている［Ｌ０９］に記載の液晶表示装置。
［Ｌ１５］凹部の底部には、凹部と平行に延びるスリット部が形成されている［Ｌ０９］に記載の液晶表示装置。
［Ｌ１６］画素の中心領域における第１電極には窪みが設けられている［Ｌ０１］乃至［Ｌ１３］のいずれか１項に液晶表示装置。
［Ｌ１７］窪みは第１基板に向かって窄まっている［Ｌ１６］に記載の液晶表示装置。
［Ｌ１８］窪みの傾斜角は５度乃至６０度である［Ｌ１７］に記載の液晶表示装置。
［Ｌ１９］窪みの外縁の形状は円形である［Ｌ１６］乃至［Ｌ１８］のいずれか１項に記載の液晶表示装置。
［Ｌ２０］窪みの外縁の形状は矩形である［Ｌ１６］乃至［Ｌ１８］のいずれか１項に記載の液晶表示装置。
［Ｌ２１］矩形形状の窪みの外縁と凸部の延びる方向との成す角度は９０度である［Ｌ２０］に記載の液晶表示装置。
［Ｌ２２］矩形形状の窪みの外縁と凸部の延びる方向との成す角度は鋭角である［Ｌ２０］に記載の液晶表示装置。
［Ｌ２３］窪みの中心部はコンタクトホールの一部を構成する［Ｌ１６］乃至［Ｌ２２］のいずれか１項に記載の液晶表示装置。
［Ｌ２４］Ｘ軸あるいはその近傍から延び、第１象限を占める凸部と、Ｘ軸あるいはその近傍から延び、第４象限を占める凸部とは、相互にずれた状態で形成されており、
Ｙ軸あるいはその近傍から延び、第１象限を占める凸部と、Ｙ軸あるいはその近傍から延び、第２象限を占める凸部とは、相互にずれた状態で形成されており、
Ｘ軸あるいはその近傍から延び、第２象限を占める凸部と、Ｘ軸あるいはその近傍から延び、第３象限を占める凸部とは、相互にずれた状態で形成されており、
Ｙ軸あるいはその近傍から延び、第３象限を占める凸部と、Ｙ軸あるいはその近傍から延び、第４象限を占める凸部とは、相互にずれた状態で形成されている［Ｌ０１］乃至［Ｌ２３］のいずれか１項に記載の液晶表示装置。
［Ｌ２５］Ｘ軸に沿った凸部の形成ピッチをＰXとし、Ｙ軸に沿った凸部の形成ピッチをＰYとしたとき、
Ｘ軸あるいはその近傍から延び、第１象限を占める凸部と、Ｘ軸あるいはその近傍から延び、第４象限を占める凸部とは、相互に（ＰX／２）ずれた状態で形成されており、
Ｙ軸あるいはその近傍から延び、第１象限を占める凸部と、Ｙ軸あるいはその近傍から延び、第２象限を占める凸部とは、相互に（ＰY／２）ずれた状態で形成されており、
Ｘ軸あるいはその近傍から延び、第２象限を占める凸部と、Ｘ軸あるいはその近傍から延び、第３象限を占める凸部とは、相互に（ＰX／２）ずれた状態で形成されており、
Ｙ軸あるいはその近傍から延び、第３象限を占める凸部と、Ｙ軸あるいはその近傍から延び、第４象限を占める凸部とは、相互に（ＰY／２）ずれた状態で形成されている［Ｌ２４］に記載の液晶表示装置。
［Ｍ０１］《液晶表示装置：第４Ｂの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
枝凸部と接合していない幹凸部の側辺部分の延びる方向は、Ｘ軸とは平行でなく、且つ、Ｙ軸とは平行でない［Ａ０１］乃至［Ａ０８］のいずれか１項に記載の液晶表示装置。
［Ｍ０２］複数の凹凸部を構成する幹凸部は、Ｘ軸上及びＹ軸上に形成されている代わりに、画素周辺部に額縁状に形成されている［Ｍ０１］に記載の液晶表示装置。
［Ｍ０３］枝凸部と接合していない幹凸部の側辺部分は、直線状である［Ｍ０１］又は［Ｍ０２］に記載の液晶表示装置。
［Ｍ０４］枝凸部と接合していない幹凸部の側辺部分は、曲線状である［Ｍ０１］乃至［Ｍ０３］のいずれか１項に記載の液晶表示装置。
［Ｍ０５］枝凸部と接合していない幹凸部の部分の幅は、幹凸部の先端部に向かって狭くなっている［Ｍ０１］乃至［Ｍ０４］のいずれか１項に記載の液晶表示装置。
［Ｍ０６］枝凸部の幅は画素の周辺部に向かって狭くなる［Ｍ０１］乃至［Ｍ０５］のいずれか１項に記載の液晶表示装置。
［Ｍ０７］第１電極には、更に、スリット部が形成されている［Ｍ０１］乃至［Ｍ０６］のいずれか１項に記載の液晶表示装置。
［Ｍ０８］スリット部は凸部領域に形成されている［Ｍ０７］に記載の液晶表示装置。
［Ｍ０９］スリット部は、画素の中央部分を含む凸部領域に設けられている［Ｍ０８］に記載の液晶表示装置。
［Ｍ１０］画素の中心領域に向かって延びる凸部領域にスリット部が形成されている［Ｍ０８］に記載の液晶表示装置。
［Ｍ１１］画素の中心領域に向かって延びる枝凸部とＹ軸とによって挟まれた領域に設けられた凸部領域にスリット部が形成されている［Ｍ０８］に記載の液晶表示装置。
［Ｍ１２］凸部の頂部には、凸部と平行に延びるスリット部が形成されている［Ｍ０７］に記載の液晶表示装置。
［Ｍ１３］凹部の底部には、凹部と平行に延びるスリット部が形成されている［Ｍ０７］に記載の液晶表示装置。
［Ｍ１４］画素の中心領域における第１電極には窪みが設けられている［Ｍ０１］乃至［Ｍ１１］のいずれか１項に記載の液晶表示装置。
［Ｍ１５］窪みは第１基板に向かって窄まっている［Ｍ１４］に記載の液晶表示装置。
［Ｍ１６］窪みの傾斜角は５度乃至６０度である［Ｍ１５］に記載の液晶表示装置。
［Ｍ１７］窪みの外縁の形状は円形である［Ｍ１４］乃至［Ｍ１６］のいずれか１項に記載の液晶表示装置。
［Ｍ１８］窪みの外縁の形状は矩形である［Ｍ１４］乃至［Ｍ１６］のいずれか１項に記載の液晶表示装置。
［Ｍ１９］矩形形状の窪みの外縁と凸部の延びる方向との成す角度は９０度である［Ｍ１８］に記載の液晶表示装置。
［Ｍ２０］矩形形状の窪みの外縁と凸部の延びる方向との成す角度は鋭角である［Ｍ１８］に記載の液晶表示装置。
［Ｍ２１］窪みの中心部はコンタクトホールの一部を構成する［Ｍ１４］乃至［Ｍ２０］のいずれか１項に記載の液晶表示装置。
［Ｍ２２］第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる［Ｍ０１］乃至［Ｍ２１］のいずれか１項に記載の液晶表示装置。
［Ｍ２３］Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている［Ｍ０１］乃至［Ｍ２２］のいずれか１項に記載の液晶表示装置。
［Ｍ２４］Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている［Ｍ２３］に記載の液晶表示装置。
［Ｎ０１］《液晶表示装置：第４Ｃの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
第１電極には、更に、スリット部が形成されている［Ａ０１］乃至［Ａ０８］のいずれか１項に記載の液晶表示装置。
［Ｎ０２］スリット部は凸部領域に形成されている［Ｎ０１］に記載の液晶表示装置。
［Ｎ０３］スリット部は、画素の中央部分を含む凸部領域に設けられている［Ｎ０２］に記載の液晶表示装置。
［Ｎ０４］画素の中心領域に向かって延びる凸部領域にスリット部が形成されている［Ｎ０２］に記載の液晶表示装置。
［Ｎ０５］画素の中心領域に向かって延びる凸部とＹ軸とによって挟まれた領域に設けられた凸部領域にスリット部が形成されている［Ｎ０２］に記載の液晶表示装置。
［Ｎ０６］凸部の頂部には、凸部と平行に延びるスリット部が形成されている［Ｎ０１］に記載の液晶表示装置。
［Ｎ０７］凹部の底部には、凹部と平行に延びるスリット部が形成されている［Ｎ０１］に記載の液晶表示装置。
［Ｎ０８］凸部の幅は画素の周辺部に向かって狭くなる［Ｎ０１］乃至［Ｎ０５］のいずれか１項に記載の液晶表示装置。
［Ｎ０９］画素の中心領域における第１電極には窪みが設けられている［Ｎ０１］乃至［Ｎ０８］のいずれか１項に液晶表示装置。
［Ｎ１０］窪みは第１基板に向かって窄まっている［Ｎ０９］に記載の液晶表示装置。
［Ｎ１１］窪みの傾斜角は５度乃至６０度である［Ｎ１０］に記載の液晶表示装置。
［Ｎ１２］窪みの外縁の形状は円形である［Ｎ０９］乃至［Ｎ１１］のいずれか１項に記載の液晶表示装置。
［Ｎ１３］窪みの外縁の形状は矩形である［Ｎ０９］乃至［Ｎ１１］のいずれか１項に記載の液晶表示装置。
［Ｎ１４］矩形形状の窪みの外縁と凸部の延びる方向との成す角度は９０度である［Ｎ１３］に記載の液晶表示装置。
［Ｎ１５］矩形形状の窪みの外縁と凸部の延びる方向との成す角度は鋭角である［Ｎ１３］に記載の液晶表示装置。
［Ｎ１６］窪みの中心部はコンタクトホールの一部を構成する［Ｎ０９］乃至［Ｎ１５］のいずれか１項に記載の液晶表示装置。
［Ｎ１７］画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されている［Ｎ０１］乃至［Ｎ１６］のいずれか１項に記載の液晶表示装置。
［Ｎ１８］第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる［Ｎ１７］に記載の液晶表示装置。
［Ｎ１９］Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている［Ｎ１８］に記載の液晶表示装置。
［Ｎ２０］Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている［Ｎ１９］に記載の液晶表示装置。
［Ｐ０１］《液晶表示装置：第４Ｄの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
画素の中心領域における第１電極には窪みが設けられている［Ａ０１］乃至［Ａ０８］のいずれか１項に記載の液晶表示装置。
［Ｐ０２］窪みは第１基板に向かって窄まっている［Ｐ０１］に記載の液晶表示装置。
［Ｐ０３］窪みの傾斜角は５度乃至６０度である［Ｐ０２］に記載の液晶表示装置。
［Ｐ０４］窪みの外縁の形状は円形である［Ｐ０１］乃至［Ｐ０３］のいずれか１項に記載の液晶表示装置。
［Ｐ０５］窪みの外縁の形状は矩形である［Ｐ０１］乃至［Ｐ０３］のいずれか１項に記載の液晶表示装置。
［Ｐ０６］矩形形状の窪みの外縁と凸部の延びる方向との成す角度は９０度である［Ｐ０５］に記載の液晶表示装置。
［Ｐ０７］矩形形状の窪みの外縁と凸部の延びる方向との成す角度は鋭角である［Ｐ０５］に記載の液晶表示装置。
［Ｐ０８］窪みの中心部はコンタクトホールの一部を構成する［Ｐ０１］乃至［Ｐ０７］のいずれか１項に記載の液晶表示装置。
［Ｐ０９］画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されている［Ｐ０１］乃至［Ｐ０８］のいずれか１項に記載の液晶表示装置。
［Ｐ１０］第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる［Ｐ０９］に記載の液晶表示装置。
［Ｐ１１］Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている［Ｐ１０］に記載の液晶表示装置。
［Ｐ１２］Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている［Ｐ１１］に記載の液晶表示装置。
［Ｑ０１］《液晶表示装置：第４Ｅの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている［Ａ０１］乃至［Ａ０８］のいずれか１項に記載の液晶表示装置。
［Ｑ０２］Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている［Ｑ０１］に記載の液晶表示装置。
【符号の説明】
【０３１３】
１０，１０Ａ，１０Ｂ，１０Ｃ・・・画素、２０・・・第１基板、２０’・・・絶縁膜、２１・・・第１配向膜、２２・・・平滑化膜、２３・・・カラーフィルター層、２４・・・透明導電材料層、３０・・・ＴＦＴ層、３１・・・ゲート電極、３２・・・ゲート絶縁層、３３・・・半導体層（チャネル形成領域）、３４・・・ソース／ドレイン電極、３５・・・接続孔（コンタクトホール）、４１，４２，４３・・・平坦化層、５０・・・第２基板、５１・・・第２配向膜、７０・・・液晶層、７１Ａ，７１Ｂ，７１Ｃ・・・液晶分子、８０・・・表示領域、８１・・・ソースドライバ、８２・・・ゲートドライバ、８３・・・タイミングコントローラ、８４・・・電源回路、９１・・・ソース線、９２・・・ゲート線、９３・・・ＴＦＴ、９４・・・キャパシタ、１４０，２４０，３４０，１１４０，１２４０，２１４０，２２４０，２３４０，２４４０，３１４０，３２４０，３３４０，３４４０・・・第１電極、１１４０Ａ，３３４０Ａ・・・第１透明導電材料層、１１４０Ｂ，３３４０Ｂ・・・第２透明導電材料層、１４１，２４１，３４１，１１４１，１２４１，２１４１，２２４１，２３４１，２４４１，３１４１，３２４１，３３４１，３４４１・・・凹凸部、１４１Ａ，１１４１Ａ・・・凹凸部の周辺部、１４２，２４２，３４２，１１４２，１２４２，２１４２，２２４２，２３４２，２４４２・・・凸部、１４３，２４３，３４３Ａ，３４３Ｂ，１１４３，１２４３，２１４３，２２４３，２３４３，２４４３，３２４３，３３４３，３４４３・・・幹凸部（主凸部）、１１４３Ａ，１１４３Ｂ，１１４３Ｃ，１２４３Ａ，１２４３Ｂ，２３４３Ａ，２３４３Ｂ，２３４３Ｃ，２４４３Ａ，２４４３Ｂ，２４４３Ｃ，３３４３Ａ，３３４３Ｂ，３３４３Ｃ・・・幹凸部の頂面、３２４３’・・・幹凸部の側辺部分、１４４，２４４，３４４，１１４４，１２４４，２１４４，２２４４，２３４４，２４４４，３１４４Ａ，３１４４Ａ1，３１４４Ａ11，３１４４Ａ12，３１４４Ａ2，３１４４Ａ21，３１４４Ａ22，３１４４Ａ3，３１４４Ａ31，３１４４Ａ32，３１４４Ａ4，３１４４Ａ41，３１４４Ａ42，３１４４Ｂ，３１４４Ｃ，３１４４Ｃ1，３１４４Ｃ11，３１４４Ｃ12，３１４４Ｃ2，３１４４Ｃ21，３１４４Ｃ22，３１４４Ｃ3，３１４４Ｃ31，３１４４Ｃ32，３１４４Ｃ4，３１４４Ｃ41，３１４４Ｃ42，３１４４Ｄ，３１４４Ｄ1，３１４４Ｄ11，３１４４Ｄ12，３１４４Ｄ2，３１４４Ｄ21，３１４４Ｄ22，３１４４Ｄ3，３１４４Ｄ31，３１４４Ｄ32，３１４４Ｄ4，３１４４Ｄ41，３１４４Ｄ42，３２４４Ａ，３２４４Ａ1，３２４４Ａ11，３２４４Ａ12，３２４４Ａ2，３２４４Ａ21，３２４４Ａ22，３２４４Ａ3，３２４４Ａ31，３２４４Ａ32，３２４４Ａ4，３２４４Ａ41，３２４４Ａ42，３３４４，３４４４Ａ，３４４４Ａ1，３４４４Ａ11，３４４４Ａ12，３４４４Ａ2，３４４４Ａ21，３４４４Ａ22，３４４４Ａ3，３４４４Ａ31，３４４４Ａ32，３４４４Ａ4，３４４４Ａ41，３４４４Ａ42・・・枝凸部（副凸部）、３１４４Ｂ’・・・２つの凸部の接合部、３１４４Ｅ’・・・凸部領域、１１４４Ａ，１１４４Ｂ，１２４４Ａ，１２４４Ｂ，２３４４Ａ，２３４４Ｂ，２４４４Ａ，２４４４Ｂ，３３４４Ａ，３３３４４Ｂ・・��枝凸部の頂面、２１４４ａ，２２４４ａ・・・幹凸部と接合する枝凸部の部分、２１４４ｂ，２２４４ｂ・・・枝凸部の先端部、１４５，２４５，３４５，１１４５，１２４５，２１４５，２２４５，２３４５，２４４５，３１４５，３２４５，３３４５，３４４５・・・凹部、１４６，２４６，３４６，１１４６，１２４６，２１４６，２２４６，２３４６，２４４６，３１４６，３２４６，３３４６，３４４６・・・画素と画素との間に位置する第１基板の部分、１４７，１１４７・・・凸構造、１１４７Ａ・・・ブラックマトリクス、３１５１・・・突出部、３１５２，３２５２・・・スリット部、３１５２Ａ・・・中心領域、３１５３，３２５３・・・窪み、３１５３Ａ・・・窪みの外縁、１６０・・・第２電極、１６１・・・配向規制部、１６２・・・スリット部、１６３・・・突起部（リブ）、２４８，１２４８・・・スリット部、２４９，１２４９・・・突起部（リブ）
【図１】
2015011157.tif 000004
【図２】
2015011157.tif 000005
【図３】
2015011157.tif 000006
【図４】
2015011157.tif 000007
【図５】
2015011157.tif 000008
【図６】
2015011157.tif 000009
【図７】
2015011157.tif 000010
【図８】
2015011157.tif 000011
【図９】
2015011157.tif 000012
【図１０】
2015011157.tif 000013
【図１１】
2015011157.tif 000014
【図１３】
2015011157.tif 000015
【図１４】
2015011157.tif 000016
【図１５】
2015011157.tif 000017
【図１６】
2015011157.tif 000018
【図１８】
2015011157.tif 000019
【図２０】
2015011157.tif 000020
【図２１】
2015011157.tif 000021
【図２２】
2015011157.tif 000022
【図２４】
2015011157.tif 000023
【図２５】
2015011157.tif 000024
【図２６】
2015011157.tif 000025
【図２７】
2015011157.tif 000026
【図２８】
2015011157.tif 000027
【図２９】
2015011157.tif 000028
【図３０】
2015011157.tif 000029
【図３１】
2015011157.tif 000030
【図３２】
2015011157.tif 000031
【図３３】
2015011157.tif 000032
【図３４】
2015011157.tif 000033
【図３５】
2015011157.tif 000034
【図３６】
2015011157.tif 000035
【図３７】
2015011157.tif 000036
【図３８】
2015011157.tif 000037
【図３９】
2015011157.tif 000038
【図４０】
2015011157.tif 000039
【図４１】
2015011157.tif 000040
【図４２】
2015011157.tif 000041
【図４３】
2015011157.tif 000042
【図４４】
2015011157.tif 000043
【図４５】
2015011157.tif 000044
【図４６】
2015011157.tif 000045
【図４７】
2015011157.tif 000046
【図４８】
2015011157.tif 000047
【図４９】
2015011157.tif 000048
【図５０】
2015011157.tif 000049
【図５１】
2015011157.tif 000050
【図５２】
2015011157.tif 000051
【図５３】
2015011157.tif 000052
【図５４】
2015011157.tif 000053
【図５５】
2015011157.tif 000054
【図５６】
2015011157.tif 000055
【図５７】
2015011157.tif 000056
【図５８】
2015011157.tif 000057
【図５９】
2015011157.tif 000058
【図６０】
2015011157.tif 000059
【図６１】
2015011157.tif 000060
【図６２】
2015011157.tif 000061
【図６３】
2015011157.tif 000062
【図６４】
2015011157.tif 000063
【図６５】
2015011157.tif 000064
【図６６】
2015011157.tif 000065
【図６７】
2015011157.tif 000066
【図６８】
2015011157.tif 000067
【図６９】
2015011157.tif 000068
【図７０】
2015011157.tif 000069
【図７１】
2015011157.tif 000070
【図７２】
2015011157.tif 000071
【図７３】
2015011157.tif 000072
【図７４】
2015011157.tif 000073
【図７５】
2015011157.tif 000074
【図７６】
2015011157.tif 000075
【図７７】
2015011157.tif 000076
【図７８】
2015011157.tif 000077
【図７９】
2015011157.tif 000078
【図８０】
2015011157.tif 000079
【図８２】
2015011157.tif 000080
【図８３】
2015011157.tif 000081
【図８４】
2015011157.tif 000082
【図８５】
2015011157.tif 000083
【図１２】
2015011157.tif 000084
【図１７】
2015011157.tif 000085
【図１９】
2015011157.tif 000086
【図２３】
2015011157.tif 000087
【図８１】
2015011157.tif 000088
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極には複数の凹凸部が形成されており、
第１電極の少なくも凹部は、平坦化層で埋め込まれている液晶表示装置。
【請求項２】
凹部底面を基準として、平坦化層の頂面の最高高さをＨH、平坦化層の頂面の最低高さをＨLとしたとき、
０．５≦ＨL／ＨH≦１
を満足する請求項１に記載の液晶表示装置。
【請求項３】
凹部底面を基準とした凸部の高さをＨCとしたとき、
０．５≦ＨH／ＨC≦５
を満足する請求項２に記載の液晶表示装置。
【請求項４】
平坦化層は第１電極を被覆しており、
第１電極を覆う第１配向膜及び第２電極を覆う第２配向膜を更に備えており、
液晶分子には、少なくとも第１配向膜によってプレチルトが付与されており、
第１配向膜は平坦化層に相当する請求項１に記載の液晶表示装置。
【請求項５】
平坦化層は第１電極を被覆しており、
平坦化層を覆う第１配向膜及び第２電極を覆う第２配向膜を更に備えており、
液晶分子には、少なくとも第１配向膜によってプレチルトが付与されている請求項１に記載の液晶表示装置。
【請求項６】
平坦化層は、第１電極の凹部を埋めており、
第１電極及び平坦化層を覆う第１配向膜並びに第２電極を覆う第２配向膜を更に備えており、
液晶分子には、少なくとも第１配向膜によってプレチルトが付与されている請求項１に記載の液晶表示装置。
【請求項７】
液晶層に対して所定の電場を印加しつつ、少なくとも第１配向膜を構成する高分子化合物を反応させることにより液晶分子にプレチルトが付与される請求項４乃至請求項６のいずれか１項に記載の液晶表示装置。
【請求項８】
第１配向膜の平均膜厚をＴ1、第２配向膜の平均膜厚をＴ2としたとき、
０．５≦Ｔ2／Ｔ1≦１．５
を満足する請求項１に記載の液晶表示装置。
【請求項９】
第１電極に設けられた凸部には複数の段差部が形成されている請求項１に記載の液晶表示装置。
【請求項１０】
画素と画素との間に位置する第１基板の部分から、画素周辺部に対応する第１基板の部分に亙り、凸構造が形成されており、
凹凸部の周辺部は凸構造上に形成されている請求項１に記載の液晶表示装置。
【請求項１１】
凹凸部は、画素中心部を通り、十文字に延びる幹凸部、及び、幹凸部から画素周辺部に向かって延びる複数の枝凸部から構成されており、
幹凸部と対応する第２電極の部分には、配向規制部が形成されている請求項１に記載の液晶表示装置。
【請求項１２】
凹凸部は、画素周辺部に額縁状に形成された幹凸部、及び、幹凸部から画素内部に向かって延びる複数の枝凸部から構成されており、
第１電極には、画素中心部を通り、画素周辺部に平行なスリット部あるいは突起部が形成されている請求項１に記載の液晶表示装置。
【請求項１３】
第１電極に設けられた凸部の一部の幅は、先端部に向かって狭くなっている請求項１に記載の液晶表示装置。
【請求項１４】
凹凸部は、画素中心部を通り、十文字に延びる幹凸部、及び、幹凸部から画素周辺部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている請求項１３に記載の液晶表示装置。
【請求項１５】
凹凸部は、画素周辺部に額縁状に形成された幹凸部、及び、幹凸部から画素内部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている請求項１３に記載の液晶表示装置。
【請求項１６】
画素の中心を通るＸ軸及びＹ軸を想定したとき、
第１象限を占める複数の凸部は、Ｘ座標の値が増加したときＹ座標の値が増加する方向に平行に延び、
第２象限を占める複数の凸部は、Ｘ座標の値が減少したときＹ座標の値が増加する方向に平行に延び、
第３象限を占める複数の凸部は、Ｘ座標の値が減少したときＹ座標の値が減少する方向に平行に延び、
第４象限を占める複数の凸部は、Ｘ座標の値が増加したときＹ座標の値が減少する方向に平行に延びる請求項１に記載の液晶表示装置。
【請求項１７】
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
枝凸部と接合していない幹凸部の側辺部分の延びる方向は、Ｘ軸とは平行でなく、且つ、Ｙ軸とは平行でない請求項１に記載の液晶表示装置。
【請求項１８】
第１電極には、更に、スリット部が形成されている請求項１に記載の液晶表示装置。
【請求項１９】
画素の中心領域における第１電極には窪みが設けられている請求項１に記載の液晶表示装置。
【請求項２０】
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている請求項１に記載の液晶表示装置。
【手続補正２】
【補正対象書類名】明細書
【補正対象項目名】００１０
【補正方法】変更
【補正の内容】
【００１０】
上記の目的を達成するための本開示の液晶表示装置は、
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極には複数の凹凸部が形成されており、
第１電極の少なくも凹部は、平坦化層で埋め込まれている。
【手続補正３】
【補正対象書類名】明細書
【補正対象項目名】００１１
【補正方法】変更
【補正の内容】
【００１１】
本開示の液晶表示装置にあっては、平坦化層が、第１電極の少なくも凹部を埋めている。即ち、液晶分子が第１電極側において接する部分は平坦、あるいは、概ね平坦である。それ故、液晶分子の配列状態の均一化を図ることができる結果、液晶表示装置の光透過率の均一化を図ることができる。尚、本明細書に記載された効果はあくまで例示であって限定されるものでは無く、また、付加的な効果があってもよい。
【手続補正４】
【補正対象書類名】明細書
【補正対象項目名】００１２
【補正方法】変更
【補正の内容】
【００１２】
【図１】図１は、実施例１の液晶表示装置の模式的な一部端面図である。
【図２】図２は、実施例２の液晶表示装置の模式的な一部端面図である。
【図３】図３は、実施例３の液晶表示装置の模式的な一部端面図である。
【図４】図４は、実施例１〜実施例３の液晶表示装置を構成する１画素分の第１電極の模式的な平面図である。
【図５】図５Ａ及び図５Ｂは、実施例１の液晶表示装置における図４の矢印Ａ−Ａ及び矢印Ｂ−Ｂに沿った第１電極等の模式的な一部断面図であり、図５Ｃ及び図５Ｄは、実施例２の液晶表示装置における図４の矢印Ａ−Ａ及び矢印Ｂ−Ｂに沿った第１電極等の模式的な一部断面図である。
【図６】図６Ａ及び図６Ｂは、実施例３の液晶表示装置における図４の矢印Ａ−Ａ及び矢印Ｂ−Ｂに沿った第１電極等の模式的な一部断面図である。
【図７】図７は、実施例４の液晶表示装置を構成する１画素分の第１電極の模式的な平面図である。
【図８】図８Ａ及び図８Ｂは、実施例４の液晶表示装置における図７の矢印Ａ−Ａ及び矢印Ｂ−Ｂに沿った第１電極等の模式的な一部断面図である。
【図９】図９は、実施例４の液晶表示装置の変形例を構成する１画素分の第１電極の模式的な平面図である。
【図１０】図１０は、実施例５の液晶表示装置を構成する１画素分の第１電極の模式的な平面図である。
【図１１】図１１Ａ、図１１Ｂ及び図１１Ｃは、実施例５の液晶表示装置における図１０の矢印Ａ−Ａ、矢印Ｂ−Ｂ、矢印Ｃ−Ｃに沿った第１電極等の模式的な一部断面図であり、図１１Ｄは、図１１Ｃの一部を拡大した模式的な一部断面図である。
【図１２】図１２Ａ及び図１２Ｂは、それぞれ、従来の液晶表示装置、及び、実施例５の液晶表示装置における液晶分子の挙動を示す概念図である。
【図１３】図１３は、実施例６の液晶表示装置を構成する１画素分の第１電極の模式的な平面図である。
【図１４】図１４は、実施例７の液晶表示装置を構成する１画素分の第１電極の模式的な平面図である。
【図１５】図１５Ａ及び図１５Ｂは、実施例６の液晶表示装置における図１３の矢印Ａ−Ａ及び矢印Ｂ−Ｂに沿った第１電極等の模式的な一部断面図であり、図１５Ｃは、実施例７の液晶表示装置における図１４の矢印Ｃ−Ｃに沿った第１電極等の模式的な一部端面図であり、図１５Ｄは、図１５Ｃの一部を拡大した模式的な一部端面図である。
【図１６】図１６は、実施例７の液晶表示装置を構成する１画素分の第１電極の変形例の模式的な平面図である。
【図１７】図１７は、実施例７の液晶表示装置を構成する１画素分の第１電極の別の変形例の模式的な斜視図である。
【図１８】図１８は、実施例８の液晶表示装置を構成する１画素分の第１電極の模式的な平面図である。
【図１９】図１９は、図１８に示した実施例８の液晶表示装置を構成する１画素分の第１電極の模式的な斜視図である。
【図２０】図２０は、実施例９の液晶表示装置を構成する１画素分の第１電極の模式的な平面図である。
【図２１】図２１Ａ及び図２１Ｂは、実施例８の液晶表示装置における図１８の矢印Ａ−Ａ及び矢印Ｂ−Ｂに沿った第１電極等の模式的な一部端面図であり、図２１Ｃは、図２１Ｂの一部を拡大した模式的な一部端面図であり、図２１Ｄは、実施例９の液晶表示装置における図２０の矢印Ｄ−Ｄに沿った第１電極の一部を拡大した模式的な一部端面図である。
【図２２】図２２は、実施例１０の液晶表示装置を構成する１画素分の第１電極の模式的な平面図である。
【図２３】図２３は、実施例１０の液晶表示装置を構成する１画素分の第１電極の変形例の模式的な斜視図である。
【図２４】図２４は、実施例１１の液晶表示装置を構成する１画素分の第１電極の模式的な平面図である。
【図２５】図２５は、実施例１１の液晶表示装置を構成する１画素分の第１電極の変形例の模式的な平面図である。
【図２６】図２６は、実施例１１の液晶表示装置における図２５の矢印Ａ−Ａに沿った第１電極等の模式的な一部断面図である。
【図２７】図２７は、実施例１２の液晶表示装置の模式的な一部端面図である。
【図２８】図２８は、実施例１２の液晶表示装置の変形例の模式的な一部端面図である。
【図２９】図２９は、実施例１３の液晶表示装置を構成する１画素分の第１電極の模式的な平面図である。
【図３０】図３０は、実施例１３の液晶表示装置を構成する１画素分の第１電極の変形例の模式的な平面図である。
【図３１】図３１は、実施例１３の液晶表示装置を構成する１画素分の第１電極の別の変形例の模式的な平面図である。
【図３２】図３２は、実施例１３の液晶表示装置を構成する１画素分の第１電極の更に別の変形例の模式的な平面図である。
【図３３】図３３Ａ及び図３３Ｂは、実施例１３の液晶表示装置における図３０の矢印Ａ−Ａ及び矢印Ｂ−Ｂに沿った第１電極等の模式的な一部端面図であり、図３３Ｃ及び図３３Ｄは、実施例１３の液晶表示装置における図３２の矢印Ｃ−Ｃ及び矢印Ｄ−Ｄに沿った第１電極等の模式的な一部端面図である。
【図３４】図３４は、実施例１４の液晶表示装置を構成する１画素分の第１電極の模式的な平面図である。
【図３５】図３５は、実施例１４の液晶表示装置を構成する１画素分の第１電極の一部分を拡大した模式的な平面図である。
【図３６】図３６Ａ及び図３６Ｂは、実施例１４の液晶表示装置における図３４の矢印Ａ−Ａ及び矢印Ｂ−Ｂに沿った第１電極等の模式的な一部断面図であり、図３６Ｃは、図３６Ｂの一部を拡大した模式的な一部断面図である。
【図３７】図３７Ａ及び図３７Ｂは、それぞれ、実施例１４、及び、枝凸部にテーパーが付されていない液晶表示装置の枝凸部における液晶分子の挙動を説明するための模式図である。
【図３８】図３８は、実施例１５の液晶表示装置の変形例を構成する１画素分の第１電極の模式的な平面図である。
【図３９】図３９Ａ及び図３９Ｂは、実施例１５の液晶表示装置における図３８の矢印Ａ−Ａ及び矢印Ｂ−Ｂに沿った第１電極等の模式的な一部端面図であり、図３９Ｃは、図３９Ｂの一部を拡大した模式的な一部端面図である。
【図４０】図４０は、実施例１６の液晶表示装置を構成する１画素分の第１電極の模式的な平面図である。
【図４１】図４１は、実施例１７の液晶表示装置を構成する１画素分の第１電極の模式的な平面図である。
【図４２】図４２は、実施例１８の液晶表示装置を構成する１画素分の第１電極の模式的な平面図である。
【図４３】図４３は、実施例１８の液晶表示装置を構成する１画素分の第１電極の変形例の模式的な平面図である。
【図４４】図４４は、実施例１９の液晶表示装置を構成する１画素分の第１電極の模式的な平面図である。
【図４５】図４５は、実施例２０の液晶表示装置を構成する１画素分の第１電極の模式的な平面図である。
【図４６】図４６は、実施例２１の液晶表示装置を構成する１画素分の第１電極の模式的な平面図である。
【図４７】図４７は、実施例２２の液晶表示装置を構成する１画素分の第１電極の模式的な平面図である。
【図４８】図４８Ａは、実施例２２の液晶表示装置における図４７の矢印Ａ−Ａに沿った第１電極等の模式的な一部断面図であり、図４８Ｂは、図４８Ａの一部を拡大した模式的な一部断面図である。
【図４９】図４９Ａ及び図４９Ｂは、それぞれ、実施例２３の液晶表示装置を構成する１画素分の第１電極の一部分の模式的な平面図である。
【図５０】図５０Ａ及び図５０Ｂは、それぞれ、実施例２３の液晶表示装置を構成する１画素分の第１電極の一部分の模式的な平面図である。
【図５１】図５１は、実施例２４の液晶表示装置を構成する１画素分の第１電極の模式的な平面図である。
【図５２】図５２は、実施例２５の液晶表示装置を構成する１画素分の第１電極の模式的な平面図である。
【図５３】図５３Ａ、図５３Ｂ及び図５３Ｃは、それぞれ、実施例２６の液晶表示装置を構成する画素において、凸部、凹部、中心領域等の配置状態を模式的に示す図、第１電極に設けられたスリット部の配置状態を模式的に示す図、及び、凹凸部とスリット部とを重ね合わせた図である。
【図５４】図５４Ａ、図５４Ｂ及び図５４Ｃは、それぞれ、実施例２６の液晶表示装置を構成する画素の変形例において、凸部、凹部、中心領域等の配置状態を模式的に示す図、第１電極に設けられたスリット部の配置状態を模式的に示す図、及び、凹凸部とスリット部とを重ね合わせた図である。
【図５５】図５５Ａ、図５５Ｂ及び図５５Ｃは、それぞれ、実施例２６の液晶表示装置を構成する画素の別の変形例において、凸部、凹部、中心領域等の配置状態を模式的に示す図、第１電極に設けられたスリット部の配置状態を模式的に示す図、及び、凹凸部とスリット部とを重ね合わせた図である。
【図５６】図５６Ａ、図５６Ｂ及び図５６Ｃは、それぞれ、実施例２６の液晶表示装置を構成する画素の更に別の変形例において、凸部、凹部、中心領域等の配置状態を模式的に示す図、第１電極に設けられたスリット部の配置状態を模式的に示す図、及び、凹凸部とスリット部とを重ね合わせた図である。
【図５７】図５７Ａは、図５３Ｃの矢印Ａ−Ａに沿った模式的な端面図であり、図５７Ｂは、図５４Ｃの矢印Ｂ−Ｂに沿った模式的な端面図であり、図５７Ｃは、図５５Ｃの矢印Ｃ−Ｃに沿った模式的な端面図であり、図５７Ｄは、図５６Ｃの矢印Ｄ−Ｄに沿った模式的な端面図である。
【図５８】図５８Ａ及び図５８Ｂは、それぞれ、実施例２６の液晶表示装置を構成する画素の更に別の変形例において、凸部、凹部、スリット部等の配置状態を模式的に示す図、及び、図５８Ａの矢印Ｂ−Ｂに沿った第１電極等の模式的な断面図である。
【図５９】図５９Ａ及び図５９Ｂは、それぞれ、実施例２６の液晶表示装置を構成する画素の更に別の変形例において、凸部、凹部、スリット部等の配置状態を模式的に示す図、及び、図５９Ａの矢印Ｂ−Ｂに沿った第１電極等の模式的な断面図である。
【図６０】図６０は、実施例２７の液晶表示装置を構成する１画素分の第１電極の模式的な平面図である。
【図６１】図６１Ａは、実施例２７の液晶表示装置を構成する１画素の中心領域における第１電極の一部分の模式的な平面図であり、図６１Ｂ及び図６１Ｃは、実施例２７の液晶表示装置を構成する１画素の中心領域における第１電極の一部分の模式的な一部断面図である。
【図６２】図６２Ａ及び図６２Ｂは、それぞれ、実施例２７の液晶表示装置を構成する１画素の中心領域における第１電極の一部分の模式的な平面図である。
【図６３】図６３は、実施例２８の液晶表示装置を構成する１画素分の第１電極の模式的な平面図である。
【図６４】図６４は、実施例２９の液晶表示装置を構成する１画素分の第１電極の模式的な平面図である。
【図６５】図６５Ａ及び図６５Ｂは、それぞれ、図６４の第１電極の模式的な平面図において円形の領域で囲んだ第１電極の一部分を拡大した模式的な平面図である。
【図６６】図６６は、図６４の第１電極の模式的な平面図において円形の領域で囲んだ第１電極の一部分を拡大した模式的な平面図である。
【図６７】図６７は、実施例２９の液晶表示装置の変形例（実施例２５参照）を構成する１画素分の第１電極の模式的な平面図である。
【図６８】図６８は、実施例２９の液晶表示装置の変形例（実施例２６参照）を構成する１画素分の第１電極の模式的な平面図である。
【図６９】図６９は、実施例２９の液晶表示装置の変形例（実施例２６参照）を構成する１画素分の第１電極の模式的な平面図である。
【図７０】図７０は、実施例２９の液晶表示装置の変形例（実施例２６参照）を構成する１画素分の第１電極の模式的な平面図である。
【図７１】図７１は、実施例２９の液晶表示装置の別の変形例（実施例２７参照）を構成する１画素分の第１電極の模式的な平面図である。
【図７２】図７２は、実施例２９の液晶表示装置の更に別の変形例（実施例２８参照）を構成する１画素分の第１電極の模式的な平面図である。
【図７３】図７３は、実施例３０の液晶表示装置を構成する１画素分の第１電極の模式的な平面図である。
【図７４】図７４Ａ、図７４Ｂ及び図７４Ｃは、実施例３０の液晶表示装置における図７３の矢印Ａ−Ａ、矢印Ｂ−Ｂ、矢印Ｃ−Ｃに沿った第１電極等の模式的な一部断面図であり、図７４Ｄは、図７３Ｃの一部を拡大した模式的な一部断面図である。
【図７５】図７５は、実施例３１の液晶表示装置を構成する１画素分の第１電極の模式的な平面図である。
【図７６】図７６は、実施例３２の液晶表示装置を構成する１画素分の第１電極の模式的な平面図である。
【図７７】図７７Ａ及び図７７Ｂは、実施例３１の液晶表示装置における図７５の矢印Ａ−Ａ及び矢印Ｂ−Ｂに沿った第１電極等の模式的な一部断面図であり、図７７Ｃは、実施例３２の液晶表示装置における図７６の矢印Ｃ−Ｃに沿った第１電極等の模式的な一部端面図であり、図７７Ｄは、図７７Ｃの一部を拡大した模式的な一部端面図である。
【図７８】図７８は、実施例３２の液晶表示装置を構成する１画素分の第１電極の変形例の模式的な平面図である。
【図７９】図７９は、実施例３３の液晶表示装置を構成する１画素分の第１電極の模式的な平面図である。
【図８０】図８０Ａ及び図８０Ｂは、それぞれ、実施例１の液晶表示装置及び比較例１の液晶表示装置における液晶分子の配向状態を模式的に示す図である。
【図８１】図８１Ａは、液晶分子のプレチルトを説明するための模式図であり、図８１Ｂ及び図８１Ｃは、実施例１２の液晶表示装置における液晶分子の挙動を示す概念図である。
【図８２】図８２は、図１に示した液晶表示装置の回路構成図である。
【図８３】図８３Ａ及び図８３Ｂは、ＴＦＴ等が形成され、第１電極に凹凸部が形成される前の第１基板の模式的な一部端面図である。
【図８４】図８４は、凸部の形成ピッチ、凸部の幅、凸部の先端部の幅等を説明するための、凸部の一部の模式的な平面図である。
【図８５】図８５は、凸部の形成ピッチ、凸部の幅、凸部の先端部の幅等を説明するための、凸部の一部の模式的な平面図である。
【手続補正５】
【補正対象書類名】明細書
【補正対象項目名】００１３
【補正方法】変更
【補正の内容】
【００１３】
以下、図面を参照して、実施例に基づき本開示を説明するが、本開示は実施例に限定されるものではなく、実施例における種々の数値や材料は例示である。尚、説明は、以下の順序で行う。
１．本開示の液晶表示装置、全般に関する説明
２．実施例１（本開示の液晶表示装置。本開示の第１−１の態様に係る液晶表示装置、第１の形式の液晶表示装置）
３．実施例２（実施例１の変形。第２の形式の液晶表示装置）
４．実施例３（実施例１の別の変形。第３の形式の液晶表示装置）
５．実施例４（実施例１〜実施例３の変形。本開示の第１−２の態様に係る液晶表示装置及び本開示の第１−３の態様に係る液晶表示装置）
６．実施例５（第２Ａの態様、第２Ａ−１の態様に係る液晶表示装置）
７．実施例６（実施例５の変形）
８．実施例７（実施例５の別の変形）
９．実施例８（第２Ａ−２の態様に係る液晶表示装置）
１０．実施例９（実施例８の変形）
１１．実施例１０（実施例８の別の変形）
１２．実施例１１（実施例５〜実施例１０を含む本開示の第２Ｂの態様、第２Ｂ−１の態様、第２Ｂ−２の態様に係る液晶表示装置）
１３．実施例１２（第１の態様、第２Ａ−１の態様、第２Ｂ−１の態様に係る液晶表示装置を含む本開示の第２Ｃの態様に係る液晶表示装置）
１４．実施例１３（第１−２の態様、第２Ａ−２の態様、第２Ｂ−２の態様に係る液晶表示装置を含む本開示の第２Ｄの態様に係る液晶表示装置）
１５．実施例１４（本開示の第３の態様に係る液晶表示装置、本開示の第３Ａの態様に係る液晶表示装置）
１６．実施例１５（実施例１４の変形、本開示の第３Ｂの態様に係る液晶表示装置）
１７．実施例１６（実施例１４の別の変形、本開示の第３Ｃ−１の態様に係る液晶表示装置）
１８．実施例１７（実施例１６の変形）
１９．実施例１８（実施例１６の別の変形）
２０．実施例１９（実施例１６の別の変形、本開示の第３Ｃ−２の態様に係る液晶表示装置）
２１．実施例２０（実施例１９の変形）
２２．実施例２１（実施例２０の変形）
２３．実施例２２（本開示の第４Ａの態様に係る液晶表示装置）
２４．実施例２３（実施例２２の変形）
２５．実施例２４（実施例２２の別の変形）
２６．実施例２５（実施例２２の更に別の変形）
２７．実施例２６（実施例２２の更に別の変形、本開示の第４Ａ−１の態様に係る液晶表示装置、及び、本開示の第４Ｃの態様に係る液晶表示装置）
２８．実施例２７（実施例２２の更に別の変形、本開示の第４Ａ−２の態様に係る液晶表示装置、本開示の第４Ｃ−２の態様に係る液晶表示装置、及び、本開示の第４Ｄの態様に係る液晶表示装置）
２９．実施例２８（実施例２２の更に別の変形、本開示の第４Ａ−３の態様に係る液晶表示装置、本開示の第４Ｃ−３の態様に係る液晶表示装置、本開示の第４Ｄ−３の態様に係る液晶表示装置、及び、本開示の第４Ｅの態様に係る液晶表示装置）
３０．実施例２９（本開示の第４Ｂの態様に係る液晶表示装置、本開示の第４Ｂ−１の態様に係る液晶表示装置、本開示の第４Ｂ−２の態様に係る液晶表示装置、本開示の第４Ｂ−３の態様に係る液晶表示装置、本開示の第４Ｃの態様に係る液晶表示装置、本開示の第４Ｃ−２の態様に係る液晶表示装置、本開示の第４Ｃ−３の態様に係る液晶表示装置、本開示の第４Ｄの態様に係る液晶表示装置、本開示の第４Ｄ−３の態様に係る液晶表示装置、及び、本開示の第４Ｅの態様に係る液晶表示装置）
３１．実施例３０（実施例２９の変形）
３２．実施例３１（実施例３０の変形）
３３．実施例３２（実施例３０の別の変形）
３４．実施例３３（本開示の第４Ｅの態様に係る液晶表示装置）、その他
【手続補正６】
【補正対象書類名】明細書
【補正対象項目名】００１６
【補正方法】変更
【補正の内容】
【００１６】
以上に説明した好ましい形態を含む本開示の液晶表示装置にあっては、
平坦化層は第１電極を被覆しており、
平坦化層を覆う第１配向膜及び第２電極を覆う第２配向膜を更に備えており、
液晶分子には、少なくとも第１配向膜によってプレチルトが付与されている形態とすることができる。尚、このような形態の液晶表示装置を、便宜上、『第１の形式の液晶表示装置』と呼ぶ。あるいは又、
平坦化層は第１電極を被覆しており、
第１電極を覆う第１配向膜及び第２電極を覆う第２配向膜を更に備えており、
液晶分子には、少なくとも第１配向膜によってプレチルトが付与されており、
第１配向膜は平坦化層に相当する形態とすることができる。尚、このような形態の液晶表示装置を、便宜上、『第２の形式の液晶表示装置』と呼ぶ。あるいは又、
平坦化層は、第１電極の凹部を埋めており、
第１電極及び平坦化層を覆う第１配向膜並びに第２電極を覆う第２配向膜を更に備えており、
液晶分子には、少なくとも第１配向膜によってプレチルトが付与されている形態とすることができる。尚、このような形態の液晶表示装置を、便宜上、『第３の形式の液晶表示装置』と呼ぶ。
【手続補正７】
【補正対象書類名】明細書
【補正対象項目名】００１７
【補正方法】変更
【補正の内容】
【００１７】
ここで、第１の形式の液晶表示装置あるいは第３の形式の液晶表示装置における平坦化層を構成する材料として、レジスト材料、感光性のポリイミド樹脂やアクリル系樹脂等の高分子化合物材料を挙げることができるし、ＳｉＯ2やＳｉＮ、ＳｉＯＮ等の無機系材料を挙げることができる。また、第２の形式の液晶表示装置における平坦化層を構成する材料として、ポリイミド樹脂等を挙げることができる。平坦化層は、使用する材料に依存するが、各種塗布法に基づき形成することができるし、あるいは又、各種真空蒸着法やスパッタリング法等の物理的気相成長法（ＰＶＤ法）に基づき形成することができるし、あるいは又、各種の化学的気相成長法（ＣＶＤ法）に基づき形成することができる。平坦化層によって、第１電極の凹部が埋め込まれるか、第１電極が被覆されるかは、平坦化層を構成する材料、平坦化層を構成する材料を含む組成物の組成や特性（例えば、固形分濃度や粘度、使用する溶剤）、平坦化層の形成方法や形成条件等に依存する。配向膜も、例えば、各種塗布法に基づき形成することができる。
【手続補正８】
【補正対象書類名】明細書
【補正対象項目名】００４５
【補正方法】変更
【補正の内容】
【００４５】
本開示の第２Ｄの態様に係る液晶表示装置にあっては、第１電極には、画素中心部を通り、画素周辺部に平行なスリット部あるいは突起部が形成されているので、スリット部あるいは突起部が存在しない平坦な凹部が第１電極に形成されている場合と比較して、第１電極によって生成された電場がスリット部近傍において歪み、あるいは又、突起部近傍や配向規制部近傍における液晶分子の倒れる方向が規定される。その結果、スリット部あるいは突起部近傍における液晶分子に対する配向規制力を強くすることができ、スリット部あるいは突起部近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。
【手続補正９】
【補正対象書類名】明細書
【補正対象項目名】００８９
【補正方法】変更
【補正の内容】
【００８９】
あるいは又、凸部の頂部には、凸部と平行に延びるスリット部が形成されている構成とすることもできるし、凹部の底部には、凹部と平行に延びるスリット部が形成されている構成とすることもできる。そして、これらの場合、凸部の全てにスリット部が形成されていてもよいし、凸部の一部にスリット部が形成されていてもよい。凸部の一部にスリット部を形成する場合、画素の中心領域（中央部分）及びその近傍の凸部にスリット部を形成することが望ましい。また、凹部の全てにスリット部が形成されていてもよいし、凹部の一部にスリット部が形成されていてもよい。凹部の一部にスリット部を形成する場合、画素の中心領域（中央部分）及びその近傍の凹部にスリット部を形成することが望ましい。あるいは又、凸部の頂部には、凸部と平行に延びるスリット部が形成されており、凹部の底部には、凹部と平行に延びるスリット部が形成されている構成とすることもでき、この場合、凸部の全てにスリット部が形成されていてもよいし、凸部の一部にスリット部が形成されていてもよい。また、凹部の全てにスリット部が形成されていてもよいし、凹部の一部にスリット部が形成されていてもよい。尚、凸部の頂面のスリット部が設けられていない部分には、第１電極が形成されているし、凹部の底部のスリット部が設けられていない部分には、第１電極が形成されている。尚、スリット部によって他の凸部から孤立した凸部が形成されないように、あるいは又、スリット部によって他の凹部から孤立した凹部が形成されないように、スリット部を形成する必要があるが、１つ画素が複数の領域に分割され、各領域が独立して駆動される、所謂マルチ画素駆動方式の表示装置にあっては、各領域内において、スリット部によって他の凸部から孤立した凸部が形成されないように、あるいは又、スリット部によって他の凹部から孤立した凹部が形成されないように、スリット部を形成すればよい。凸部の頂面にスリット部を設ける場合、凸部の幅とスリット部の幅として、
０．２≦（スリット部の幅／凸部の幅）≦０．８
を例示することができるし、凹部の底面にスリット部を設ける場合、凹部の幅とスリット部の幅として、
０．２≦（スリット部の幅／凹部の幅）≦０．８
を例示することができる。以下におけるスリット部の説明においても同様である。
【手続補正１０】
【補正対象書類名】明細書
【補正対象項目名】０１１２
【補正方法】変更
【補正の内容】
【０１１２】
以上に説明した好ましい形態、構成を含む本開示の第４Ａの態様〜本開示の第４Ｅの態様に係る液晶表示装置において、Ｘ軸及びＹ軸方向に延びる幹凸部に対向する第２電極の部分には、配向規制部が形成されている形態とすることができる。このように、幹凸部と対応する第２電極の部分に配向規制部を形成すれば、第２電極によって生成された電場が配向規制部近傍において歪み、あるいは又、配向規制部近傍における液晶分子の倒れる方向が規定される。その結果、配向規制部近傍における液晶分子に対する配向規制力を強くすることができ、配向規制部近傍における液晶分子のチルト状態を確実に規定することができる。それ故、画像表示時、Ｘ軸及びＹ軸に対応する画像の部分に暗線が発生するといった問題の発生を確実に抑制することができる。即ち、良好な電圧応答特性を保持しつつ、一層均一な高い光透過率を実現することができる液晶表示装置を提供することができるし、バックライトを構成する光源のコスト低減、低消費電力化を図ることができ、また、ＴＦＴの信頼性の向上を図ることもできる。
【手続補正１１】
【補正対象書類名】明細書
【補正対象項目名】０１１８
【補正方法】変更
【補正の内容】
【０１１８】
そして、この場合、一対の基板の少なくとも一方の基板の表面近傍の液晶分子を斜め方向に配列させるように、電場を印加することが好ましい。尚、基本的に、プレチルトが付与されるときの液晶分子の方位角（偏角）は、電場の強さと方向によって規定され、極角（天頂角）は、電場の強さによって規定される。場合によっては、プレチルトが付与されるときの液晶分子の方位角（偏角）、極角（天頂角）は、更に、配向膜材料の分子構造によっても規定され得る。
【手続補正１２】
【補正対象書類名】明細書
【補正対象項目名】０１２３
【補正方法】変更
【補正の内容】
【０１２３】
実施例１の液晶表示装置、あるいは、後述する実施例２〜実施例３３の液晶表示装置は、
第１基板２０及び第２基板５０、
第２基板５０と対向する第１基板２０の対向面に形成された第１電極（画素電極）、
第１基板２０と対向する第２基板５０の対向面に形成された第２電極（対向電極）、並びに、
第１電極及び第２電極の間に設けられ、液晶分子７１Ａ，７１Ｂ，７１Ｃを含む液晶層７０、
を有する画素１０が、複数、配列されて成る液晶表示装置である。そして、液晶分子にはプレチルトが付与されている。具体的には、少なくとも第１電極近傍の液晶分子にはプレチルトが付与されている。尚、液晶分子は負の誘電率異方性を有する。そして、
第１電極には複数の凹凸部が形成されており、
第１電極の少なくも凹部は、平坦化層４１，４２，４３で埋め込まれている。
【手続補正１３】
【補正対象書類名】明細書
【補正対象項目名】０１６０
【補正方法】変更
【補正の内容】
【０１６０】
実施例１の液晶表示装置にあっては、平坦化層が、第１電極の少なくも凹部を埋めている。即ち、液晶分子が第１電極側において接する部分（具体的には、第１配向膜）は平坦、あるいは、概ね平坦である。それ故、液晶分子の配列状態の均一化を図ることができる結果、液晶表示装置の光透過率の均一化を図ることができる。また、十分な黒表示の品位を実現することができ、良好なコントラスト特性を実現することができる。更には、凹凸部の側面（側壁）の傾斜を緩やかにすることができ、例えば、凹凸部を構成する透明導電材料層の凸部エッジ部における断線発生といった問題の発生を確実に回避することができるし、比較的マージンの緩いプロセスを採用することができる結果、液晶表示装置の製造歩留りの向上を図ることができる。
【手続補正１４】
【補正対象書類名】明細書
【補正対象項目名】０１６８
【補正方法】変更
【補正の内容】
【０１６８】
実施例３の液晶表示装置にあっては、
平坦化層４３は、第１電極１４０の凹部１４５を埋めており、
第１電極１４０及び平坦化層４３を覆う第１配向膜２１並びに第２電極１６０を覆う第２配向膜５１を更に備えており、
液晶分子には、少なくとも第１配向膜２１によってプレチルトが付与されている。
【手続補正１５】
【補正対象書類名】明細書
【補正対象項目名】０１６９
【補正方法】変更
【補正の内容】
【０１６９】
平坦化層４３はレジスト材料から成り、第１配向膜２１及び第２配向膜５１はポリイミド樹脂から成る。平坦化層４３の形成は、第１電極１４０の凹凸部１４１上にレジスト材料層を形成し、このレジスト材料層をエッチバックすることで形成することができる。あるいは又、レジスト材料に依存するが、凹部１４５を覆う露光用マスクを用いてレジスト材料層を露光し、現像することで形成することもできるし、凸部を覆う露光用マスクを用いてレジスト材料層を露光し、現像することで形成することもできるし、所謂背面露光を行うことで形成することもできる。あるいは又、平坦化層４３を構成する材料として、実施例１における配向膜材料と同じ材料（垂直配向膜材料）を使用することができる。そして、エッチバック法に基づき、第１電極１４０の凹部１４５を垂直配向膜材料で埋め込むことができる。表２に示した実施例３−Ａ、実施例３Ｂにあっては、垂直配向膜材料の固形分濃度を８質量％及び６質量％とし、スピンコート法に基づき成膜した。凸部１４３，１４４、凹部１４５等の仕様を、上述した表１と同じとした。尚、Ｔ2／Ｔ1等の値を、以下の表４に示す。
【手続補正１６】
【補正対象書類名】明細書
【補正対象項目名】０１７５
【補正方法】変更
【補正の内容】
【０１７５】
尚、本開示の第１−１の態様（実施例１〜実施例３の液晶表示装置）と本開示の第１−２の態様（実施例４の液晶表示装置）とを組み合わせてもよい（本開示の第１−３の態様に係る液晶表示装置）。即ち、１画素分の第１電極の模式的な平面図を図９に示すように、第１電極３４０における凹凸部３４１は、画素中心部を通り、十文字に延びる幹凸部３４３Ａ、幹凸部３４３Ａから画素周辺部に向かって延びる複数の枝凸部３４４、及び、複数の枝凸部３４４と接合し、画素周辺部に額縁状に形成された幹凸部３４３Ｂから構成されている。尚、幹凸部３４３Ａ、幹凸部３４３Ｂ及び複数の枝凸部３４４の全体が、凸部３４２である。ここで、このような液晶表示装置にあっても、十文字に延びる幹凸部３４３ＡのそれぞれをＸ軸、Ｙ軸とした（Ｘ，Ｙ）座標系を想定したとき、
第１象限を占める複数の枝凸部３４４は、Ｘ座標の値が増加したときＹ座標の値が増加する方向に平行に延び、
第２象限を占める複数の枝凸部３４４は、Ｘ座標の値が減少したときＹ座標の値が増加する方向に平行に延び、
第３象限を占める複数の枝凸部３４４は、Ｘ座標の値が減少したときＹ座標の値が減少する方向に平行に延び、
第４象限を占める複数の枝凸部３４４は、Ｘ座標の値が増加したときＹ座標の値が減少する方向に平行に延びる。尚、参照番号３４５は凹部を示す。
【手続補正１７】
【補正対象書類名】明細書
【補正対象項目名】０１８１
【補正方法】変更
【補正の内容】
【０１８１】
尚、幹凸部１１４３、枝凸部１１４４、あるいは後述する幹凸部３３４３、枝凸部３３４４における段差部は、例えば、
（ａ）下地である平滑化膜２２における第１透明導電材料層１１４０Ａ，３３４０Ａの形成及びパターニング
（ｂ）第１透明導電材料層１１４０Ａ，３３４０Ａ上における、第１透明導電材料層１１４０Ａ，３３４０Ａとエッチング選択比を有する第２透明導電材料層１１４０Ｂ，３３４０Ｂの形成及びパターニング
によって得ることができるが、これに限定するものではない。
【手続補正１８】
【補正対象書類名】明細書
【補正対象項目名】０２０２
【補正方法】変更
【補正の内容】
【０２０２】
実施例１０にあっては、枝凸部１２４４の延びる方向と直交する仮想垂直平面で枝凸部１２４４を切断したときの枝凸部１２４４の断面形状は、枝凸部１２４４の断面形状の中心から枝凸部１２４４の断面形状の縁に向かって段差部が下降していく断面形状を有する。具体的には、枝凸部１２４４の頂面は、幹凸部１２４３の頂面１２４３Ｂから延びる頂面１２４４Ｂ、及び、頂面１２４４Ｂの両側に位置する頂面１２４４Ａから構成されている。そして、凹部１２４５を基準としたとき、枝凸部１２４４には２つの段差部が存在し、頂面１２４４Ａ、頂面１２４４Ｂの順に高くなっている。尚、図面において、頂面１２４４Ｂには、横方向に延びるハッチングを付している。枝凸部１２４４の頂面１２４４Ｂと頂面１２４４Ａとの間の高低差を平均０．２８μｍとした。幹凸部１２４３、枝凸部１２４４、凹部１２４５の他の仕様は表６と同様である。幹凸部１２４３の頂面１２４３Ｂと枝凸部１２４４の頂面１２４４Ｂは同じレベルにある。
【手続補正１９】
【補正対象書類名】明細書
【補正対象項目名】０２１７
【補正方法】変更
【補正の内容】
【０２１７】
実施例１３の液晶表示装置において、第１電極には、画素中心部を通り、画素周辺部に平行なスリット部あるいは突起部が形成されているので、スリット部あるいは突起部が存在しない平坦な凹部が第１電極に形成されている場合と比較して、第１電極によって生成された電場が、スリット部近傍において歪み（スリット部を形成した場合）、あるいは又、突起部近傍において液晶分子の倒れる方向が規定される（突起部を形成した場合）。その結果、スリット部あるいは突起部近傍における液晶分子に対する配向規制力を強くすることができ、スリット部あるいは突起部近傍における液晶分子のチルト状態を確実に規定することができる。それ故、画像表示時、幹凸部に対応する画像の部分に暗線が発生するといった問題の発生を確実に抑制することができる。即ち、良好な電圧応答特性を保持しつつ、一層均一な高光透過率を実現することができる液晶表示装置を提供することができるし、バックライトを構成する光源のコスト低減、低消費電力化を図ることができ、また、ＴＦＴの信頼性の向上を図ることもできる。尚、突起部２４９，１２４９を、第１電極２４０，１２４０には、画素中心部を通る十文字状の凸部が凹部に囲まれて形成されている形態とすることができる。このような十文字状の凸部は、第１電極２４０，１２４０の下側に十文字状の凸部を形成することで設けることができるし、あるいは又、第１電極２４０，１２４０における凹凸部の形成方法と同様の方法で設けることも可能である。あるいは又、スリット部２４８，１２４８若しくは突起部（リブ）２４９，１２４９を設ける代わりに、画素中心部を通る十文字状の凹部を設けてもよい。
【手続補正２０】
【補正対象書類名】明細書
【補正対象項目名】０２１９
【補正方法】変更
【補正の内容】
【０２１９】
実施例１４あるいは後述する実施例１５〜実施例２１の液晶表示装置は、実施例１〜実施例３の液晶表示装置と同様に、
第１基板２０及び第２基板５０、
第２基板５０と対向する第１基板２０の対向面に形成された第１電極（画素電極）２１４０，２２４０，２３４０，２４４０、
第１基板２０と対向する第２基板５０の対向面に形成された第２電極（対向電極）１６０、並びに、
第１電極２１４０，２２４０，２３４０，２４４０及び第２電極１６０の間に設けられ、液晶分子７１Ａ，７１Ｂ，７１Ｃを含む液晶層７０、
を有する画素１０（１０Ａ，１０Ｂ，１０Ｃ）が、複数、配列されて成る液晶表示装置であり、液晶分子にはプレチルトが付与されている。
液晶分子にはプレチルトが付与されている。具体的には、少なくとも第１電極近傍の液晶分子にプレチルトが付与されている。尚、液晶分子は負の誘電率異方性を有する。そして、
第１電極２１４０，２２４０，２３４０，２４４０には複数の凹凸部２１４１，２２４１，２３４１，２４４１が形成されており、
第１電極２１４０，２２４０，２３４０，２４４０に設けられた凸部２１４２，２２４２，２３４２，２４４２の一部の幅は、先端部に向かって狭くなっている。尚、図面において、凹部２１４５，２２４５，２３４５，２４４５には、縦方向に延びるハッチングを付している。
【手続補正２１】
【補正対象書類名】明細書
【補正対象項目名】０２４４
【補正方法】変更
【補正の内容】
【０２４４】
実施例１９も実施例１６の変形であるが、本開示の第３Ｃ−２の態様に係る液晶表示装置に関する。実施例１９の液晶表示装置を構成する１画素分の第１電極の模式的な平面図を図４４に示す。尚、図４４の矢印Ａ−Ａ及び矢印Ｂ−Ｂに沿った第１電極等の模式的な一部端面図は、実質的に、図２１Ａ、図２１Ｂ、図２１Ｃに示したと同じである。
【手続補正２２】
【補正対象書類名】明細書
【補正対象項目名】０２５３
【補正方法】変更
【補正の内容】
【０２５３】
実施例２１にあっては、枝凸部２４４４の延びる方向と直交する仮想垂直平面で枝凸部２４４４を切断したときの枝凸部２４４４の断面形状は、枝凸部２４４４の断面形状の中心から枝凸部２４４４の断面形状の縁に向かって段差部が下降していく断面形状を有する。具体的には、枝凸部２４４４の頂面は、幹凸部２４４３の頂面２４４３Ｂから延びる頂面２４４４Ｂ、及び、頂面２４４４Ｂの両側に位置する頂面２４４４Ａから構成されている。そして、凹部２４４５を基準としたとき、枝凸部２４４４には２つの段差部が存在し、頂面２４４４Ａ、頂面２４４４Ｂの順に高くなっている。尚、図面において、頂面２４４４Ｂには、横方向に延びるハッチングを付している。枝凸部２４４４の頂面２４４４Ｂと頂面２４４４Ａとの間の高低差を平均０．２８μｍとした。幹凸部２４４３の頂面２４４３Ｂと枝凸部２４４４の頂面２４４４Ｂは同じレベルにある。
【手続補正２３】
【補正対象書類名】明細書
【補正対象項目名】０２５７
【補正方法】変更
【補正の内容】
【０２５７】
実施例２２あるいは後述する実施例２３〜実施例３３の液晶表示装置は、実施例１〜実施例３の液晶表示装置と同様に、
第１基板２０及び第２基板５０、
第２基板５０と対向する第１基板２０の対向面に形成された第１電極（画素電極）３１４０，３２４０，３３４０，３４４０、
第１基板２０と対向する第２基板５０の対向面に形成された第２電極（対向電極）１６０、並びに、
第１電極３１４０，３２４０，３３４０，３４４０及び第２電極１６０の間に設けられ、液晶分子７１Ａ，７１Ｂ，７１Ｃを含む液晶層７０、
を有する画素１０（１０Ａ，１０Ｂ，１０Ｃ）が、複数、配列されて成る液晶表示装置であり、液晶分子にはプレチルトが付与されており、
第１電極３１４０，３２４０，３３４０，３４４０には複数の凹凸部３１４１，３２４１，３３４１，３４４１が形成されている。具体的には、少なくとも第１電極近傍の液晶分子にはプレチルトが付与されている。尚、液晶分子は負の誘電率異方性を有する。
【手続補正２４】
【補正対象書類名】明細書
【補正対象項目名】０２７４
【補正方法】変更
【補正の内容】
【０２７４】
凸部３１４４Ｅの幅及び凹部３１４５の幅を、それぞれ、２．５μｍとし、スリット部３１５２の幅を２．５μｍ、図５５Ａ、図５５Ｂ、図５５Ｃ、図５７Ｃに示したスリット部３１５２の構成を有する液晶表示装置にあっては、あるいは又、図５８Ａ、図５９Ａに示したスリット部３１５２の構成を有する液晶表示装置にあっては、プレチルト処理時の電圧印加から、液晶分子の配向完了までの時間は１０秒以内であった。
【手続補正２５】
【補正対象書類名】明細書
【補正対象項目名】０２８６
【補正方法】変更
【補正の内容】
【０２８６】
実施例２９の液晶表示装置にあっては、画素１０の中心を通るＸ軸及びＹ軸を想定したとき、具体的には、画素１０の中心を通り、画素周辺部に平行な直線のそれぞれをＸ軸、Ｙ軸とした（Ｘ，Ｙ）座標系を想定したとき、
複数の凹凸部３２４１は、Ｘ軸上及びＹ軸上を延びる幹凸部３２４３、及び、幹凸部３２４３の側辺から画素１０の周辺部に向かって延びる複数の枝凸部３２４４Ａから構成されており、
枝凸部３２４４Ａと接合していない幹凸部３２４３の側辺部分３２４３’の延びる方向は、Ｘ軸とは平行でなく、且つ、Ｙ軸とは平行でない。即ち、枝凸部３２４４Ａと接合していない幹凸部３２４３の側辺部分３２４３’の延びる方向は、Ｘ軸と異なる方向であり、且つ、Ｙ軸と異なる方向である。尚、幹凸部３２４３、枝凸部３２４４Ａは、Ｘ軸に対して線対称であり、Ｙ軸に対しても線対称であるし、また、画素の中心に対して１８０度の回転対称（点対称）である。
【手続補正２６】
【補正対象書類名】明細書
【補正対象項目名】０２９６
【補正方法】変更
【補正の内容】
【０２９６】
実施例３０は、実施例２９の変形である。図７３に、実施例３０の液晶表示装置を構成する１画素分の第１電極の模式的な平面図を示し、図７４Ａ、図７４Ｂ、図７４Ｃに、図７３の矢印Ａ−Ａ、矢印Ｂ−Ｂ、矢印Ｃ−Ｃに沿った第１電極等の模式的な一部断面図を示し、図７４Ｄに、図７４Ｃの一部を拡大した模式的な一部断面図を示す。実施例３０の液晶表示装置の模式的な一部端面図は、実質的に図１〜図３と同様である。
【手続補正２７】
【補正対象書類名】明細書
【補正対象項目名】０３１２
【補正方法】変更
【補正の内容】
【０３１２】
尚、本開示は、以下のような構成を取ることもできる。
［Ａ０１］《表示装置》
第１基板及び第２基板、
第２基板と対向する第１基板の対向面に形成された第１電極、
第１基板と対向する第２基板の対向面に形成された第２電極、並びに、
第１電極及び第２電極の間に設けられ、液晶分子を含む液晶層、
を有する画素が、複数、配列されて成る液晶表示装置であって、
液晶分子にはプレチルトが付与され、
第１電極には複数の凹凸部が形成されており、
第１電極の少なくも凹部は、平坦化層で埋め込まれている液晶表示装置。
［Ａ０２］凹部底面を基準として、平坦化層の頂面の最高高さをＨH、平坦化層の頂面の最低高さをＨLとしたとき、
０．５≦ＨL／ＨH≦１
を満足する［Ａ０１］に記載の液晶表示装置。
［Ａ０３］凹部底面を基準とした凸部の高さをＨCとしたとき、
０．５≦ＨH／ＨC≦５
を満足する［Ａ０２］に記載の液晶表示装置。
［Ａ０４］平坦化層は第１電極を被覆しており、
第１電極を覆う第１配向膜及び第２電極を覆う第２配向膜を更に備えており、
液晶分子には、少なくとも第１配向膜によってプレチルトが付与されており、
第１配向膜は平坦化層に相当する［Ａ０１］乃至［Ａ０３］のいずれか１項に記載の液晶表示装置。
［Ａ０５］平坦化層は第１電極を被覆しており、
平坦化層を覆う第１配向膜及び第２電極を覆う第２配向膜を更に備えており、
液晶分子には、少なくとも第１配向膜によってプレチルトが付与されている［Ａ０１］乃至［Ａ０３］のいずれか１項に記載の液晶表示装置。
［Ａ０６］平坦化層は、第１電極の凹部を埋めており、
第１電極及び平坦化層を覆う第１配向膜並びに第２電極を覆う第２配向膜を更に備えており、
液晶分子には、少なくとも第１配向膜によってプレチルトが付与されている［Ａ０１］乃至［Ａ０３］のいずれか１項に記載の液晶表示装置。
［Ａ０７］液晶層に対して所定の電場を印加しつつ、少なくとも第１配向膜を構成する高分子化合物を反応させることにより液晶分子にプレチルトが付与される［Ａ０４］乃至［Ａ０６］のいずれか１項に記載の液晶表示装置。
［Ａ０８］第１配向膜の平均膜厚をＴ1、第２配向膜の平均膜厚をＴ2としたとき、
０．５≦Ｔ2／Ｔ1≦１．５
を満足する［Ａ０３］乃至［Ａ０７］のいずれか１項に記載の液晶表示装置。
［Ｂ０１］《液晶表示装置：第２Ａの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子には、少なくとも第１配向膜によってプレチルトが付与され、
第１電極には複数の凹凸部が形成されており、
第１電極に設けられた凸部には複数の段差部が形成されている［Ａ０１］乃至［Ａ０８］のいずれか１項に記載の液晶表示装置。
［Ｂ０２］凹凸部は、画素中心部を通り、十文字に延びる幹凸部、及び、幹凸部から画素周辺部に向かって延びる複数の枝凸部から構成されている［Ｂ０１］に記載の液晶表示装置。
［Ｂ０３］幹凸部の延びる方向と直交する仮想垂直平面で幹凸部を切断したときの幹凸部の断面形状は、幹凸部の断面形状の中心から幹凸部の断面形状の縁に向かって段差部が下降していく断面形状を有する［Ｂ０２］に記載の液晶表示装置。
［Ｂ０４］幹凸部の延びる方向に平行な仮想垂直平面で幹凸部を切断したときの幹凸部の断面形状は、幹凸部の断面形状の中央部から幹凸部の断面形状の端部に向かって段差部が下降していく断面形状を有する［Ｂ０２］乃至［Ｂ０３］のいずれか１項に記載の液晶表示装置。
［Ｂ０５］枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する［Ｂ０２］乃至［Ｂ０４］のいずれか１項に記載の液晶表示装置。
［Ｂ０６］枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する［Ｂ０２］乃至［Ｂ０５］のいずれか１項に記載の液晶表示装置。
［Ｂ０７］幹凸部と対応する第２電極の部分には、配向規制部が形成されている［Ｂ０２］乃至［Ｂ０６］のいずれか１項に記載の液晶表示装置。
［Ｂ０８］凹凸部は、画素周辺部に額縁状に形成された幹凸部、及び、幹凸部から画素内部に向かって延びる複数の枝凸部から構成されている［Ｂ０１］に記載の液晶表示装置。
［Ｂ０９］幹凸部の延びる方向と直交する仮想垂直平面で幹凸部を切断したときの幹凸部の断面形状は、幹凸部の断面形状の外側の縁から幹凸部の断面形状の内側の縁に向かって段差部が下降していく断面形状を有する［Ｂ０８］に記載の液晶表示装置。
［Ｂ１０］枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する［Ｂ０８］乃至［Ｂ０９］のいずれか１項に記載の液晶表示装置。
［Ｂ１１］枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する［Ｂ０８］乃至［Ｂ１０］のいずれか１項に記載の液晶表示装置。
［Ｂ１２］第１電極には、画素中心部を通り、画素周辺部に平行なスリット部あるいは突起部が形成されている［Ｂ０８］乃至［Ｂ１１］のいずれか１項に記載の液晶表示装置。
［Ｂ１３］画素と画素との間に位置する第１基板の部分から、画素周辺部に対応する第１基板の部分に亙り、凸構造が形成されており、
凹凸部の周辺部は凸構造上に形成されている［Ｂ０２］乃至［Ｂ１２］のいずれか１項に記載の液晶表示装置。
［Ｃ０１］《液晶表示装置：第２Ｂの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子には、少なくとも第１配向膜によってプレチルトが付与され、
第１電極には複数の凹凸部が形成されており、
画素と画素との間に位置する第１基板の部分から、画素周辺部に対応する第１基板の部分に亙り、凸構造が形成されており、
凹凸部の周辺部は凸構造上に形成されている［Ａ０１］乃至［Ａ０８］のいずれか１項に記載の液晶表示装置。
［Ｃ０２］凹凸部は、画素中心部を通り、十文字に延びる幹凸部、及び、幹凸部から画素周辺部に向かって延びる複数の枝凸部から構成されている［Ｃ０１］に記載の液晶表示装置。
［Ｃ０３］幹凸部と対応する第２電極の部分には、配向規制部が形成されている［Ｃ０２］に記載の液晶表示装置。
［Ｃ０４］凹凸部は、画素周辺部に額縁状に形成された幹凸部、及び、幹凸部から画素内部に向かって延びる複数の枝凸部から構成されている［Ｃ０１］に記載の液晶表示装置。
［Ｃ０５］第１電極には、画素中心部を通り、画素周辺部に平行なスリット部あるいは突起部が形成されている［Ｃ０４］に記載の液晶表示装置。
［Ｄ０１］《液晶表示装置：第２Ｃの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子には、少なくとも第１配向膜によってプレチルトが付与され、
第１電極には複数の凹凸部が形成されており、
凹凸部は、画素中心部を通り、十文字に延びる幹凸部、及び、幹凸部から画素周辺部に向かって延びる複数の枝凸部から構成されており、
幹凸部と対応する第２電極の部分には、配向規制部が形成されている［Ａ０１］乃至［Ａ０８］のいずれか１項に記載の液晶表示装置。
［Ｅ０１］《液晶表示装置：第２Ｄの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子には、少なくとも第１配向膜によってプレチルトが付与され、
第１電極には複数の凹凸部が形成されており、
凹凸部は、画素周辺部に額縁状に形成された幹凸部、及び、幹凸部から画素内部に向かって延びる複数の枝凸部から構成されており、
第１電極には、画素中心部を通り、画素周辺部に平行なスリット部あるいは突起部が形成されている［Ａ０１］乃至［Ａ０８］のいずれか１項に記載の液晶表示装置。
［Ｆ０１］《液晶表示装置》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
第１電極に設けられた凸部の一部の幅は、先端部に向かって狭くなっている［Ａ０１］乃至［Ａ０８］のいずれか１項に記載の液晶表示装置。
［Ｆ０２］《液晶表示装置・・・第１の構成》
凹凸部は、画素中心部を通り、十文字に延びる幹凸部、及び、幹凸部から画素周辺部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている［Ｆ０１］に記載の液晶表示装置。
［Ｆ０３］枝凸部の幅は、幹凸部と接合する部分から先端部に向かって直線状に狭くなっている［Ｆ０２］に記載の液晶表示装置。
［Ｆ０４］幹凸部と対応する第２電極の部分には、配向規制部が形成されている［Ｆ０２］又は［Ｆ０３］に記載の液晶表示装置。
［Ｇ０１］《液晶表示装置・・・第２の構成》
凹凸部は、画素周辺部に額縁状に形成された幹凸部、及び、幹凸部から画素内部に向かって延びる複数の枝凸部から構成されており、
複数の枝凸部が、第１電極に設けられた凸部の一部に該当し、
枝凸部の幅は、幹凸部と接合する枝凸部の部分が最も広く、幹凸部と接合する部分から先端部に向かって狭くなっている［Ｆ０１］に記載の液晶表示装置。
［Ｇ０２］枝凸部の幅は、幹凸部と接合する部分から先端部に向かって直線状に狭くなっている［Ｇ０１］に記載の液晶表示装置。
［Ｇ０３］第１電極には、画素中心部を通り、画素周辺部に平行なスリット部あるいは突起部が形成されている［Ｇ０１］又は［Ｇ０２］に記載の液晶表示装置。
［Ｈ０１］《液晶表示装置：第３の構成》
第１電極に設けられた凸部には複数の段差部が形成されている［Ｆ０１］に記載の液晶表示装置。
［Ｈ０２］《液晶表示装置：第３−Ａの構成》
凹凸部は、画素中心部を通り、十文字に延びる幹凸部、及び、幹凸部から画素周辺部に向かって延びる複数の枝凸部から構成されている［Ｈ０１］に記載の液晶表示装置。
［Ｈ０３］幹凸部の延びる方向と直交する仮想垂直平面で幹凸部を切断したときの幹凸部の断面形状は、幹凸部の断面形状の中心から幹凸部の断面形状の縁に向かって段差部が下降していく断面形状を有する［Ｈ０２］に記載の液晶表示装置。
［Ｈ０４］幹凸部の延びる方向に平行な仮想垂直平面で幹凸部を切断したときの幹凸部の断面形状は、幹凸部の断面形状の中央部から幹凸部の断面形状の端部に向かって段差部が下降していく断面形状を有する［Ｈ０２］又は［Ｈ０３］に記載の液晶表示装置。
［Ｈ０５］枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する［Ｈ０２］乃至［Ｈ０４］のいずれか１項に記載の液晶表示装置。
［Ｈ０６］枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する［Ｈ０２］乃至［Ｈ０５］のいずれか１項に記載の液晶表示装置。
［Ｈ０７］幹凸部と対応する第２電極の部分には、配向規制部が形成されている［Ｈ０２］乃至［Ｈ０６］のいずれか１項に記載の液晶表示装置。
［Ｈ０８］《液晶表示装置：第３−Ｂの構成》
凹凸部は、画素周辺部に額縁状に形成された幹凸部、及び、幹凸部から画素内部に向かって延びる複数の枝凸部から構成されている［Ｈ０１］に記載の液晶表示装置。
［Ｈ０９］幹凸部の延びる方向と直交する仮想垂直平面で幹凸部を切断したときの幹凸部の断面形状は、幹凸部の断面形状の外側の縁から幹凸部の断面形状の内側の縁に向かって段差部が下降していく断面形状を有する［Ｈ０８］に記載の液晶表示装置。
［Ｈ１０］枝凸部の延びる方向と直交する仮想垂直平面で枝凸部を切断したときの枝凸部の断面形状は、枝凸部の断面形状の中心から枝凸部の断面形状の縁に向かって段差部が下降していく断面形状を有する［Ｈ０８］又は［Ｈ０９］に記載の液晶表示装置。
［Ｈ１１］枝凸部の延びる方向に平行な仮想垂直平面で枝凸部を切断したときの枝凸部の断面形状は、枝凸部の断面形状の幹凸部側から枝凸部の断面形状の端部に向かって段差部が下降していく断面形状を有する［Ｈ０８］乃至［Ｈ１０］のいずれか１項に記載の液晶表示装置。
［Ｈ１２］第１電極には、画素中心部を通り、画素周辺部に平行なスリット部あるいは突起部が形成されている［Ｈ０８］乃至［Ｈ１１］のいずれか１項に記載の液晶表示装置。
［Ｈ１３］画素と画素との間に位置する第１基板の部分から、画素周辺部に対応する第１基板の部分に亙り、凸構造が形成されており、
凹凸部の周辺部は凸構造上に形成されている［Ｈ０２］乃至［Ｈ１２］のいずれか１項に記載の液晶表示装置。
［Ｊ０１］《液晶表示装置・・・第４の構成》
画素と画素との間に位置する第１基板の部分から、画素周辺部に対応する第１基板の部分に亙り、凸構造が形成されており、
凹凸部の周辺部は凸構造上に形成されている［Ｆ０１］に記載の液晶表示装置。
［Ｊ０２］《液晶表示装置：第４−Ａの構成》
凹凸部は、画素中心部を通り、十文字に延びる幹凸部、及び、幹凸部から画素周辺部に向かって延びる複数の枝凸部から構成されている［Ｊ０１］に記載の液晶表示装置。
［Ｊ０３］幹凸部と対応する第２電極の部分には、配向規制部が形成されている［Ｊ０２］に記載の液晶表示装置。
［Ｊ０４］《液晶表示装置：第４−Ｂの構成》
凹凸部は、画素周辺部に額縁状に形成された幹凸部、及び、幹凸部から画素内部に向かって延びる複数の枝凸部から構成されている［Ｊ０１］に記載の液晶表示装置。
［Ｊ０５］第１電極には、画素中心部を通り、画素周辺部に平行なスリット部あるいは突起部が形成されている［Ｊ０４］に記載の液晶表示装置。
［Ｋ０１］《液晶表示装置の製造方法》
第１基板に第１電極を形成し、第２基板と対向する第１基板の対向面上、及び、第１電極上に、第１配向膜を形成する工程と、
第２基板に第２電極を形成し、第１基板と対向する第２基板の対向面上、及び、第２電極上に、第２配向膜を形成する工程と、
第１基板及び第２基板を、第１配向膜と第２配向膜とが対向するように配置し、第１配向膜と第２配向膜との間に液晶層を封止する工程と、
所定の電場を印加して液晶分子を配向させる工程、
とを具備する液晶表示装置の製造方法。
［Ｋ０２］前記所定の電場を印加して液晶分子を配向させる工程は、液晶分子と配向制御材料とを含む液晶層に対して所定の電場を印加しつつ、配向制御材料を反応させることで、液晶分子を配向させ、プレチルトを付与する工程から成る［Ｋ０１］に記載の液晶表示装置の製造方法。
［Ｋ０３］前記所定の電場を印加して液晶分子を配向させる工程は、少なくとも一方の基板の対向面及び電極上に配向制御材料を含む配向膜を形成した状態で、液晶層に対して所定の電場を印加しつつ、配向制御材料を反応させることで、液晶分子を配向させ、プレチルトを付与する工程から成る［Ｋ０１］に記載の液晶表示装置の製造方法。
［Ｌ０１］《液晶表示装置：第４Ａの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
画素の中心を通るＸ軸及びＹ軸を想定したとき、
第１象限を占める複数の凸部は、Ｘ座標の値が増加したときＹ座標の値が増加する方向に平行に延び、
第２象限を占める複数の凸部は、Ｘ座標の値が減少したときＹ座標の値が増加する方向に平行に延び、
第３象限を占める複数の凸部は、Ｘ座標の値が減少したときＹ座標の値が減少する方向に平行に延び、
第４象限を占める複数の凸部は、Ｘ座標の値が増加したときＹ座標の値が減少する方向に平行に延びる［Ａ０１］乃至［Ａ０８］のいずれか１項に記載の液晶表示装置。
［Ｌ０２］Ｘ軸から延び、第１象限を占める凸部のそれぞれは、Ｘ軸から延び、第４象限を占める凸部のそれぞれと接合しており、
Ｙ軸から延び、第１象限を占める凸部のそれぞれは、Ｙ軸から延び、第２象限を占める凸部のそれぞれと接合しており、
Ｘ軸から延び、第２象限を占める凸部のそれぞれは、Ｘ軸から延び、第３象限を占める凸部のそれぞれと接合しており、
Ｙ軸から延び、第３象限を占める凸部のそれぞれは、Ｙ軸から延び、第４象限を占める凸部のそれぞれと接合している［Ｌ０１］に記載の液晶表示装置。
［Ｌ０３］２つの凸部の接合部には、画素の周辺部方向に向かって延びる突出部が設けられている［Ｌ０２］に記載の液晶表示装置。
［Ｌ０４］突出部は複数の線分によって囲まれている［Ｌ０３］に記載の液晶表示装置。
［Ｌ０５］突出部は１本の曲線によって囲まれている［Ｌ０３］に記載の液晶表示装置。
［Ｌ０６］突出部は複数の曲線によって囲まれている［Ｌ０３］に記載の液晶表示装置。
［Ｌ０７］Ｘ軸あるいはその近傍から延び、第１象限を占める凸部のそれぞれは、Ｘ軸あるいはその近傍から延び、第４象限を占める凸部のそれぞれと接合しておらず、
Ｙ軸あるいはその近傍から延び、第１象限を占める凸部のそれぞれは、Ｙ軸あるいはその近傍から延び、第２象限を占める凸部のそれぞれと接合しておらず、
Ｘ軸あるいはその近傍から延び、第２象限を占める凸部のそれぞれは、Ｘ軸あるいはその近傍から延び、第３象限を占める凸部のそれぞれと接合しておらず、
Ｙ軸あるいはその近傍から延び、第３象限を占める凸部のそれぞれは、Ｙ軸あるいはその近傍から延び、第４象限を占める凸部のそれぞれと接合していない［Ｌ０１］に記載の液晶表示装置。
［Ｌ０８］凸部の幅は画素の周辺部に向かって狭くなる［Ｌ０１］乃至［Ｌ０７］のいずれか１項に記載の液晶表示装置。
［Ｌ０９］第１電極には、更に、スリット部が形成されている［Ｌ０１］乃至［Ｌ０８］のいずれか１項に記載の液晶表示装置。
［Ｌ１０］スリット部は凸部領域に形成されている［Ｌ０９］に記載の液晶表示装置。
［Ｌ１１］スリット部は、画素の中央部分を含む凸部領域に設けられている［Ｌ１０］に記載の液晶表示装置。
［Ｌ１２］画素の中心領域に向かって延びる凸部領域にスリット部が形成されている［Ｌ１０］に記載の液晶表示装置。
［Ｌ１３］画素の中心領域に向かって延びる凸部とＹ軸とによって挟まれた領域に設けられた凸部領域にスリット部が形成されている［Ｌ１０］に記載の液晶表示装置。
［Ｌ１４］凸部の頂部には、凸部と平行に延びるスリット部が形成されている［Ｌ０９］に記載の液晶表示装置。
［Ｌ１５］凹部の底部には、凹部と平行に延びるスリット部が形成されている［Ｌ０９］に記載の液晶表示装置。
［Ｌ１６］画素の中心領域における第１電極には窪みが設けられている［Ｌ０１］乃至［Ｌ１３］のいずれか１項に液晶表示装置。
［Ｌ１７］窪みは第１基板に向かって窄まっている［Ｌ１６］に記載の液晶表示装置。
［Ｌ１８］窪みの傾斜角は５度乃至６０度である［Ｌ１７］に記載の液晶表示装置。
［Ｌ１９］窪みの外縁の形状は円形である［Ｌ１６］乃至［Ｌ１８］のいずれか１項に記載の液晶表示装置。
［Ｌ２０］窪みの外縁の形状は矩形である［Ｌ１６］乃至［Ｌ１８］のいずれか１項に記載の液晶表示装置。
［Ｌ２１］矩形形状の窪みの外縁と凸部の延びる方向との成す角度は９０度である［Ｌ２０］に記載の液晶表示装置。
［Ｌ２２］矩形形状の窪みの外縁と凸部の延びる方向との成す角度は鋭角である［Ｌ２０］に記載の液晶表示装置。
［Ｌ２３］窪みの中心部はコンタクトホールの一部を構成する［Ｌ１６］乃至［Ｌ２２］のいずれか１項に記載の液晶表示装置。
［Ｌ２４］Ｘ軸あるいはその近傍から延び、第１象限を占める凸部と、Ｘ軸あるいはその近傍から延び、第４象限を占める凸部とは、相互にずれた状態で形成されており、
Ｙ軸あるいはその近傍から延び、第１象限を占める凸部と、Ｙ軸あるいはその近傍から延び、第２象限を占める凸部とは、相互にずれた状態で形成されており、
Ｘ軸あるいはその近傍から延び、第２象限を占める凸部と、Ｘ軸あるいはその近傍から延び、第３象限を占める凸部とは、相互にずれた状態で形成されており、
Ｙ軸あるいはその近傍から延び、第３象限を占める凸部と、Ｙ軸あるいはその近傍から延び、第４象限を占める凸部とは、相互にずれた状態で形成されている［Ｌ０１］乃至［Ｌ２３］のいずれか１項に記載の液晶表示装置。
［Ｌ２５］Ｘ軸に沿った凸部の形成ピッチをＰXとし、Ｙ軸に沿った凸部の形成ピッチをＰYとしたとき、
Ｘ軸あるいはその近傍から延び、第１象限を占める凸部と、Ｘ軸あるいはその近傍から延び、第４象限を占める凸部とは、相互に（ＰX／２）ずれた状態で形成されており、
Ｙ軸あるいはその近傍から延び、第１象限を占める凸部と、Ｙ軸あるいはその近傍から延び、第２象限を占める凸部とは、相互に（ＰY／２）ずれた状態で形成されており、
Ｘ軸あるいはその近傍から延び、第２象限を占める凸部と、Ｘ軸あるいはその近傍から延び、第３象限を占める凸部とは、相互に（ＰX／２）ずれた状態で形成されており、
Ｙ軸あるいはその近傍から延び、第３象限を占める凸部と、Ｙ軸あるいはその近傍から延び、第４象限を占める凸部とは、相互に（ＰY／２）ずれた状態で形成されている［Ｌ２４］に記載の液晶表示装置。
［Ｍ０１］《液晶表示装置：第４Ｂの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
枝凸部と接合していない幹凸部の側辺部分の延びる方向は、Ｘ軸とは平行でなく、且つ、Ｙ軸とは平行でない［Ａ０１］乃至［Ａ０８］のいずれか１項に記載の液晶表示装置。
［Ｍ０２］複数の凹凸部を構成する幹凸部は、Ｘ軸上及びＹ軸上に形成されている代わりに、画素周辺部に額縁状に形成されている［Ｍ０１］に記載の液晶表示装置。
［Ｍ０３］枝凸部と接合していない幹凸部の側辺部分は、直線状である［Ｍ０１］又は［Ｍ０２］に記載の液晶表示装置。
［Ｍ０４］枝凸部と接合していない幹凸部の側辺部分は、曲線状である［Ｍ０１］乃至［Ｍ０３］のいずれか１項に記載の液晶表示装置。
［Ｍ０５］枝凸部と接合していない幹凸部の部分の幅は、幹凸部の先端部に向かって狭くなっている［Ｍ０１］乃至［Ｍ０４］のいずれか１項に記載の液晶表示装置。
［Ｍ０６］枝凸部の幅は画素の周辺部に向かって狭くなる［Ｍ０１］乃至［Ｍ０５］のいずれか１項に記載の液晶表示装置。
［Ｍ０７］第１電極には、更に、スリット部が形成されている［Ｍ０１］乃至［Ｍ０６］のいずれか１項に記載の液晶表示装置。
［Ｍ０８］スリット部は凸部領域に形成されている［Ｍ０７］に記載の液晶表示装置。
［Ｍ０９］スリット部は、画素の中央部分を含む凸部領域に設けられている［Ｍ０８］に記載の液晶表示装置。
［Ｍ１０］画素の中心領域に向かって延びる凸部領域にスリット部が形成されている［Ｍ０８］に記載の液晶表示装置。
［Ｍ１１］画素の中心領域に向かって延びる枝凸部とＹ軸とによって挟まれた領域に設けられた凸部領域にスリット部が形成されている［Ｍ０８］に記載の液晶表示装置。
［Ｍ１２］凸部の頂部には、凸部と平行に延びるスリット部が形成されている［Ｍ０７］に記載の液晶表示装置。
［Ｍ１３］凹部の底部には、凹部と平行に延びるスリット部が形成されている［Ｍ０７］に記載の液晶表示装置。
［Ｍ１４］画素の中心領域における第１電極には窪みが設けられている［Ｍ０１］乃至［Ｍ１１］のいずれか１項に記載の液晶表示装置。
［Ｍ１５］窪みは第１基板に向かって窄まっている［Ｍ１４］に記載の液晶表示装置。
［Ｍ１６］窪みの傾斜角は５度乃至６０度である［Ｍ１５］に記載の液晶表示装置。
［Ｍ１７］窪みの外縁の形状は円形である［Ｍ１４］乃至［Ｍ１６］のいずれか１項に記載の液晶表示装置。
［Ｍ１８］窪みの外縁の形状は矩形である［Ｍ１４］乃至［Ｍ１６］のいずれか１項に記載の液晶表示装置。
［Ｍ１９］矩形形状の窪みの外縁と凸部の延びる方向との成す角度は９０度である［Ｍ１８］に記載の液晶表示装置。
［Ｍ２０］矩形形状の窪みの外縁と凸部の延びる方向との成す角度は鋭角である［Ｍ１８］に記載の液晶表示装置。
［Ｍ２１］窪みの中心部はコンタクトホールの一部を構成する［Ｍ１４］乃至［Ｍ２０］のいずれか１項に記載の液晶表示装置。
［Ｍ２２］第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる［Ｍ０１］乃至［Ｍ２１］のいずれか１項に記載の液晶表示装置。
［Ｍ２３］Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている［Ｍ０１］乃至［Ｍ２２］のいずれか１項に記載の液晶表示装置。
［Ｍ２４］Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている［Ｍ２３］に記載の液晶表示装置。
［Ｎ０１］《液晶表示装置：第４Ｃの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
第１電極には、更に、スリット部が形成されている［Ａ０１］乃至［Ａ０８］のいずれか１項に記載の液晶表示装置。
［Ｎ０２］スリット部は凸部領域に形成されている［Ｎ０１］に記載の液晶表示装置。
［Ｎ０３］スリット部は、画素の中央部分を含む凸部領域に設けられている［Ｎ０２］に記載の液晶表示装置。
［Ｎ０４］画素の中心領域に向かって延びる凸部領域にスリット部が形成されている［Ｎ０２］に記載の液晶表示装置。
［Ｎ０５］画素の中心領域に向かって延びる凸部とＹ軸とによって挟まれた領域に設けられた凸部領域にスリット部が形成されている［Ｎ０２］に記載の液晶表示装置。
［Ｎ０６］凸部の頂部には、凸部と平行に延びるスリット部が形成されている［Ｎ０１］に記載の液晶表示装置。
［Ｎ０７］凹部の底部には、凹部と平行に延びるスリット部が形成されている［Ｎ０１］に記載の液晶表示装置。
［Ｎ０８］凸部の幅は画素の周辺部に向かって狭くなる［Ｎ０１］乃至［Ｎ０５］のいずれか１項に記載の液晶表示装置。
［Ｎ０９］画素の中心領域における第１電極には窪みが設けられている［Ｎ０１］乃至［Ｎ０８］のいずれか１項に液晶表示装置。
［Ｎ１０］窪みは第１基板に向かって窄まっている［Ｎ０９］に記載の液晶表示装置。
［Ｎ１１］窪みの傾斜角は５度乃至６０度である［Ｎ１０］に記載の液晶表示装置。
［Ｎ１２］窪みの外縁の形状は円形である［Ｎ０９］乃至［Ｎ１１］のいずれか１項に記載の液晶表示装置。
［Ｎ１３］窪みの外縁の形状は矩形である［Ｎ０９］乃至［Ｎ１１］のいずれか１項に記載の液晶表示装置。
［Ｎ１４］矩形形状の窪みの外縁と凸部の延びる方向との成す角度は９０度である［Ｎ１３］に記載の液晶表示装置。
［Ｎ１５］矩形形状の窪みの外縁と凸部の延びる方向との成す角度は鋭角である［Ｎ１３］に記載の液晶表示装置。
［Ｎ１６］窪みの中心部はコンタクトホールの一部を構成する［Ｎ０９］乃至［Ｎ１５］のいずれか１項に記載の液晶表示装置。
［Ｎ１７］画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されている［Ｎ０１］乃至［Ｎ１６］のいずれか１項に記載の液晶表示装置。
［Ｎ１８］第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる［Ｎ１７］に記載の液晶表示装置。
［Ｎ１９］Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている［Ｎ１８］に記載の液晶表示装置。
［Ｎ２０］Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている［Ｎ１９］に記載の液晶表示装置。
［Ｐ０１］《液晶表示装置：第４Ｄの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
画素の中心領域における第１電極には窪みが設けられている［Ａ０１］乃至［Ａ０８］のいずれか１項に記載の液晶表示装置。
［Ｐ０２］窪みは第１基板に向かって窄まっている［Ｐ０１］に記載の液晶表示装置。
［Ｐ０３］窪みの傾斜角は５度乃至６０度である［Ｐ０２］に記載の液晶表示装置。
［Ｐ０４］窪みの外縁の形状は円形である［Ｐ０１］乃至［Ｐ０３］のいずれか１項に記載の液晶表示装置。
［Ｐ０５］窪みの外縁の形状は矩形である［Ｐ０１］乃至［Ｐ０３］のいずれか１項に記載の液晶表示装置。
［Ｐ０６］矩形形状の窪みの外縁と凸部の延びる方向との成す角度は９０度である［Ｐ０５］に記載の液晶表示装置。
［Ｐ０７］矩形形状の窪みの外縁と凸部の延びる方向との成す角度は鋭角である［Ｐ０５］に記載の液晶表示装置。
［Ｐ０８］窪みの中心部はコンタクトホールの一部を構成する［Ｐ０１］乃至［Ｐ０７］のいずれか１項に記載の液晶表示装置。
［Ｐ０９］画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されている［Ｐ０１］乃至［Ｐ０８］のいずれか１項に記載の液晶表示装置。
［Ｐ１０］第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延びる［Ｐ０９］に記載の液晶表示装置。
［Ｐ１１］Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている［Ｐ１０］に記載の液晶表示装置。
［Ｐ１２］Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている［Ｐ１１］に記載の液晶表示装置。
［Ｑ０１］《液晶表示装置：第４Ｅの態様》
第１基板及び第２基板、
第２基板と対向する第１基板の対向面に形成された第１電極、
第１電極及び第１基板の対向面を覆う第１配向膜、
第１基板と対向する第２基板の対向面に形成された第２電極、
第２電極及び第２基板の対向面を覆う第２配向膜、並びに、
第１配向膜及び第２配向膜の間に設けられ、液晶分子を含む液晶層、
を有する画素が、複数、配列されて成る液晶表示装置であって、
液晶分子にはプレチルトが付与されており、
第１電極には複数の凹凸部が形成されており、
画素の中心を通るＸ軸及びＹ軸を想定したとき、
複数の凹凸部は、Ｘ軸上及びＹ軸上を延びる幹凸部、及び、幹凸部の側辺から画素の周辺部に向かって延びる複数の枝凸部から構成されており、
第１象限を占める複数の枝凸部は、Ｘ座標の値が増加したときＹ座標の値が増加する方向に平行に延び、
第２象限を占める複数の枝凸部は、Ｘ座標の値が減少したときＹ座標の値が増加する方向に平行に延び、
第３象限を占める複数の枝凸部は、Ｘ座標の値が減少したときＹ座標の値が減少する方向に平行に延び、
第４象限を占める複数の枝凸部は、Ｘ座標の値が増加したときＹ座標の値が減少する方向に平行に延び、
Ｘ軸上の幹凸部から延び、第１象限を占める枝凸部と、Ｘ軸上の幹凸部から延び、第４象限を占める枝凸部とは、相互にずれた状態で形成されており、
Ｙ軸上の幹凸部から延び、第１象限を占める枝凸部と、Ｙ軸上の幹凸部から延び、第２象限を占める枝凸部とは、相互にずれた状態で形成されており、
Ｘ軸上の幹凸部から延び、第２象限を占める枝凸部と、Ｘ軸上の幹凸部から延び、第３象限を占める枝凸部とは、相互にずれた状態で形成されており、
Ｙ軸上の幹凸部から延び、第３象限を占める枝凸部と、Ｙ軸上の幹凸部から延び、第４象限を占める枝凸部とは、相互にずれた状態で形成されている［Ａ０１］乃至［Ａ０８］のいずれか１項に記載の液晶表示装置。
［Ｑ０２］Ｘ軸に沿った枝凸部の形成ピッチをＰXとし、Ｙ軸に沿った枝凸部の形成ピッチをＰYとしたとき、
Ｘ軸上の幹凸部から延び、第１象限を占める枝凸部と、Ｘ軸上の幹凸部から延び、第４象限を占める枝凸部とは、相互に（ＰX／２）ずれた状態で形成されており、
Ｙ軸上の幹凸部から延び、第１象限を占める枝凸部と、Ｙ軸上の幹凸部から延び、第２象限を占める枝凸部とは、相互に（ＰY／２）ずれた状態で形成されており、
Ｘ軸上の幹凸部から延び、第２象限を占める枝凸部と、Ｘ軸上の幹凸部から延び、第３象限を占める枝凸部とは、相互に（ＰX／２）ずれた状態で形成されており、
Ｙ軸上の幹凸部から延び、第３象限を占める枝凸部と、Ｙ軸上の幹凸部から延び、第４象限を占める枝凸部とは、相互に（ＰY／２）ずれた状態で形成されている［Ｑ０１］に記載の液晶表示装置。
【手続補正２８】
【補正対象書類名】図面
【補正対象項目名】図１１
【補正方法】変更
【補正の内容】
【図１１】
2015011157.tif 000089
【手続補正２９】
【補正対象書類名】図面
【補正対象項目名】図１５
【補正方法】変更
【補正の内容】
【図１５】
2015011157.tif 000090
【手続補正３０】
【補正対象書類名】図面
【補正対象項目名】図２１
【補正方法】変更
【補正の内容】
【図２１】
2015011157.tif 000091
【手続補正３１】
【補正対象書類名】図面
【補正対象項目名】図２４
【補正方法】変更
【補正の内容】
【図２４】
2015011157.tif 000092
【手続補正３２】
【補正対象書類名】図面
【補正対象項目名】図３７
【補正方法】変更
【補正の内容】
【図３７】
2015011157.tif 000093
【手続補正３３】
【補正対象書類名】図面
【補正対象項目名】図６１
【補正方法】変更
【補正の内容】
【図６１】
2015011157.tif 000094
【手続補正３４】
【補正対象書類名】図面
【補正対象項目名】図７４
【補正方法】変更
【補正の内容】
【図７４】
2015011157.tif 000095
【手続補正３５】
【補正対象書類名】図面
【補正対象項目名】図７７
【補正方法】変更
【補正の内容】
【図７７】
2015011157.tif 000096